(57)【要約】      （修正有）【課題】  携帯電話を胸前に常に下げ保持状態とでき且つ手に持った携帯電話をその腕を延ばしきって改札装置などへの翳し操作や撮影操作を携帯電話を落下させる心配なく安全に行えることを可能とする携帯具を提供すること。【解決手段】    着脱保持部９に収納保持された携帯品５が着脱保持部９から外れるなどして落下してもその落下を途中で止め且つ携帯品５を手で持ち該着脱保持部９から外して腕を延ばしきって携帯品５を改札装置などに翳したり撮影操作を制約されることなく行ったりできる長さに伸びる樹脂製の引っ張りコイルバネからなる携帯品吊り部１２と、この携帯品吊り部１２で連結された携帯品５を携帯品保持体８や下げ部３から簡単な操作で切り離したり取り付けたりするための嵌合連結式の着脱連結手段１３とからなっている。【選択図】図１
2007135612.tif 000002
【特許請求の範囲】
【請求項１】
携帯電話などの携帯品を簡単に取り外しできる形態で保持するケースや面ファスナやフックやフック掛けや磁石や磁着材などの携帯品取外し自在保持手段を備えた携帯品保持体と、
この携帯品保持体を携帯者の首や肩や着衣の胸ポケットや着衣の前開きなどから吊るための保持体吊り部と、
携帯品を取り付ける松葉やリングなどの携帯品を取り付ける携帯品取付部を備えた携帯品吊り部とからなり、
前記携帯品吊り部が前記携帯品保持体の下方に垂れ下がる前記保持体吊り部で形成されてなり、前記携帯品保持体から吊られた固定吊り手段からなりあるいは前記保持体吊り部の前記保持体本体より上側に移動自在に取り付けられた移動吊り手段など、携帯品を前記携帯品取外し自在保持手段から取外し下げた場合に前記保持体吊り部に吊り状態となって地面、床に落下しないようにしてなることを特徴とする携帯補助具。
【請求項２】
携帯品保持体が保持体吊り部に支持案内されて自在に該保持体吊り部上を移動させることができ且つ好みの部位に自在に係留させることができるようにするための移動係留体を設けてなることを特徴とする請求項１記載の携帯補助具。
【請求項３】
移動係留体が、
保持体吊り部を通す吊り部材通し部を有する体本駒と、
この本体駒内に可動可能に設けられた可動駒と、
この可動駒を常に付勢状態とする付勢手段とからなり、
前記吊り部材通し部とそれに通された前記保持体吊り部が、前記可動駒がフリーの状態では該可動駒が付勢状態となっているので、前記可動駒が前記保持体吊り部を抑えロック状態として前記保持体吊り部上に係留状態となり、前記可動駒を指で押し込むと前記前記ロック状態は解除されて前記吊り部材通し部を殆ど抵抗無く移動させることができるようにしてなるものであることを特徴する請求項２記載の携帯補助具。
【請求項４】
移動係留体の吊り部材通し部の後部に携帯品保持体が固定され、この携帯品保持体本体に前記吊り部材通し部に通された保持体吊り部を前記携帯品保持体の裏側あるいは略横に案内するための吊り部材案内部が設けられてなることを特徴とする請求項２、３いずれか記載の携帯補助具。
【請求項５】
移動係留体の下部に吊り部材通し部を覆うように中空状の吊り部材囲い部を有する携帯品保持体を設け、前記吊り部材通し部に通された保持体吊り部を吊り部材囲い部を通して下げるようにしてなることを特徴とする請求項３記載の携帯補助具。
【請求項６】
移動係留体を含む携帯品保持体に該保持体を着衣上に係止して保持した携帯品の大振れを抑えるための前開き着衣のボタン部位に掛るボタン部位掛手段や前立てを挟持するクリップや安全ピンなどの着衣係止手段を設けてなることを特徴とする請求項１〜５いずれか記載の携帯補助具。
【請求項７】
保持体吊り部の首や肩から下がる長さなどを調節するための保持体吊り部吊り長さ調節手段を設けてなることを特徴とする請求項１〜６いずれか記載の携帯補助具。
【請求項８】
保持体吊り部あるいは携帯品吊り部が２本の吊り部材によりなっていて、前記保持体吊り部および携帯品吊り部あるいはいずれか一方の側に垂れた前記２本の吊り部材を合わせる合わせパーツを移動自在に設けてなることを特徴とする請求項１〜７いずれか記載の携帯補助具。
【請求項９】
携帯品取外し自在保持手段が面ファスナであることを特徴とする請求項１〜８いずれか記載の携帯補助具。
【請求項１０】
保持体吊り部と携帯品吊り部が一つに連絡した形態であり、この保持体吊り部および携帯品吊り部あるいはいずれか一方に移動係留体が移動自在且つ係留可能に設けられ、前記保持体吊り部に着衣に係止されるクリップやボタン縫い止め糸に掛けるボタン部位掛ループなどの着衣に係止される着衣係止手段を設けてなることを特徴とする請求項２〜６いずれか記載の携帯補助具。
【請求項１１】
携帯品を保持する別保持体本体と、この別保持体本体に設けられた携帯品を簡単に取り外しできる形態で保持するケースや面ファスナやフックやフック掛けや磁石や磁着材などの携帯品取外し自在保持手段と、前記別保持体本体に設けられた該別保持体本体を携帯者の着衣上に留め置くためのボタン部位に掛るボタン部位掛部、クリップ、安全ピンなどの着衣留め置き部とからなる別保持体を設けてなることを特徴とする請求項１〜１０いずれか記載の携帯補助具。
【請求項１２】
携帯品保持体にカードケースを設けあるいは該携帯品保持体がカードケースとし、携帯品吊り部に吊られた携帯品は別保持体に保持するようにしたことを特徴とする請求項１１記載の携帯補助具。
【請求項１３】
首に掛け下げる吊り部と、
この吊り部に移動係留可能に取り付けられた移動係留体と、
この移動係留体と一体的に移動係留するように設けられた携帯品あるいは携帯品を取り付ける携帯品保持部とからなり、
前記吊り部の前記移動係留体の下方に垂れ下がる部位の先端側を該移動係留体、携帯品あるいは携帯品保持部に取り付けてなることを特徴とする携帯補助具。
【請求項１４】
合わせパーツに指を掛けることができる指掛リングなどの指掛け部を設けてなるあるいは前記合わせパーツ自体が指を掛けることができる指掛け部であることを特徴とする請求項８記載の携帯補助具。
【請求項１５】
首に掛ける首掛け手段と、
この首掛けに移動係留自在に取り付けられ且つ携帯電話などの携帯品の裏側に設けられた移動係留体と、
前記携帯品の裏側の前記移動係留体の下方に設けられたあるいは移動係留体の下方に設けられた携帯品側面ファスナとからなることを特徴とする携帯補助具。
【請求項１６】
携帯品の裏側に移動係留体を着脱自在とする移動係留体取り付け部を設け、前記移動係留体に前記移動係留体取り付け部に着脱自在に取り付けられる携帯品取り付け部を設けてなることを特徴とする請求項１５記載の携帯補助具。
【請求項１７】
移動係留体の下方に接合係止部を設け、この接合係止部の裏側に面ファスナを設けてなることを特徴とする請求項１６記載の携帯補助具。
【請求項１８】
保持体吊り部に該保持体吊り部上を移動自在に着衣に係止するため安全ピンやリング付のクリップなどの着衣係止手段を設けてなることを特徴とする請求項２〜１７いずれか記載の携帯補助具。
【請求項１９】
携帯品保持体あるいは移動係留体に該移動係留体上方に突出した安全ピンやリング付のクリップなどの着衣係止手段に嵌って前記携帯品保持体および保持された携帯品の振れを抑えるための着衣係止手段嵌り部を設けてなることを特徴とする請求項請求項２〜１８いずれか記載の携帯補助具。
【請求項２０】
携帯品を首や着衣から吊る携帯品吊り手段と、
この携帯品吊り手段に移動自在に設けられた携帯品保持体と、
この携帯品保持体に設けられた安全ピンやクリップなどの該携帯品保持体を着衣に留め置くための着衣留め置き部と、
前記携帯品保持体に設けられた携帯電話などの携帯品を簡単に取り外しできる形態で保持するケースや面ファスナやフックやフック掛けや磁石や磁着材などの携帯品取外し自在保持手段とからなり、
携帯品を前記携帯品吊り手段に繋いだまま該携帯品を前記携帯品取外し自在保持手段に保持し且つ該携帯品取外し自在保持手段から外して着信通話や腕をある程度延ばしてのボタン操作などの携帯品操作が行えるようにしてなることを特徴とする携帯補助具。
【請求項２１】
携帯品吊り部に移動自在にパンツと体の間に挟んで抜けないように挟持されるとともに携帯品を引っ張ると簡単に抜き外すことができるパンツばさみを設けてなることを特徴とする請求項１〜２０いずれか記載の携帯保持具。
【請求項２２】
携帯電話本体の操作ボタン側の裏側に面ファスナを取り取り付けるための凹部を設け、据え置き型充電器に置いての充電に取り付けた前記面ファスナが障害とならないようにしてなることを特徴とする携帯電話。
【発明の詳細な説明】
【技術分野】
【０００１】
本発明は、特に携帯電話を首に下げて操作するのに適した携帯補助具および携帯電話に関する。
【背景技術】
【０００２】
従来の携帯電話を首に下げるネックストラップには、下記特許文献１の図４、図５および図６に示されたネックストラップＡと、図１、図２および図３に開示されたネックストラップＢが知られている。
また、下記特許文献２に首掛けロープにケースを移動係留自在に設けて、該ケースにライターを収納する技術が開示されている。移動係留機構は、ケースの裏側に設けられた、起こして通されたロープのロックを解除し倒してロープをロックするロック片による、お越し倒し操作によるものである。
【特許文献１】実用新案登録第３０７５７５３号
【特許文献２】公開実用昭和６０−１３６３２４号
【０００３】
＜現在の携帯電話＞
現在、携帯電話は通話、メール作成、インターネットホームページの閲覧、録音、カメラ、テレビ、音楽プレイヤー、ラジオ、ワープロ、手書き入力、電子ブック、電子マネー、クレジットカード、定期券、事務所や自宅等へのドアキー装置の解除やドア開閉のための個人識別装置などなど多様な機能を有するようになってきている。
そこには多機能で且つ個人・友人・お客・組織の重要情報庫であり、お金であり、個人認証装置でありなどなど、紛失や破損をした場合には仕事、生活などあらゆる場面で大きな支障やトラブルを招く恐れがあるものであり、紛失したり破損したりしては絶対にならない持ち主の分身的なものとなっている。
また、自宅では身体から離して置くことが多く、置き忘れてしまうことが多いという問題もあった。
また、多くの携帯電話には「キッチンタイマー機能」が備えているが、キッチン作業の邪魔になる理由で、自宅ではテーブルなどに置いておく、ポケットなどに入れておくなどによるため、殆どその機能を有効に使用することができないものであった。
一方、携帯電話のその機能は、着信通話の素早い対応、電話番号・メール・ホームページ・ワープロ・各種設定時のキーボタン操作、カメラの撮影操作、定期券の改札装置への翳し・電子マネーメイン装置への翳し・事務所入退室認証装置への翳しなどの翳し操作、などなど、多様な操作をするものとなっている。
以上のような携帯電話の殆ど全ての多様な操作を、携帯電話の紛失の心配なく且つ安全に行うことを可能とする携帯補助具が必要となっているのである。
【０００４】
＜従来技術の構成およびその欠点＞
（１）特許文献１のネックストラップＡは、一本のロープで形成したループ２０の上方に移動係留体（押しボタン式ロープストッパー）２５が設けられ、ループ２０の下端にストラップ２３により携帯電話２２を吊り下げたものである。
紐（ループ）２０を短くして首近くまで携帯電話を上げ吊った状態から、ボタン操作や撮影操作を行うためには紐２０を長く延ばす煩わしく時間のかかる操作が必要であり、再び紐を短くして携帯電話を振れの小さい高い位置にするためにも、煩わしく時間のかかる操作が必要であるという、操作性が大変悪いという欠点を有していた。
通常の動作で携帯電話２２の振れを作業や動作などに支障がない程度とするためには、首後ろに位置させた移動係留体２５を操作して携帯電話２２を少なくとも胸元より上方（以下「胸上側」という。）に引上げて置く必要がある。
携帯電話を胸上側に上げた状態では、着信通話を素早く行えるが、キーボード操作、撮影操作、改札装置などへの翳し操作は首後ろの移動係留体２５の操作で携帯電話を引き下げて行わなければならない（最長でも携帯電話を大人で臍程度であるので、腕を延ばしきって操作は不可能）、思いっきり身体を屈めるか、首後のストッパーを操作していちいち首から外して行わなければならないので、素早い操作ができない、携帯電話の胸上側への引上げ引き下げ操作が大変面倒である、其の都度首に掛けたり外したりしなければならず大変面倒であり外しているときに落とす危険もあるなど、殆ど実用的でないという欠点を有している。
また、ループ２０の首下げ長さは長くても臍当たりとしか実用上できなので、腕を延ばしきって違和感無く自在に手に持った携帯電話を改札装置などに余裕のある姿勢と動作で翳す、撮影動作を腕を延ばしきって行うなど制限の無い動作で行うということができないものであった。これを解決するために、ストラップ２３をスプリング形態のものを使用すればよいのであるが、これではスプリングで下げられた携帯電話が歩行・体の振り、屈みなどの動作で激しく大きく振れ跳ねてしまい到底使用できるものではなかった。
また、腕を延ばしきって持った携帯電話を翳したり撮影操作したりするためには、携帯電話が股下（腕を延ばしきった長さ）にくるようにストラップやループの長さをしなければならず、股下に携帯電話をぶら下げて携帯することは到底使用できないものである。
また、胸上側に携帯電話を保持した状態において、携帯電話は該携帯電話の一箇所のストラップ取付部にストラップを１本紐状態で下げる形態となるので、身体の動作で携帯電話が裏返る、横揺れが大きいなど携帯性に落ち着きが無いおとなしさが無いという欠点があった。
また、ストラップ取付部が携帯電話の中央でない場合は、一本状態のストラップで吊る形態であるので、携帯電話が傾いた状態に吊られるという欠点があった。
また、常に携帯電話やデジタルカメラを松葉（細い紐）で常に吊った状態としているため、松葉の磨耗が早くなるという欠点があった。
（２）特許文献１のネックストラップＢは、ループ１にホルダ３を着脱自在に保持する移動係留体２を摩擦移動係留できるように設け、ホルダ３に紐ストラップ５が摩擦移動自在に設け、紐ストラップ５を携帯電話４のストラップ取付部に取り吊るようにした携帯電話用ネックストラップである。
ループ１の首下げ長さは長くても臍当たりとしか実用上できなので、腕を完全に延ばして手に持った携帯電話を改札装置などに余裕のある姿勢と動作で翳す、撮影動作を腕を延ばしきって行うなど制限の無い動作で行うためには、ホルダ３を移動係留体２から外して行わなければならいため、操作ミスなどで携帯電話を持った手から滑り落とし地面や床に落下させてしまう危険を有するという欠点があった。
これを解決するために、ストラップをスプリング形態のものにすればよいのであるが、これではスプリングで下げられた携帯電話が歩行・体の振り、屈みなどの動作で激しく大きく振れ跳ねてしまい到底使用できるものではなかった。
ホルダ３を移動係留体２から外して操作した場合、外したままテーブルなどに置いてそのまま忘れ置いて行ってしまうことが生じる恐れがあるものであった。
ホルダ３が移動係留体２から何かの拍子で抜けて携帯電話を地面や床に落下させてしまったり、混んでいる電車内で何ものかに抜き取られたりする恐れがあるものであった。
（３）特許文献２に開示された技術は、ケースに収納したライターなり携帯電話なりの操作は、ケースから取り出して手に持って操作するものであるが、完全にフリー状態で手に持って操作するため、誤って手に持った携帯品を滑らせるなどして地面や床に落としてしまう危険があるという欠点があった。
また、ケースから抜け落としたり、混んでいる電車内で何者かに抜き取られたりするなどして紛失させてしまう恐れがあるものであった。
ケースから外して操作した場合、外したままテーブルなどに置いてそのまま忘れ置いて行ってしまうことが生じる恐れがあるものであった。
（４）また、上述したいずれの技術も、携帯品の落下の心配なく片手のみで首に掛け装着し且つ移動係留体および携帯品の上下位置を好みの位置に自在に調節することができないあるいはロック片の起こし倒しの面倒な操作である、片手のみで移動係留体を上下移動を行えないあるいはロック片の起こし倒しの面倒な操作が必要であるなど、片手しか使用できない身障者等にとっては使用し難いものであった。
（５）また、看護士などの作業者が社内携帯電話をネックストラップで首に掛け吊るして携帯しているが、携帯品吊り部が長いために歩行時に大きく振れる、患者を抱きかかえるときに邪魔になる、胸ポケットに入れておくと屈むたびにポケットから飛び出すなど大変使用感が悪いという欠点があった。
（６）自宅においては多くの携帯者が携帯電話はテーブルなど身体から離して置いているので、出かけるときに携帯し忘れることが多々あり、携帯電話の役割を果たせないという社会問題がある。
特に物忘れがひどくなっている高齢者にはこの傾向が顕著であり、公衆電話がなくなってきている現状では、連絡手段、居場所確認手段としての携帯電話を常に安全且つ紛失や置忘れが生じないよう且つ身体動作や作業などの邪魔にならないように携帯する携帯補助具の出願が切望されている。
すなわち自宅においても携帯電話を身から離さずに、不自由なく携帯しておくことができる携帯補助具の出現が求められているのである。
（７）従来、ネックストラップ本体は吊った携帯電話を長くても臍のあたりまで吊るし置く程度の長さである。これは、腕を延ばしきった長さとなると股間あたりまでの長さとなり、到底実用できるものではなくなるからである。
その解決方法として携帯電話（１５０グラム程度）の重さでは殆ど伸びない付勢力の樹脂製引っ張りコイルバネを、ネックストラップと携帯電話の間に介在させて、携帯電話を手に持ってその腕を延ばしきって操作できるように解決方法が知られている。
しかし、樹脂製引っ張りコイルバネはその付勢力の強さから硬めにできていて、携帯電話を持ち上げて胸上などに保持した場合は、曲がることなく殆ど真直ぐな状態ないし少し湾曲する程度である。
このため携帯電話の下方に垂れた部位が樹脂製引っ張りコイルバネの両端で折れ上がる形態となり、ギクシャクした見た目の悪い元になるという欠点があった。
逆に、付勢力の緩い樹脂製引っ張りコイルバネを用い場合は、携帯電話を手に持っての操作中や、胸上への保持状態から落としてしまった場合には、緩い樹脂製引っ張りコイルバネは一気に伸びきってしまい、地上や床や側壁や前壁などに衝突させてしまう危険が大きいという欠点があった。
（８）掛け部の長さを変えることなく携帯品吊り部の長さを携帯者の好みの長さに調節することができないという欠点を有するものであった。
（９）老眼の人などが手で支持しないで携帯電話のディスプレイを見る場合、焦点を合わせて最も良く見える位置に留置く調節が素早くできないので、両手を離してのテレビの鑑賞、ＧＰＳの使用、電子ブックの読書、別体キーボードによる両手操作による文書入力などが、最適な状態で利用できないという欠点を有するものであった。
（９）吊り下げた携帯電話の高さ調節ができないために、テーブルの前に座った場合携帯電話はテーブルの縁と略同じ高さかその下方に位置する場合が多く、携帯電話を首に下げているのを忘れて立ち上がることが多く、この場合携帯電話をテーブルの縁に衝突させてしまうという欠点があった。
（１０）従来、携帯電話に面ファスナを単に貼り付けた技術があるが、これは面ファスナが据え置き型充電器に置いて充電する場合に、面ファスナの突出が障害となって充電できないという欠点があった。
【発明の開示】
【発明が解決しようとする課題】
【０００５】
本発明は以上のような従来技術の欠点に鑑みてなされたものであって、その目的は、
イ、携帯電話などの携帯品を振れの小さい身体の上方に吊り状態で高位携帯位置で携帯がき、
ロ、その高位携帯位置から素早く簡単に携帯電話を取外しボタン操作や撮影操作を軽快に行え、
ハ、高位携帯位置携帯電話を保持させる保持操作を素早く簡単に行え、
ニ、上記携帯および操作中に携帯電話を落としても地面への落下が止められる携帯補助具を提供することを目的としている。
本発明の他の目的は、片手のみで首に吊り下げた携帯電話の上げ下げ係留操作、着信通話操作、腕を延ばしてのボタン操作や撮影操作が素早く簡単・軽快に行え、且つ、これらの操作中に携帯電話を手から落としても地面への落下が止められるとともに片手のみで首への掛け外し操作が行える、片手のみで全ての携帯操作が行える携帯補助具を提供することを目的としている。
本発明の他の目的は、老眼の人が最も良く見える位置にそのディスプレイを素早く簡単に留置いて手で携帯電話を支持することなく見続けることができる携帯補助具を提供することを目的としている。
本発明の他の目的は、据え置き型充電器においての充電の障害とならない面ファスナの取り付け構造を持つ携帯電話を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００７】
上記目的を達成するために本発明は次のような構成となっている。
＜請求項１記載の発明＞
携帯電話などの携帯品を簡単に取り外しできる形態で保持するケースや面ファスナやフックやフック掛けや磁石や磁着材などの携帯品取外し自在保持手段を備えた携帯品保持体と、この携帯品保持体を携帯者の首や肩や着衣の胸ポケットや着衣の前開きなどから吊るための保持体吊り部と、携帯品を取り付ける松葉やリングなどの携帯品を取り付ける携帯品取付部を備えた携帯品吊り部とからなり、前記携帯品吊り部が前記携帯品保持体の下方に垂れ下がる前記保持体吊り部で形成されてなり、前記携帯品保持体から吊られた固定吊り手段からなりあるいは前記保持体吊り部の前記保持体本体より上側に移動自在に取り付けられた移動吊り手段など、携帯品を前記携帯品取外し自在保持手段から取外し下げた場合に前記保持体吊り部に吊り状態となって地面、床に落下しないようにしてなる携帯補助具を構成している。
＜請求項２記載の発明＞
請求項１記載の発明の構成において、携帯品保持体が保持体吊り部に支持案内されて自在に該保持体吊り部上を移動させることができ且つ好みの部位に自在に係留させることができるようにするための移動係留体を設けてなる携帯補助具を構成している。
＜請求項３記載の発明＞
請求項２記載の発明の構成において、移動係留体が、保持体吊り部を通す吊り部材通し部を有する体本駒と、この本体駒内に可動可能に設けられた可動駒と、この可動駒を常に付勢状態とする付勢手段とからなり、前記吊り部材通し部とそれに通された前記保持体吊り部が、前記可動駒がフリーの状態では該可動駒が付勢状態となっているので、前記可動駒が前記保持体吊り部を抑えロック状態として前記保持体吊り部上に係留状態となり、前記可動駒を指で押し込むと前記前記ロック状態は解除されて前記吊り部材通し部を殆ど抵抗無く移動させることができるようにしてなるものである携帯補助具を構成している。
＜請求項４記載の発明＞
請求項２、３いずれか記載の発明の構成において、移動係留体の吊り部材通し部の後部に携帯品保持体が固定され、この携帯品保持体本体に前記吊り部材通し部に通された保持体吊り部を前記携帯品保持体の裏側あるいは略横に案内するための吊り部材案内部が設けられてなる携帯補助具を構成している。
＜請求項５記載の発明＞
請求項３記載の発明の構成において、移動係留体の下部に吊り部材通し部を覆うように中空状の吊り部材囲い部を有する携帯品保持体を設け、前記吊り部材通し部に通された保持体吊り部を吊り部材囲い部を通して下げるようにしてなる携帯補助具を構成している。
＜請求項６記載の発明＞
請求項１〜５いずれか記載の発明の構成において、移動係留体を含む携帯品保持体に該保持体を着衣上に係止して保持した携帯品の大振れを抑えるための前開き着衣のボタン部位に掛るボタン部位掛手段や前立てを挟持するクリップや安全ピンなどの着衣係止手段を設けてなる携帯補助具を構成している。
＜請求項７記載の発明＞
請求項１〜６いずれか記載の発明の構成において、保持体吊り部の首や肩から下がる長さなどを調節するための保持体吊り部吊り長さ調節手段を設けてなる携帯補助具を構成している。
＜請求項８記載の発明＞
請求項１〜７いずれか記載の発明の構成において、保持体吊り部あるいは携帯品吊り部が２本の吊り部材によりなっていて、前記保持体吊り部および携帯品吊り部あるいはいずれか一方の側に垂れた前記２本の吊り部材を合わせる合わせパーツを移動自在に設けてなる携帯補助具を構成している。
＜請求項９記載の発明＞
請求項１〜８いずれか記載の発明の構成において、携帯品取外し自在保持手段が面ファスナである携帯補助具を構成している。
＜請求項１０記載の発明＞
請求項２〜６いずれか記載の発明の構成において、保持体吊り部と携帯品吊り部が一つに連絡した形態であり、この保持体吊り部および携帯品吊り部あるいはいずれか一方に移動係留体が移動自在且つ係留可能に設けられ、前記保持体吊り部に着衣に係止されるクリップやボタン縫い止め糸に掛けるボタン部位掛ループなどの着衣に係止される着衣係止手段を設けてなる携帯補助具を構成している。
＜請求項１１記載の発明＞
請求項１〜１０いずれか記載の発明の構成において、携帯品を保持する別保持体本体と、この別保持体本体に設けられた携帯品を簡単に取り外しできる形態で保持するケースや面ファスナやフックやフック掛けや磁石や磁着材などの携帯品取外し自在保持手段と、前記別保持体本体に設けられた該別保持体本体を携帯者の着衣上に留め置くためのボタン部位に掛るボタン部位掛部、クリップ、安全ピンなどの着衣留め置き部とからなる別保持体を設けてなる携帯補助具を構成しているの。
＜請求項１２記載の発明＞
請求項１１記載の発明の構成において、携帯品保持体にカードケースを設けあるいは該携帯品保持体がカードケースとし、携帯品吊り部に吊られた携帯品は別保持体に保持するようにした携帯補助具を構成している。
＜請求項１３記載の発明＞
首に掛け下げる吊り部と、この吊り部に移動係留可能に取り付けられた移動係留体と、この移動係留体と一体的に移動係留するように設けられた携帯品あるいは携帯品を取り付ける携帯品保持部とからなり、前記吊り部の前記移動係留体の下方に垂れ下がる部位の先端側を該移動係留体、携帯品あるいは携帯品保持部に取り付けてなる携帯補助具を構成している。
＜請求項１４記載の発明＞
請求項８記載の発明の構成において、合わせパーツに指を掛けることができる指掛リングなどの指掛け部を設けてなるあるいは前記合わせパーツ自体が指を掛けることができる指掛け部である携帯補助具を構成している。
＜請求項１５記載の発明＞
首に掛ける首掛け手段と、この首掛けに移動係留自在に取り付けられ且つ携帯電話などの携帯品の裏側に設けられた移動係留体と、前記携帯品の裏側の前記移動係留体の下方に設けられたあるいは移動係留体の下方に設けられた携帯品側面ファスナとで携帯補助具を構成している。
＜請求項１６記載の発明＞
請求項１５記載の発明の構成において、携帯品の裏側に移動係留体を着脱自在とする移動係留体取り付け部を設け、前記移動係留体に前記移動係留体取り付け部に着脱自在に取り付けられる携帯品取り付け部を設けてなる携帯補助具を構成している。
＜請求項１７記載の発明＞
請求項１６記載の発明の構成において、移動係留体の下方に接合係止部を設け、この接合係止部の裏側に面ファスナを設けてなる携帯補助具を構成している。
＜請求項１８記載の発明＞
請求項２〜１７いずれか記載の発明の構成において、保持体吊り部に該保持体吊り部上を移動自在に着衣に係止するため安全ピンやリング付のクリップなどの着衣係止手段を設けてなる携帯補助具を構成している。
＜請求項１９記載の発明＞
請求項２〜１８いずれか記載の発明の構成において、携帯品保持体あるいは移動係留体に該移動係留体上方に突出した安全ピンやリング付のクリップなどの着衣係止手段に嵌って前記携帯品保持体および保持された携帯品の振れを抑えるための着衣係止手段嵌り部を設けてなる携帯補助具を構成している。
＜請求項２０記載の発明＞
携帯品を首や着衣から吊る携帯品吊り手段と、この携帯品吊り手段に移動自在に設けられた携帯品保持体と、この携帯品保持体に設けられた安全ピンやクリップなどの該携帯品保持体を着衣に留め置くための着衣留め置き部と、前記携帯品保持体に設けられた携帯電話などの携帯品を簡単に取り外しできる形態で保持するケースや面ファスナやフックやフック掛けや磁石や磁着材などの携帯品取外し自在保持手段とからなり、携帯品を前記携帯品吊り手段に繋いだまま該携帯品を前記携帯品取外し自在保持手段に保持し且つ該携帯品取外し自在保持手段から外して着信通話や腕をある程度延ばしてのボタン操作などの携帯品操作が行えるようにしてなる携帯補助具を構成している。
＜請求項２１記載の発明＞
携帯電話本体の操作ボタン側の裏側に面ファスナを取り取り付けるための凹部を設け、据え置き型充電器に置いての充電に取り付けた前記面ファスナが障害とならないようにしてなる携帯電話を構成している。
【発明の効果】
【０００８】
以上の説明から明らかなように、本発明にあっては次に列挙する効果が得られる。
＜請求項１記載の発明の効果＞
携帯電話などの携帯品を簡単に取り外しできる形態で保持するケースや面ファスナやフックやフック掛けや磁石や磁着材などの携帯品取外し自在保持手段を備えた携帯品保持体と、この携帯品保持体を携帯者の首や肩や着衣の胸ポケットや着衣の前開きなどから吊るための保持体吊り部と、携帯品を取り付ける松葉やリングなどの携帯品を取り付ける携帯品取付部を備えた携帯品吊り部とからなり、前記携帯品吊り部が前記携帯品保持体の下方に垂れ下がる前記保持体吊り部で形成されてなり、前記携帯品保持体から吊られた固定吊り手段からなりあるいは前記保持体吊り部の前記保持体本体より上側に移動自在に取り付けられた移動吊り手段など、携帯品を前記携帯品取外し自在保持手段から取外し下げた場合に前記保持体吊り部に吊り状態となって地面、床に落下しないようにしてなる携帯補助具を構成しているので、
（１）携帯品保持体を身体の高位携帯位置に保持しておき、着信通話の場合は片手で携帯電話を開き（折畳式の場合）、着信内容を目視し着信ボタンを押してそのまま耳に持っていくという素早く簡単な通話操作を実現し、電話を掛けるメールを打つ、撮影をする、レジに翳すなどの場合は、携帯品保持体を高位携帯位置に保持したまま携帯電話をそこから外し腕を延ばしてボタン操作等を軽快に行うこととを実現し、携帯状態や手に持っての操作中に携帯電話を落とすことがあって、携帯電話は携帯品吊り部に吊り状態にあるので、地面に落下させる心配のない安全性を実現するという効果を得ることができる。
例えば通常は携帯電話を臍のあたりまで吊り下げて動作し、テーブル前に座ったときや、食器洗い、掃除、トイレの使用時、草取り、物の抱きかかえなどのときは携帯電話を身体の高位置（首元）に保持してある携帯品保持体に保持させることにより、テーブルより高い位置に保持して立ち上がったときテーブルにぶつかることが無いようにでき、高箇所で携帯電話の振れのない動作の邪魔にならない携帯を素早く実現しまた解除することができる。
（２）前記（１）の全操作は片手のみで素早く簡単・軽快に行うことを実現するという効果を得ることができる。
＜請求項２記載の発明の効果＞
請求項１記載の発明の構成において、携帯品保持体が保持体吊り部に支持案内されて自在に該保持体吊り部上を移動させることができ且つ好みの部位に自在に係留させることができるようにするための移動係留体を設けてなる携帯補助具を構成しているので、
携帯品保持体を上下に移動させることができ、且つ、好みの位置に係留することができるので、携帯電話を自在に上下移動させて携帯、操作を行い、状況に応じ高さに携帯できるとう効果を得ることができる。
具体例をのべる。
（１）主婦が平常状態では携帯電話をみぞおちあたりに吊り下げていて、食器を洗う、洗濯を取り出す、掃除をする、トイレを使う場合は、首元まで携帯電話を素早く簡単に上げ係留して携帯電話の振れを小さくして行うことができ、平常動作には素早く携帯電話を下ろすことができる。
（２）釣り人が鮎釣りをしている最中は、携帯電話を高位携帯位置にすることにより、釣り竿を片手で支持したままもう一方の手で着信通話を素早く簡単に行うことができ、携帯電話を携帯品保持体から外して片手でボタンを操作をして電話を掛けることも、素早く高位携帯位置にある携帯品保持体に携帯電話を保持することもできる。
（３）老眼の人の良く見える位置に素早く携帯電話のディスプレイを移動させることができ、特に手に持たないでテレビを観賞する、手に持たないでＧＰＳを見ながら歩く、手に持たないで電子ブックを読む、別体のキーボードを接続して携帯電話のディスプレイを手で支持しないで別体のキーボードを両手で操作して文書入力操作ができる、などのことができる。
（４）机の前に座っている場合は、机の縁より高い位置（みぞおち上あたり）に携帯電話を上げておいて、立ち上がったとき携帯電話が机縁に衝突することがないようにでき、電話の操作はその位置を保持したまま、携帯品保持体から携帯電話を素早く外し操作し、操作終了後は素早く高い位置を保持している携帯品保持体に保持することができる。
（５）安全ピンを着衣の例えば胸ポケット上や胸ポッケットの下方などに保持体吊り部をそのループに通して取り付け（係止）し、保持体本体を安全ピンに接するないし近接するところに吊り下げることがかのうであり、こうすることにより身体の真ん前は勿論のこと横など好みの部位に携帯電話（携帯品）を振れを抑えた状態で且つ安全ピンに荷重殆どを掛けず着衣の乱れを殆ど起こさずに保持携帯することを可能とし、且つ、その状態から携帯電話のみを取り外しして着信通話やボタン操作などを行うことができるという効果をえることができる。
特に身体の真ん前から少しずれた部位への係留は羞恥心を大きく弱め且つテーブルに携帯電話を打付ことが起き難い携帯を実現する。
＜請求項３記載の発明の効果＞
請求項２記載の発明の構成において、移動係留体が、保持体吊り部を通す吊り部材通し部を有する体本駒と、この本体駒内に可動可能に設けられた可動駒と、この可動駒を常に付勢状態とする付勢手段とからなり、前記吊り部材通し部とそれに通された前記保持体吊り部が、前記可動駒がフリーの状態では該可動駒が付勢状態となっているので、前記可動駒が前記保持体吊り部を抑えロック状態として前記保持体吊り部上に係留状態となり、前記可動駒を指で押し込むと前記前記ロック状態は解除されて前記吊り部材通し部を殆ど抵抗無く移動させることができるようにしてなるものである携帯補助具を構成しているので、
携帯品保持体および保持した携帯電話の上下移動を殆ど抵抗無くスムーズに行うことができ、より軽快な操作性を実現するという効果を得ることができる。
また、携帯品を釣り状態にして保持体吊り部を張り状態にして、携帯品保持体を片手のみで上下に軽快に移動操作し好みの位置に係留することができるとい効果を得ることができる。
＜請求項４記載の発明の効果＞
請求項２、３いずれか記載の発明の構成において、移動係留体の吊り部材通し部の後部に携帯品保持体が固定され、この携帯品保持体本体に前記吊り部材通し部に通された保持体吊り部を前記携帯品保持体の裏側あるいは略横に案内するための吊り部材案内部が設けられてなる携帯補助具を構成しているので、
保持体吊り部が携帯品保持体および携帯品の背部側あるい真後ろでない横に位置されるので、携帯品の携帯品保持体への取り付け取外しの邪魔になることがなく、保持体吊り部を指で探し摘みやすいので、保持体吊り部を指で摘み張って携帯品保持体の上下操作を行いやすく軽快にできるという効果を得ることができる。
＜請求項５記載の発明の効果＞
請求項３記載の発明の構成において、移動係留体の下部に吊り部材通し部を覆うように中空状の吊り部材囲い部を有する携帯品保持体を設け、前記吊り部材通し部に通された保持体吊り部を吊り部材囲い部を通して下げるようにしてなる携帯補助具を構成しているので、
吊り部材囲い部の裏側に保持体吊り部と干渉しない形態でクリップを設けることができるという効果を得ることができる。
＜請求項６記載の発明の効果＞
請求項１〜５いずれか記載の発明の構成において、移動係留体を含む携帯品保持体に該保持体を着衣上に係止して保持した携帯品の大振れを抑えるための前開き着衣のボタン部位に掛るボタン部位掛手段や前立てを挟持するクリップや安全ピンなどの着衣係止手段を設けてなる携帯補助具を構成しているので、
携帯品保持体およびそれに保持された携帯品を下方に吊り下げ状態としても、着着衣係止手段を着衣に係止することにより、大きな振れのない携帯を実現するという効果を得ることができる。
＜請求項７記載の発明の効果＞
請求項１〜６いずれか記載の発明の構成において、保持体吊り部の首や肩から下がる長さなどを調節するための保持体吊り部吊り長さ調節手段を設けてなる携帯補助具を構成しているので、
携帯電話の落下停止位置を調節することができるという効果を得ることができる。
例えば、釣り人が腰まで漬かって釣りを行う場合は、落下位置を臍あたりにするなどのことができる。
＜請求項８記載の発明の効果＞
請求項１〜７いずれか記載の発明の構成において、保持体吊り部あるいは携帯品吊り部が２本の吊り部材によりなっていて、前記保持体吊り部および携帯品吊り部あるいはいずれか一方の側に垂れた前記２本の吊り部材を合わせる合わせパーツを移動自在に設けてなる携帯補助具を構成しているので、
携帯品保持部に保持された携帯電話の下方に垂れ下がる２本紐からなる携帯品吊り部が常に１本状態合わさっているので、２本紐を摘んでの操作が行い易い、他の部位に絡まないようになるという効果を得ることができる。
＜請求項９記載の発明の効果＞
請求項１〜８いずれか記載の発明の構成において、携帯品取外し自在保持手段が面ファスナである携帯補助具を構成しているので、
携帯電話の着脱操作が大変行い易いという効果を得ることができる。
＜請求項１０記載の発明の効果＞
請求項２〜６いずれか記載の発明の構成において、保持体吊り部と携帯品吊り部が一つに連絡した形態であり、この保持体吊り部および携帯品吊り部あるいはいずれか一方に移動係留体が移動自在且つ係留可能に設けられ、前記保持体吊り部に着衣に係止されるクリップやボタン縫い止め糸に掛けるボタン部位掛ループなどの着衣に係止される着衣係止手段を設けてなる携帯補助具を構成しているので、
このような携帯としても請求項２〜６いずれか記載の発明と同様な効果を得ることができる。
＜請求項１１記載の発明の効果＞
請求項１〜１０いずれか記載の発明の構成において、携帯品を保持する別保持体本体と、この別保持体本体に設けられた携帯品を簡単に取り外しできる形態で保持するケースや面ファスナやフックやフック掛けや磁石や磁着材などの携帯品取外し自在保持手段と、前記別保持体本体に設けられた該別保持体本体を携帯者の着衣上に留め置くためのボタン部位に掛るボタン部位掛部、クリップ、安全ピンなどの着衣留め置き部とからなる別保持体を設けてなる携帯補助具を構成しているので、
携帯品吊り部に吊った携帯電話を別保持体に保持することにより、携帯品保持体は空き状態となるので、例えばこれにカードケースを取り付けることができるという効果を得ることができる。
＜請求項１２記載の発明の効果＞
請求項１１記載の発明の構成において、携帯品保持体にカードケースを設けあるいは該携帯品保持体がカードケースとし、携帯品吊り部に吊られた携帯品は別保持体に保持するようにした携帯補助具を構成しているので、
携帯品の振り止め携帯とカードの携帯の両方を携帯できるという効果を得る。
＜請求項１３記載の発明の効果＞
首に掛け下げる吊り部と、この吊り部に移動係留可能に取り付けられた移動係留体と、この移動係留体と一体的に移動係留するように設けられた携帯品あるいは携帯品を取り付ける携帯品保持部とからなり、前記吊り部の前記移動係留体の下方に垂れ下がる部位の先端側を該移動係留体、携帯品あるいは携帯品保持部に取り付けてなる携帯補助具を構成しているので、
携帯品を高位置に係留させて振れの小さい携帯を実現するとともに、良く看者から見える位置に携帯品（この場合名札など）を位置させることができ、素早く下ろし携帯品（この場合ＩＣカードなど）を腕を延ばして翳したり提示することが素早く簡単に行え、且つ、吊り部の端が移動係留体、携帯品あるいは携帯品保持部に取り付けているので、高位置に係留しても垂れ下がる吊り部の長さは半分の長さになって、邪魔にならないという効果を得ることができる。
＜請求項１４記載の発明の効果＞
請求項８記載の発明の構成において、合わせパーツに指を掛けることができる指掛リングなどの指掛け部を設けてなるあるいは前記合わせパーツ自体が指を掛けることができる指掛け部である携帯補助具を構成しているので、
移動係留体の上下移動操作を一方の手の指で指掛けパーツに掛けて保持体吊り部を張って行うことができるので、移動係留体の上下移動操作が誰でもが一目でわかる、わかりやすさを実現しているので誰でもが迷うことなく素早く軽快にな上げ下げ操作が行えるという効果を得ることができる。
また、指掛けパーツをズボン（パンツ）の中に入れてズボンと身体との間に挟みパンツばさみとしての機能を発揮させることもできる。抜くときお腹を凹ませれば簡単に抜き出すことができる。
＜請求項１５記載の発明の効果＞
首に掛ける首掛け手段と、この首掛けに移動係留自在に取り付けられ且つ携帯電話などの携帯品の裏側に設けられた移動係留体と、前記携帯品の裏側の前記移動係留体の下方に設けられたあるいは移動係留体の下方に設けられた携帯品側面ファスナとで携帯補助具を構成しているので、
前記請求項１１記載の発明と同様に、着衣に係止した別保持体や着衣に設けた面ファスナに携帯品を接合係止することができるので、携帯品を移動係留体から外し操作することができない以外は請求項１１記載の発明と同様な効果を得ることができる。
「前記携帯品の裏側の前記移動係留体の下方に設けられたあるいは移動係留体の下方に設けられた携帯品側面ファスナ」の形態には、携帯品の裏側に直接面ファスナが設けられた形態にとどまらず、移動係留体に設けられた接合係止部に面ファスナが設けられた形態もその技術的範疇に含むものである。
＜請求項１６記載の発明の効果＞
請求項１５記載の発明の構成において、携帯品の裏側に移動係留体を着脱自在とする移動係留体取り付け部を設け、前記移動係留体に前記移動係留体取り付け部に着脱自在に取り付けられる携帯品取り付け部を設けてなる携帯補助具を構成していので、
充電時や他の携帯方法とする場合など移動係留体および首掛け手段を携帯品から外すことができるので便利であるという効果を得ることができる。
＜請求項１７記載の発明の効果＞
請求項１６記載の発明の構成において、移動係留体の下方に接合係止部を設け、この接合係止部の裏側に面ファスナを設けてなる携帯補助具を構成しているので、
移動係留体、首掛け手段および面ファスナも携帯品に着脱自在とすることができるという効果を得ることができる。
＜請求項１８記載の発明の効果＞
請求項２〜１７いずれか記載の発明の構成において、保持体吊り部に該保持体吊り部上を移動自在に着衣に係止するため安全ピンやリング付のクリップなどの着衣係止手段を設けてなる携帯補助具を構成しているので、
前記請求項２記載の発明の効果と同様な効果を得ることができるともに、着衣係止手段が備わっており且つ保持体吊り部に取り付けたままにしておくことができりので、購入をしなくてよい、紛失することがないなど、この機能を使いたいとき直ちに使用できるので便利である。
＜請求項１９記載の発明の効果＞
請求項２〜１８いずれか記載の発明の構成において、携帯品保持体あるいは移動係留体に該移動係留体上方に突出した安全ピンやリング付のクリップなどの着衣係止手段に嵌って前記携帯品保持体および保持された携帯品の振れを抑えるための着衣係止手段嵌り部を設けてなる携帯補助具を構成しているので、
着衣係止手段に嵌った着衣係止手段嵌り部が携帯品および携帯品保持体が振れてもそれを抑えるので、携帯品の振れを抑え裏返しを起こさせないという効果を得ることができる。
また、保持体吊り部が細紐の場合には特に安全ピンを使用しての形態では、振れにより細紐が安全ピンの針先端覆い部に入り込んでしまうという問題が生じる危険があるが、着衣係止手段嵌り部の安全ピンのループへの嵌りによりこの現象を起こさせないという効果も奏する。
＜請求項２０記載の発明の効果＞
携帯品を首や着衣から吊る携帯品吊り手段と、この携帯品吊り手段に移動自在に設けられた携帯品保持体と、この携帯品保持体に設けられた安全ピンやクリップなどの該携帯品保持体を着衣に留め置くための着衣留め置き部と、前記携帯品保持体に設けられた携帯電話などの携帯品を簡単に取り外しできる形態で保持するケースや面ファスナやフックやフック掛けや磁石や磁着材などの携帯品取外し自在保持手段とからなり、携帯品を前記携帯品吊り手段に繋いだまま該携帯品を前記携帯品取外し自在保持手段に保持し且つ該携帯品取外し自在保持手段から外して着信通話や腕をある程度延ばしてのボタン操作などの携帯品操作が行えるようにしてなる携帯補助具を構成しているので、
携帯品保持体を着衣の好みの場所に留置き、該携帯品保持体に携帯品を保持して振れを抑えた携帯を実現するという効果を得ることができる。
また、携帯品の荷重は着衣留め置き部により着衣で受けるので首に負担の無い携帯を実現する。
着衣留め置き部は安全ピンが最も好ましい。前開きやボタンのないＴシャツなどの着衣でも使用でき、携帯品吊り手段から外した状態で使用するができる。
＜請求項２１記載の発明の効果＞
請求項１〜２０いずれか記載の発明の構成において、携帯品吊り部に移動自在にパンツと体の間に挟んで抜けないように挟持されるとともに携帯品を引っ張ると簡単に抜き外すことができるパンツばさみを設けてなる携帯保持具をこうせいしているので、
特に、請求項１８、１９、２０に記載の発明において、パンツと身体の間にパンツばさみを入れることにより、携帯品の振れが大変効果的に抑制されるという効果を得ることができる。
具体て例では、パンツばさみ機能を使用しないで階段の上り駆け足で昇る動作を行うと携帯品は激しく振れるが、パンツばさみを挟んだ状態では殆ど振れを生じない軽快な階段登り動作を行えるものである。
＜請求項２２記載の発明の効果＞
携帯電話本体の操作ボタン側の裏側に面ファスナを取り取り付けるための凹部を設け、据え置き型充電器に置いての充電に取り付けた前記面ファスナが障害とならないようにしてなる携帯電話を構成しているので、
前述した携帯補助具の発明の内の面ファスナによる携帯電話の接合保持を実施するにあたり、該携帯電話に面ファスナを取り付けることになるが、このような構成とすることにより、主に据え置き型充電器に置いての充電をしても面ファスナが突出しすぎて障害となることがない形態を実現するという効果を得ることができる。
【発明を実施するための最良の形態】
【０００９】
以下、図面に示す本発明を実施するための最良の形態により、本発明を詳細に説明する。
【００１０】
＜第１の実施の形態＞
図１ないし図３に示す本発明を実施するための最良の第１の実施の形態において携帯補助具１は、携帯者の首に掛けるロープで形成されたループからなる掛け部２、この掛け部２から携帯者の前方に垂れ下げられる掛け部２を形成しているロープからなる一対の携帯品吊り部３とからなる保持体吊り部４の該携帯品吊り部３に取り付けられる携帯電話からなる携帯品５を携帯者の前方に保持するための移動係留体６、透明樹脂部材製板部材で形成された保持体本体７とからなる携帯品保持体８と、
この携帯品保持体８の前方下側に設けられた携帯品５の下方の略半部程度を収納保持し且つ簡単に着脱（簡単に取り外しできる形態で保持する）ができるケース形態の携帯品取外し自在保持手段９と、
保持体本体７の背部側を立ち上げた立上部１０と、
この立上部１０の上方で移動係留体６の直ぐ下方に空けられた携帯品吊り部３を背部側に通すための吊り部材案内部１１と、
携帯品取外し自在保持手段９に収納保持された携帯品５が携帯品取外し自在保持手段９から外れるなどして落下してもその落下を途中で止め且つ携帯品５を手で持ち該携帯品取外し自在保持手段９から外して腕を延ばしきって携帯品５を改札装置などに翳したり撮影操作を制約されることなく行ったりできる長さに伸びる樹脂製の引っ張りコイルバネからなる携帯品吊り部１２と、
この携帯品吊り部１２と松葉１６に繋がれらた携帯品５を携帯品保持体８や携帯品吊り部３から簡単な操作で切り離したり取り付けたりするための嵌合連結式の着脱パーツ１３とからなっている。
面ファスナーが携帯電話を係止したまま剥がれてしまっても、携帯品吊り部により落下が股下あたりで止められ、地面などに激突させることが無い。
保持体吊り部４、着脱パーツ１３、携帯品吊り部１２および松葉１６とで「携帯品取外し自在保持手段に保持された携帯品が該携帯品取外し自在保持手段から外れて落下しても、該携帯品が地面等に落下するのを途中で止める携帯品取付部」を形成している。以下に述べる実施の形態においても「携帯品取外し自在保持手段に保持された携帯品が該携帯品取外し自在保持手段から外れて落下しても、該携帯品が地面等に落下するのを途中で止める携帯品取付部」は単独あるいは幾つかの部材の組合せにより形成されており、その説明は省略する。
【００１１】
移動係留体６は携帯品吊り部３を通す吊り部材通し部（図示せず）を有する体本駒１４と、
この体本駒１４内に可動可能に設けられた前記吊り部材通し部に通された携帯品吊り部３を通す可動通し孔（図示せず）を有する可動駒１５と、
この可動駒１５を常に付勢状態とする圧縮コイルバネなどの付勢手段（図示せず）とからなり、
前記吊り部材通し部と前記可動通し孔に通された携帯品吊り部３が、可動駒１５がフリーの状態では該可動駒５が付勢状態となっているので、前記吊り部材通し部と前記可動通し孔がズレ付勢で携帯品吊り部３を挟持したロック状態とされて携帯品吊り部３上に係留状態となり、可動駒１５を指で押し込むと前記吊り部材通し部と前記可動通し孔は重なって前記ロック状態は解除されて携帯品吊り部３上を殆ど抵抗無く移動させることができるようにしてなるものである。
移動係留体６は保持体本体７の最上部前方に固定されている。
吊り部材通し部は本実施の形態では２通りであるが、１通りでもよくこの場合は本実施の形態では１通りに２本の吊り部材を通すことになる。
【００１２】
携帯品取外し自在保持手段９は透明樹脂製部材で形成しているが、皮のようなすべりが良くて且つソフトな素材がよい。これにより、収納された携帯品が振れてぶつかってもカタカタという音がしないものとすることができ、すべりが良いので出入が行い易いものとなる。透明樹脂部材を使用する場合もこのような材質のものがよい。
【００１３】
携帯品吊り部３と移動係留体６の移動操作が殆ど抵抗無く行え且つ携帯品５を携帯品吊り部３に下げる構成としたことにより、携帯品５を携帯品吊り部３に吊り下げた状態においては、携帯品５の重量により携帯品吊り部３が軽い張り状態となり、移動係留体６を片手のみで上下に移動操作させることが簡単にできる。
これにより、片手のみしか使用できない身障者が、片手のみで首に掛けたり外したり携帯電話を操作することができる装置を実現する、ユニバーサルデザインを実現してなるものである。
すなわち、携帯品５を携帯品吊り部３に下げた状態で掛け部２を片手で首に掛け、移動係留体６を操作して携帯品保持体８を好みの位置に引上げ、携帯品５を携帯品取外し自在保持手段９に収納保持し、携帯品５の操作は携帯品取外し自在保持手段９から携帯品５と取り出し操作し、移動係留体６を操作して携帯品保持体８を引き降ろして掛け部２のループを大きくして首から外す、という操作を実現する。
【００１４】
（発明を実施するための異なる形態）
次に、本発明を実施するための異なる形態について説明する。なお、これら本発明を実施するための異なる形態の説明に当たって、前述してある実施の形態と同一構成部分には同一符号を付して重複する説明を省略する。
【００１５】
＜第２の実施の形態＞
図４に示す本発明を実施するための第２の実施の形態において前記本発明を実施するための第１の実施の形態と主に異なる点は、保持体本体７の前面に縦長の面ファスナーａからなる携帯品取外し自在保持手段１８を設け、保持体本体７の下部に携帯品５の下部をわずかに入れ受け支持する受け支持部１９を設けてなる携帯品保持体２０を形成し、移動係留体６を保持体本体７の背後側に設けてなる携帯補助具２１を形成した点にある。
携帯品５の背部に縦幅の狭い面ファスナーｂ２２を貼り付け、この面ファスナーｂ２２を面ファスナーａからなる携帯品取外し自在保持手段１８に軽く係合するようにして、携帯電話５を携帯品保持体２０に保持して使用する。
受け支持部１９で携帯品５は下がらないように支持されているので、面ファスナーｂ２２の係合は軽い係合状態としても、この係合状態には大きな剥離力が働くことがないので殆ど携帯品５は外れることがない。そして、この軽い係合状態は、携帯品５を携帯品取外し自在保持手段１８から外して使用する場合、片手で移動係留体６の係留状態に影響を与えることなく簡単に外すことができるので、携帯品５の着脱操作性が行いやすいという効果を得るものである。
また、堅固な携帯品を確り握りその手の親指で板材である携帯品保持体の上側か側部側を握った手の親指で押し退けるようにして、親指を面ファスナー同士の間に割り入れ進めて行くことにより、面ファスナー同士の接合部位の接合力の弱い一部分ずつから順次引き離されて行き、携帯品の携帯品保持体からの分離が弱い力で極めて簡単・楽に行える。
【００１６】
＜第３の実施の形態＞
図５に示す本発明を実施するための第３の実施の形態において前記本発明を実施するための第１の実施の形態と主に異なる点は、携帯品５のディスプレイ側２４あるいは操作ボタン側２５を側部がわから支持する爪形態の携帯品取外し自在保持手段２６を両側部に複数設け、保持体本体７の下部に携帯品５の下部を受け支持する受け支持部２７を設けてなる携帯品保持体２８を形成してなる携帯補助具２９を形成した点にある。
【００１７】
＜第４の実施の形態＞
図６ないし図９に示す本発明を実施するための第４の実施の形態において前記本発明を実施するための第１の実施の形態と主に異なる点は、保持体本体７の前面に縦長の面ファスナーａからなる携帯品取外し自在保持手段１８を設け、保持体本体７の下部に携帯品５の下部を支持する受け支持部２７を設けてなる携帯品保持体３２を形成してなる携帯補助具３３を形成した点にある。
携帯品５の操作ボタン側２５の背部に面ファスナーｂ２２を設け、携帯品５を逆さに保持する。
このようにすることにより図７に示すように、着信通話は携帯品５を携帯品取外し自在保持手段１８に保持したままディスプレイ側２４を開き、着信ＯＮボタンを押してそのまま耳に持っていて通話することができる。
また図９においては携帯品吊り部３の下端に衣類を軽く挟持するためのクリップ３６を設けて、片手のみで携帯品保持体３２の上下移動を可能とし且つ着信通話操作などの際の引っ張りで衣類を傷めず簡単にクリップ３６が外れて通話操作などが支障なくできるよぅにしている。
携帯品保持体の上側か側部側を握った手の親指で押し退けるようにして、親指を面ファスナー同士の間に割り入れ下降進めて行くことにより、面ファスナー同士の接合部位の接合力の弱い一部分ずつから順次引き離されて行き、携帯品の携帯品保持体からの分離が弱い力で極めて簡単・楽に行える。
【００１８】
＜第５の実施の形態＞
図１０および図１１に示す本発明を実施するための第５の実施の形態において前記本発明を実施するための第４の実施の形態と主に異なる点は、携帯品５の半分程度の幅の板部材で保持体本体３８を形成し、立上部３９を前方に緩やかに曲がり上がる形態としてなる携帯品保持体４０を形成し、移動係留体６を保持体本体３８の背部側に設けてなる携帯補助具４１を形成した点にある。
図１１に示すように面ファスナーｂ２２を設けたケース４２を携帯品保持体４０に保持することにより、携帯品５には面ファスナーを設けることなく、ケース４２に収納保持して使用できる。
【００１９】
＜第６の実施の形態＞
図１２に示す本発明を実施するための第６の実施の形態において携帯補助具４４は、保持体吊り部４に移動係留自在に取り付けられた、口字形態のバンド掛け部４５を下げ設けてなる移動係留体６、バンド掛け部４５に着脱自在に掛けることができるように着脱嵌合式ボタン４６、４７を備えた掛けバンド４８、この掛けバンド４８を背部に立ち上げてなる皮製のケースからなる携帯品取外し自在保持手段４９とで携帯品保持体５０を形成し、携帯品吊り部３の下端に着脱パーツ１３と、該１３に繋がれた携帯品吊り部１２とを設けてなっている。
携帯品取外し自在保持手段４９の前部には名札やカードなどを付けるための名札等掛け部５１が設けられている。
携帯品取外し自在保持手段４９を簡単に交換できるので、服の色に合わせたものに交換して使用できるなどができる。
【００２０】
＜第７の実施の形態＞
図１３に示す本発明を実施するための第７の実施の形態において携帯補助具５４は、保持体吊り部４に移動係留可能に取り付けられた移動係留体６と、該６の下部に下げられたフック形態の携帯品取外し自在保持手段５５とからなる携帯品保持体５６と、携帯品吊り部３の下端に設けられた着脱パーツ１３と、該１３に繋がれたループワイヤ形態（一般的には松葉と呼ばれているものを含む。）の携帯品取り付け部５８とからなっている。
携帯品５のストラップ取付部５７に携帯品吊り部５６を取り付けて携帯品５を保持体吊り部４の携帯品吊り部３に吊る。
携帯品５に設けられたフック掛け部５９を携帯品取外し自在保持手段５５に掛けて携帯品５を逆さ吊り状態で保持し操作する。
構成部品が少なく安価なものとできる。
携帯品吊り部あるいは保持体吊り部をゴム製部材などの付勢伸縮性部材とすることにより、通常状態では短くても、携帯品５を手に持って腕を延ばしきって該５を改札装置などに翳すなどの操作を姿勢を曲げることなく行うことができる。
【００２１】
＜第８の実施の形態＞
図１４に示す本発明を実施するための第８の実施の形態において前記本発明を実施するための第７の実施の形態と主に異なる点は、移動係留体６の前部に装飾部体６１を設け、この装飾体６１の下部にフックからなる携帯品取外し自在保持手段６２を設けて携帯品保持体６３を形成してなる携帯補助具６４を形成した点である。
携帯品５の背部に携帯品取外し自在保持手段６２にかける掛け部品６５を貼り付け、携帯品５を逆さ吊り状態に保持し使用する。
【００２２】
＜第９の実施の形態＞
図１５に示す本発明を実施するための第９の実施の形態において前記本発明を実施するための第８の実施の形態と主に異なる点は、移動係留体６の前部にベース６８とこのベース６８の上部に突き出しフック形態の携帯品取外し自在保持手段６９を設けてなる携帯品保持体７２を形成し、携帯品吊り部３の下端にワイヤ７０を付勢巻取りしてなるワイヤ巻取り手段からなる携帯品吊り部７１を設け、ワイヤ７０に携帯品取り付け部５８を設けた着脱パーツ１３を設けてなる携帯補助具７３を形成した点にある。
【００２３】
＜第１０の実施の形態＞
図１６に示す本発明を実施するための第１０の実施の形態において前記本発明を実施するための第７の実施の形態と主に異なる点は、移動係留体６の前部に面ファスナーａからなる携帯品取外し自在保持手段１８を設けて移動係留体６とで携帯品保持体７６を形成し、携帯品吊り部３の下部に着脱パーツ１３を設け、着脱パーツ１３に携帯品吊り部１２を設けてなる携帯補助具７７を形成した点にある。
【００２４】
＜第１１の実施の形態＞
図１７に示す本発明を実施するための第１１の実施の形態において携帯補助具８０は、携帯品５の携帯者の首に掛けるループ形態の掛け部２を形成してなる保持体吊り部４と、
この保持体吊り部４に移動自在且つ係留可能に取り付けられた、掛け部２のループの大きさを変えるための移動係留体６と、
保持体吊り部４に固定部８１により固定され設けられた携帯電話などの携帯品５を携帯者の前方に保持するための板材からなる保持体本体８４、この保持体本体８４の前部に貼り付けられた携帯品５を保持し且つ簡単に着脱ができる面ファスナーａからなる携帯品取外し自在保持手段１８、保持体本体８４の下部に設けられた受け支持部２７とからなる携帯品保持体８２と、
この携帯品取外し自在保持手段１８に保持された携帯品５が該携帯品取外し自在保持手段１８から外れるなどして落下してもその落下を途中で止め、且つ、携帯品５を手で持ち該携帯品取外し自在保持手段１８から外して携帯者の胸元から下側で携帯品５を操作できる長さにできる、携帯品５と保持体吊り部４を繋ぐ合成樹脂製の引っ張りコイルバネからなる携帯品吊り部１２と、
この携帯品吊り部１２で連結された携帯品５を保持体吊り部４から簡単な操作で切り離したり取り付けたりするための開閉部付きリング形態の着脱パーツ８３とからなっている。
着脱パーツはクリップ形態のもの着脱パーツ１３などの嵌合連結形態のものなど多様である。
また、携帯品吊り部３を設けてその先方に着脱パーツと携帯品吊り部を設けるのも良い。
【００２５】
＜第１２の実施の形態＞
図１８に示す本発明を実施するための第１２の実施の形態において携帯補助具８６は、携帯品５の携帯者の首に掛けるループ形態の掛け部２を形成してなる保持体吊り部４と、
この保持体吊り部４に移動自在且つ係留可能に取り付けられた、掛け部２のループの大きさを変えるための移動係留体６と、
保持体吊り部４の下部に固定され下げられた携帯品５を携帯者の前方に保持するための保持体本体８７、この保持体本体８７の前部に設けられた上方から顎付き突起を差込保持する嵌込凹部からなる携帯品取外し自在保持手段８８とからなる携帯品保持体８９と、
保持体本体８９の下部に下げ設けた、携帯品取外し自在保持手段８８に保持された携帯品５が該８８から外れるなどして落下してもその落下を途中で止め、且つ、携帯品５を手で持ち携帯品取外し自在保持手段８８から外して腕を延ばしきっての翳し操作などができる長さに延ばせる、携帯品５と保持体吊り部４を繋ぐ合成樹脂製の引っ張りコイルバネからなる携帯品吊り部１２と、
この携帯品吊り部１２で連結された携帯品５を携帯品吊り部１２から外したり取り付けたりするための着脱パーツ１３とからなっている。
携帯品５の背部に顎付き突起９０を取り付け、顎付き突起９０を携帯品取外し自在保持手段８８に嵌合保持させて使用する。
引っ張りコイルバネ以外にゴム紐など伸縮性部材を使用するのもよい。
【００２６】
＜第１３の実施の形態＞
図１９に示す本発明を実施するための第１３の実施の形態において前記本発明を実施するための第４の実施の形態と主に異なる点は、付勢巻取りされるワイヤ７０を有する携帯品吊り部７１を移動係留体６の前部に固定し、ワイヤ７０に着脱パーツ１３を設けてなる携帯補助具９３を形成した点にある。
携帯品吊り部３の下部にはクリップ３６を設けてある。
クリップ３６に変えて磁石や面ファスナーやフックやフック掛け部などの着脱自在の係止部材を設け、衣類の側にこれらの係止部材と係止される部材を設けたクリップやタイピン形態のものなどを取り付けて行うようにするのもよい。
これらの主な目的は、片手のみで移動係留体を自在に上下移動させるためのものである。
【００２７】
＜第１４の実施の形態＞
図２０に示す本発明を実施するための第１４の実施の形態において前記本発明を実施するための第１３の実施の形態と主に異なる点は、移動係留体６と同じ動作形態で１つのロープ通し孔にロープ９６を通してなるロープストッパーからなり、ロープ９６を移動自在且つ付勢ロックする携帯品吊り部９７を移動係留体６の前部に固定し、、着脱パーツ１３をロープ９６に設けた構成の携帯補助具９８を形成した点にある。
携帯品５を携帯品取外し自在保持手段１８から外し手を離し着脱パーツ１３の可動駒１４を押してロープロック状態を解除すると携帯品５は自重で降下する。
９９は抜け防止玉。
【００２８】
＜第１５の実施の形態＞
図２１に示す本発明を実施するための第１５の実施の形態において前記本発明を実施するための第１の実施の形態と主に異なる点は、携帯品吊り部１２に着脱パーツ８３を取り付けた構成とした点にある。
携帯品保持体８は被透明として携帯品取外し自在保持手段９の前部に模様をほどこしている。
【００２９】
＜第１６の実施の形態＞
図２２に示す本発明を実施するための第１６の実施の形態において前記本発明を実施するための第１５の実施の形態と主に異なる点は、携帯品吊り部１２を長めのもにして、着脱パーツ８３を掛け部２に連結し他状態で、移動係留体６を胸あたりに保持して降ろすことなく携帯品５を外して腕を延ばしきって翳し操作や撮影操作が行えるようにした点にある。
【００３０】
＜第１７の実施の形態＞
図２３に示す本発明を実施するための第１７の実施の形態において前記本発明を実施するための第１５の実施の形態と主に異なる点は、携帯品吊り部１２にクリップ形態の着脱パーツ１０２を取り付けた構成とした点にある。
【００３１】
＜第１８の実施の形態＞
図２４に示す本発明を実施するための第１８の実施の形態において前記本発明を実施するための第４の実施の形態と主に異なる点は、上下幅の短い板部材からなる保持体本体１０４、この保持体本体１０４の背部上方に移動係留体６を設け、その下方前側に面ファスナーａからなる携帯品取外し自在保持手段１８を設けて携帯品保持体１０５を形成し、この携帯品保持体０５と、保持体吊り部４と、携帯品吊り部１２、５８と、着脱パーツ１３とで携帯補助具１０７を形成した点にある。
保持体本体１０４には折り部１０８が設けられている。
また、堅固な携帯品を確り握りその手の親指で板材である携帯品保持体の上側か側部側を握った手の親指で押し退けるようにして、親指を面ファスナー同士の間に割り入れ進めて行くことにより、面ファスナー同士の接合部位の接合力の弱い一部分ずつから順次引き離されて行き、携帯品の携帯品保持体からの分離が弱い力で極めて簡単・楽に行える。
【００３２】
＜第１９の実施の形態＞
図２５に示す本発明を実施するための第１９の実施の形態において前記本発明を実施するための第１８の実施の形態と主に異なる点は、携帯品吊り部７１を取り付けた点にある。
【００３３】
＜第２０の実施の形態＞
図２６に示す本発明を実施するための第２０の実施の形態において前記本発明を実施するための第１５の実施の形態と主に異なる点は、着脱パーツ８３を携帯品吊り部３の下端に設け、これに携帯品吊り部１２を潜らせ連結するようにしたものである。
【００３４】
＜第２１の実施の形態＞
図２７に示す本発明を実施するための第２１の実施の形態において携帯補助具１１１は、横幅広棒形態の体本駒１１２、この体本駒１１２の一方の端方に設けられたロープを移動自在に通すロープ通し孔１１９、このロープ通し孔に通されたロープを付勢ロックするための、ロープ通し孔１２０を有する外から指で押す可動駒１１３、この可動駒１１３を体本駒１１２の外側に押し付勢している圧縮コイルバネ１２１とからなる移動係留体１１４と、この移動係留体１１４の下部に下げられた保持体本体１１５と、この保持体本体１１５の前部に設けられた携帯品取外し自在保持手段１８とで携帯品保持体１１６を形成している。
ロープからなる保持体吊り部１１７の一方の側を携帯品吊り部１１８とされて、この携帯品吊り部１１８を移動係留体１１４のロープ通し孔１１９、１２０に通し、保持体吊り部１１７のもう一方の側を移動係留体１１４のもう一方の端方に通し動かないように固定し、これにより掛け部２を形成し該２は携帯品吊り部１１８の移動によりその首掛けループを広げたり狭めたりする。
携帯品吊り部１１８の下端には着脱パーツを介して携帯品５のストラップ取付部に連結されている。
体本駒１１２に固定されてなる保持体吊り部１１７のもう一方の側の垂れ下げられた部位の先端にはイヤホンジャック１２２が設けられ、掛け部２にはイヤホン１２３、１２４が設けられ、イヤホン１２３、１２４とイヤホンジャック１２２は電線により接続されている。
図２７では着脱パーツ８３を用い、携帯品吊り部１１８に設けたリング１２１に掛ける形態としている。さらに携帯品吊り部１２、５８を介して携帯品５が連結されている。
携帯品吊り部１１８が十分に長い場合や、伸縮性部材殻なっている場合は、着脱パーツを介して直接的に携帯品５が連結されるようにするのもよい。この場合、着脱パーツが携帯品吊り部を兼ねる形態となり、このような構成も本発明の技術的範疇に含まれるものである。
携帯品取外し自在保持手段は面ファスナーに限定されず、ケースなどでも良いことは言うまでもない。
【００３５】
＜第２２の実施の形態＞
図２８に示す本発明を実施するための第２２の実施の形態において前記本発明を実施するための第４の実施の実施の形態と主に異なる点は、移動係留体６と、この移動係留体６の前部に立ち下げられた板材からなる保持体本体１２７と、この保持体本体１２７の下部に形成された浅いフック１２８、該１２８の上方側に設けられた面ファスナーａ１２９により形成された携帯品取外し自在保持手段１３０とで携帯品保持体１３１を形成した点にある。
携帯品５の背部にはフック１２８に掛けるための掛け部品１３２を貼り付け、掛け部品１３２には面ファスナーａ１２９に係合される面ファスナーｂ１３３が設けられている。
面ファスナーａ１２９と面ファスナーｂ１３３の係合関係は、引き剥がしが容易であるように、軽い係止となるように、接合面積が小さいか、係止フックが弱い浅いものであるようになっている。
１３４は伸縮性ゴム製部材からなる携帯品吊り部である。
【００３６】
＜第２３の実施の形態＞
図２９に示す本発明を実施するための第２３の実施の形態において前記本発明を実施するための第２２の実施の実施の形態と主に異なる点は、移動係留体６と、この移動係留体６の前部に設けられた深めのフックかなる携帯品取外し自在保持手段１３６とで携帯品保持体１３７を形成した点にある。
携帯品５の低部には携帯品取外し自在保持手段１３６に掛けるための、携帯品５から出入できる掛け部１３８が設けられている。
【００３７】
＜第２４の実施の形態＞
図３０に示す本発明を実施するための第２４の実施の形態において前記本発明を実施するための第１の実施の実施の形態と主に異なる点は、ソフトバンド製部材からなる掛け部１４３に直径３ｍｍの中にゴム紐が入って伸縮性部材からなる長さ略２８０ｍｍ〜３５０ｍｍの一対の携帯品吊り部１４４を下げた保持体吊り部１４５を形成し、携帯品吊り部１４４の下端に着脱パーツ１３のオス型１４１を設け、携帯品５にメス型１４２を設けた構成としたもので、コレラの構成により携帯補助具１４６を形成している。
この場合の着脱パーツ１３は携帯品吊り部を兼ねている。
移動係留体６の携帯品吊り部通し孔は５ｍｍ程度であり可動駒１５を指で押し込んでのロック解除時は抵抗少なくスムーズに移動係留体６を携帯品吊り部３上を移動させることができる。
また、携帯品５を携帯品吊り部１４４に下げた状態にして該携帯品吊り部１１４を張らせ、この状態で移動係留体６を携帯品吊り部１４４の下方を手で引くことなく、上下移動自在とすることができ、この機能により片手のみの操作で首への掛け外しから携帯品の全ての操作を落下の恐れなく行うことを可能とするユニバーサルデザインを実現しているものである。
【００３８】
＜第２５の実施の形態＞
図３１に示す本発明を実施するための第２５の実施の形態において前記本発明を実施するための第２４の実施の実施の形態と主に異なる点は、保持本体７に携帯品５の側部をいれて支持する側部支持爪１４９を中程側部と底部側部を支持する底支持爪１５１を一対ずつ設けた携帯品保持体１５０を形成した点にある。
【００３９】
＜第２６の実施の形態＞
図３２に示す本発明を実施するための第２６の実施の形態において前記本発明を実施するための第２５の実施の実施の形態と主に異なる点は、Ｕの字形態に形状記憶された樹脂製引っ張りコイルバネからなる携帯品吊り部１５３を設けた点にある。
【００４０】
＜第２７の実施の形態＞
図３３に示す本発明を実施するための第２７の実施の形態において携帯補助具１５５は、首掛け部１４３、この首掛け部１４３に下げた一対の携帯品吊り部３、３とからなる首保持体吊り部１５６と、
携帯品吊り部３、３に移動係留自在に取り付けられた移動係留体６と、
この移動係留体６の背部に立ち下げられた板部材からなる保持体本体７と、
この保持体本体７の低部に設けられた携帯品５の底部を合わせる携帯品合わせ部１５７と、
保持体本体７の該７前部に保持した携帯品５の上方側部に位置する部位の側部に設けられた、携帯品５を握った手の親指を当てる指当て部１５８、１５８と、
保持体本体７の前面の上部と下部に設けられた縦幅狭く横幅広い面ファスナーａからなる携帯品取外し自在保持手段１６０、１６０と、
移動係留体６、保持体本体７、携帯品取外し自在保持手段１６０、１６０とからなる携帯品保持体１６１と、
携帯品吊り部３の下部に設けられた着脱パーツ１３のオス型１４１と、
伸びる部分の長さ９０ｍｍで太さ３ｍｍ〜５ｍｍの、内部に伸縮ゴムを入れ外側を網布で覆った略４倍の伸び性のゴム紐からなる伸縮性携帯品吊り部１６２と、
この伸縮性携帯品吊り部１６２の一端に設けられた着脱パーツ１３のメス型１４２と、
伸縮性携帯品吊り部１６２のもう一端に設けられた携帯品取り付け部５８とからなっている。
裏側に縦幅の広い面ファスナーｂ１６３、１６３を設けた携帯品５のストラップ取付部に携帯品取り付け部５８を通し、オス型１４１とメス型１４２を連結して携帯品５を携帯品吊り部３に連結し繋げる。
携帯品５の底部を携帯品合わせ部１５７に当て合わせ、携帯品取外し自在保持手段１６０、１６０に面ファスナー１６３、１６３を押し付け接合係止する。
携帯品５の取り外しは、携帯品５を手で握りその手の親指を指当て部１５８に当て、その親指を携帯品５と保持体本体７の間（携帯品取外し自在保持手段１６０と面ファスナーｂ１６３）間に割り込ませるように押し入れて携帯品取外し自在保持手段１６０と面ファスナーｂ１６３の接合を剥がして行って取り外す。
携帯品５を携帯品保持体１６１に保持した状態において、伸縮性携帯品吊り部１６２は滑らかなＵの字湾曲を描く。
伸縮性携帯品吊り部１６２（携帯品吊り部材）は太３ｍｍが付勢力が弱く且つ携帯電話が下がっても、その重量による伸びはわずかであり、携帯電話を握っての腕を延ばしきっての（伸縮性携帯品吊り部１６２は伸びる）操作が違和感少なくて使用感がよい。
具体的には、伸縮性携帯品吊り部１６２は、携帯品を取り付け吊り下げた状態において、携帯品５が１５０グラム程度の吊り下がり重量でもその伸縮伸びが略３センチ以内であり、携帯品５を手に持っての伸び長さが１５センチ以上であり、携帯品を上げた状態での垂れ下がり携帯がスムーズなＵの字湾曲形態を形成する部材からなるものであるのがよい。
【００４１】
＜第２８の実施の形態＞
図３４に示す本発明を実施するための第２８の実施の形態において携帯補助具１６５は、首掛け部１４３、この首掛け部１４３に下げた一対の携帯品吊り部３、３とからなる首保持体吊り部１５６と、
携帯品吊り部３、３に移動係留自在に取り付けられた移動係留体６と、
この移動係留体６の背部に立ち下げられた板部材からなる保持体本体７と、
この保持体本体７の該７前部に保持した携帯品５の側部から上部位置する部位に、保持した携帯品５の外側に広がるように設けられた、携帯品５を握った手の親指を当てる指当て部１６６と、
保持体本体７の前面に設けられた面ファスナーａからなる携帯品取外し自在保持手段１６７と、
移動係留体６、保持体本体７、携帯品取外し自在保持手段１６７とからなる携帯品保持体１６８と、
携帯品吊り部３の下部に設けられた、  伸びる部分の長さ９０ｍｍで太さ３ｍｍの、内部に伸縮ゴムを入れ外側を網布で覆った略４倍の伸び性のゴム紐からなる伸縮性携帯品吊り部１６２と、
この伸縮性携帯品吊り部１６２の下端に設けられた着脱パーツ１３のメス型１４２と、
着脱パーツ１３のオス型１４１を設けた携帯品取り付け部５８とからなっている。
裏側に縦幅の広い面ファスナーｂ１６９を設けた携帯品５のストラップ取付部に携帯品取り付け部５８を通し、オス型１４１とメス型１４２を連結して携帯品５を携帯品吊り部３に連結し繋げる。
携帯品取外し自在保持手段１６７に面ファスナーｂ１６９を押し付け接合係止する。
携帯品５の取り外しは、携帯品５を手で握りその手の親指を指当て部１６６に当て、その親指を携帯品５と保持体本体７の間（携帯品取外し自在保持手段１６７と面ファスナーｂ１６９）間に割り込ませるように押し入れて携帯品取外し自在保持手段１６７と面ファスナーｂ１６９の接合を剥がして行って取り外す。
指当て部を幅広の形態とし且つ上方にも広げた形態としたので、親指をどこからでも当てることができ当てた際に親指が縁に当たることなく、剥がし外し操作ができるので縁で指を傷つけることがなく、使用者の剥がし操作がし易いところから、親指を当て剥がし外し操作が行える。
指当て部を左右に設け、左手での握りと右手での握りのいずれにも対応できるようにするのが良い。
【００４２】
＜第２９の実施の形態＞
図３５に示す本発明を実施するための第２９の実施の形態において前記第２８の実施の形態と主に異なる点は、移動係留体１７８を横長の１つの紐通し孔１７４を体本駒１７５に設け横長の１つの紐通し孔１７６を可動駒１７７に設けてなる形態のものとし、
移動係留体１７８と一体成形により形成してなる吊り部材案内部１１を有する保持体本体１７９を設け、
この保持体本体１７９に上下に２箇所に面携帯品取外し自在保持手段１６７、１６７を設け、移動係留体１７８とで携帯品保持体１７１を形成している。
保持体本体１７９、面携帯品取外し自在保持手段１６７、１６７、
移動係留体１７８の紐通し孔１７４、１７６に着衣との滑り抵抗の少ない薄い平紐１８０を重ねて通し、ループ形態の首掛け部１８１と、携帯品吊り部１８２を形成してなる保持体吊り部１８３を形成し、
保持体吊り部１８３の下部には着脱パーツ１３のオス型１４１が設けられ、
着脱パーツ１３のメス型には二本のゴム紐１８４、１８５からなる保持体吊り部１８３から外した場合にハンドストラップとして機能する伸縮ストラップ部１７３が設けられ、
ゴム紐１８４、１８５の合わせ下端には携帯品取り付け部５８が設けられ、
携帯品取り付け部５８には面ファスナー１６９を裏側に貼り付けた携帯品５を吊るようになる携帯補助具１７２を形成した点にある。
また、携帯品取外し自在保持手段１６７、１６７のカバー１８６を下げている。
【００４３】
＜第３０の実施の形態＞
図３６に示す本発明を実施するための第３０の実施の形態において前記第２９の実施の形態と主に異なる点は、保持体本体１７９の下部を下方に延長したボタン部位掛かり部１８８を設けて、該１８８に着衣のボタンを入り込ませるボタン縫い止め糸通し掛り部１８９を設けてなる携帯品保持体１９０を形成した点にある。
着衣のボタンをボタン縫い止め糸通し掛り部１８９に嵌め係止することにより、携帯品保持体１９０に保持した携帯品５の前左右への振れを極めて小さいものに抑制できる。
【００４４】
＜第３１の実施の形態＞
図３７に示す本発明を実施するための第３１の実施の形態において前記第３０の実施の形態と主に異なる点は、ゴム紐１８４にオス型１４１を設け、ゴム紐１８５にメス型１４２を設け、携帯品吊り部３の下端にオス型１４１、メス型１４２を設けた点にある。
一方の着脱パーツ１３が外れたり、一方のゴム紐が切れても、一方が繋がっているので落下の危険を少なくでき、安全性を向上させることができる。
また、ゴム紐側のオス型１４１、メス型１４２を連結することにより、ループ形態のハンドストラップを形成することができる。
【００４５】
＜第３２の実施の形態＞
図３８に示す本発明を実施するための第３２の実施の形態において前記第３０の実施の形態と主に異なる点は、掛け部２に着衣の衿を挟持して該衿から携帯品吊り部３および携帯品５の荷重を受けるクリップ３８０、３８１を設け、保持体本体１７９の下部に一体形成により設けた、折目により折畳ができるカバー１９４を設け、該１９４に面ファスナー１６９を設けてなる携帯品保持体１９１を形成した点にある。
カバー１９０で面ファスナー１６７、１６７を覆うことができ、着衣がセーターなどである場合、面ファスナーが引っ掛かるのを防止することができる。
携帯品吊り部３は細い紐（糸）で形成され、これにより着衣のボタンの留め糸に該３を１、２回巻いてその部位に携帯品保持体１９１を降ろし止めることにより、保持した携帯品５の前方と横振れ範囲を小さいものにできる。
【００４６】
＜第３３の実施の形態＞
図３９に示す本発明を実施するための第３３の実施の形態において前記第３０の実施の形態と主に異なる点は、図中（ａ）において携帯品吊り部３の長さを一般的な大人の腕を延ばしたよい長さ（携帯品を股間程度に垂れ下げる程度）とし、着脱パーツ１３さらに設けさらに携帯品取り付け部５８で携帯品５を吊るようにしてなるものである。
図中（ｂ）において、ネックストラップ２００に下げられたデジタルカメラ、オーディオプレイヤー、他の携帯電話などの携帯品２０１であり、該２０１には面ファスナーｂ１６９が設けられている。
図中（ｃ）（携帯者は省略）において、首保持体吊り部１５６を首に掛けて携帯品５は携帯者の着衣の胸ポッケット２０２（着衣の下ポケットもよい）に入れ、ネックストラップ２００を首に掛け携帯品２０１を携帯品保持体１９９に保持している。このよう使い方をすることにより、二台の携帯電話などの携帯品を整理した状態で首に下げ携帯することができる。
【００４７】
＜第３４の実施の形態＞
図４０に示す本発明を実施するための第３４の実施の形態において前記第３３の実施の形態と主に異なる点は、携帯品５の他の吊り形態を３形態で示したものである。
（ａ）携帯品取り付け部５８により直接吊っている。
（ｂ）着脱パーツ８３を携帯品取り付け部５８に取り付け、該５８を携帯品吊り部３に該３を通し連結している。
（ｃ）携帯品吊り部３にフック付勢開閉形態の着脱パーツ１９３を設け、該１９３に携帯品取り付け部５８を掛け下げている。
【００４８】
＜第３５の実施の形態＞
図４１に示す本発明を実施するための第３５の実施の形態において前記第３０の実施の形態と主に異なる点は、移動係留体６の表側にフック側面ファスナー（硬く着衣などを引っ掛ける側）からなる携帯品取外し自在保持手段１９５を設けた点にある。
（ａ）携帯品５を吊り下げた状態。
（ｂ）携帯品５を携帯品取外し自在保持手段１６７、１６８に保持させた状態。
（ｃ）携帯品を５を携帯品取外し自在保持手段１９５に横向きに保持させて状態。首元に動かないように保持できるので、看護士等が患者を持ち上げたりする作業のとき径庭品５が邪魔にならなくて便利である。
（ｄ）首掛け手段１９８に吊るした名札１９６の裏側にループ側の面ファスナーｂ１９７を設け、名札１９６を携帯品取外し自在保持手段１９５の保持させた状態。
携帯品吊り部３は細紐が左右２本２本となっていて、より安全性を高めている。
伸縮ストラップ１７３側で携帯品５の近い下方の部位にロープ１８７が固定あるいは移動自在に設けられ、ロープ１８７には着衣の前立てなどを挟持するクリップ１９２が設けられている。
携帯品５を携帯品保持体１６８に保持して、クリップ１９２で伸縮ストラップ１７３や携帯品取り付け部５８を前立てに止めることにより、携帯品５の下方が振れないようにすることができ、携帯品５の胸元下から臍あたりの下方に携帯品５の下げを振れなく保持した携帯を実現することができる。
クリップ１９２の挟持は、弱く引っ掛かりが無いものがよく、このようにすることにより、携帯品５を取り外して操作する際にクリップ１９２が引っ張られると前立てから簡単に外れる程度のものである。
当然にクリップ１９２の挟持力や形態を挟持した前立てから外れ難いものとするのもよい。
【００４９】
＜第３６の実施の形態＞
図４２に示す本発明を実施するための第３６の実施の形態において前記第３５の実施の形態と主に異なる点は、携帯品５の表側に面ファスナーａ２０３（フック側）を設け、面ファスナーｂ２０４（ループ側）を表裏にそれぞれ設けた名札２０５を紐２０６でかけ首保持体吊り部１５６側に着脱自在に下げ、携帯品保持体１６８に携帯品５を保持させた状態で名札２０５を面ファスナー同士により、くっ付けて留める。
（ａ）名札２０５を吊り下げた状態。
（ｂ）名札２０５を表向きにして携帯品５にくっ付け留めた状態。
（ｃ）名札２０５を表向きにして携帯品５にくっ付け留めた状態。
「名札」には名札そのもの、名札を入れるケースも含まれるものである。
【００５０】
＜第３７の実施の形態＞
図４３に示す本発明を実施するための第３７の実施の形態において前記第３５の実施の形態と主に異なる点は、保持体本体７の下部を少し下方に延長し、この延長部位に面ファスナーａ２０３を設け、面ファスナーｂ２０４（ループ側）を表裏にそれぞれ設けた名札２０５を紐２０６でかけ首保持体吊り部１５６側に着脱自在に下げ、携帯品保持体１６８に名札２０５を面ファスナー同士によりくっ付けて留める。
（ａ）名札２０５を吊り下げた状態。
（ｂ）保持体本体７の面ファスナーａ２０３に名札２０５を表向きで留めた状態。
（ｃ）保持体本体７の面ファスナーａ２０３に名札２０５を裏向きで留めた状態。
（ｄ）携帯品５を外し取り、携帯品取外し自在保持手段１９５に名札２０５を表向きで留めた状態。
【００５１】
＜第３８の実施の形態＞
図４４に示す本発明を実施するための第３８の実施の形態におい２０８は携帯補助具であって、この携帯補助具２０８は一本の平紐でけいせいされる、首に掛ける首掛け部２０９、該２０９から下がる携帯品吊り部２１０とからなる首保持体吊り部２１１と、携帯品吊り部２１０の下端に下げられた名札２１２と、この名札２１２の表下側に設けられた面ファスナーａ２０４と、名札２１２の裏上側に設けられた面ファスナーａ２０４と、携帯品吊り部２１０に上下移動自在且つ摩擦抵抗により名札２１２を下げた程度では下がらない係留状態とる移動係留体２１３と、この移動係留体２１２の表面に設けられた携帯品取外し自在保持手段１６７とからなっている。
（ａ）名札２１２を吊り下げた状態正面図。
（ｂ）名札２１２を吊り下げた状態側面図。
（ｃ）名札２１２を移動係留体２１３に表向きに保持した状態。
（ｄ）名札２１２を移動係留体２１３に裏向きに保持した状態。
移動係留体２１３を上下移動させてその係留部位を自在に変更して好みの高さに、名札を止めることができる。
【００５２】
＜第３９の実施の形態＞
図４５および図４６に示す本発明を実施するための第３９の実施の形態におい２１５は携帯補助具であって、携帯補助具２１５は一本の送信ケーブル２２０から形成された首保持体吊り部２１６と、
この首保持体吊り部２１６を通し該２１６に移動可能に設けられてループ形態の首掛け部２１７を形成する移動係留体１７８、１７８（紐通し孔は円など多様な形態があるし、通すロープも多様な丸太、平紐など多様なものがある）と、
この移動係留体１７８、１７８を保持体本体１７９に固定してなる携帯品保持体１７１と、
送信ケーブル２２０の一方の端に設けられたイヤホン２１８と、
このイヤホン２１８から少し離れて送信ケーブル２２０に設けられたストッパー２２１と、
送信ケーブル２２０の他方の端に設けられたプラグ２１９と、
携帯品５に取り付けられた携帯品取り付け部５８と、
この携帯品取り付け部５８に設けられた着脱パーツ（ここでは移動止め手段として機能）８３とからなっていて、
この着脱パーツ８３にイヤホン２１８側の携帯品吊り部３を通し掛けることによって、携帯品５を携帯品保持体１７１に保持したままイヤホン２１８を引上げ耳に装着等して通話などが行え（図４６）、携帯品５を携帯品保持体１７１から外して腕を延ばしての携帯品５の操作が自在に行え、携帯品５が携帯品保持体１７１から外れて落下したり、手に持って操作中に落下させたりしても、ストッパー２２１に着脱パーツ８３が止められ、落下する携帯品５はイヤホン２１８側の携帯品吊り部３に吊り状態で落下が止められる。
移動係留体１７８、１７８はそれぞれ別操作で通された携帯品吊り部３のロック、ロック解除を操作することができる。携帯品保持体１７１の上下操作はイヤホン側の移動係留体１７８により行う。
着脱パーツ８３を単なるリング（移動止め手段）とするのもよいし、イヤホンを移動と目手段とするのもよい。
【００５３】
＜第４０の実施の形態＞
図４７に示す本発明を実施するための第４０の実施の形態において２２２は携帯品保持体であって、この携帯品保持体２２２は移動係留体２２３と、保持体本体１７９と、携帯品取外し自在保持手段１６７、１６７とからなっている。
この移動係留体２２３は楕円形態（横に幅広の形態であれば長方形などでもよい）の外筐体である本体駒２２４と、この本体駒２２４内に圧縮コイルバネなどの押し付勢手段（図示せず）に押し出し付勢された楕円形態の可動駒２２５と、本体駒２２４に空けられた平紐１８０や細紐を上部から下部に通すための左右上下のそれぞれに設けられた吊り部材通し部２２６、２２６、２２６、２２６と、可動駒２２５に空けられた吊り部材通し部２２６に通される平紐１８０や細紐を上部から下部に通すための左右上下のそれぞれに設けられた吊り部材抑え部２２７、２２７と、本体駒２２４の吊り部材通し部２２６、２２６の間の側壁部位に空けられた抜け防止突起入り孔２２８と、吊り部材抑え部２２７、２２７の間の側壁部位に設けられた抜け防止突起入り孔２２８に入って本体駒２２４に嵌められた可動駒２２５が抜けないようにする抜け防止突起２２９とからなっている。
保持体本体１７９は本体駒２２４と一体成形により立ち下げられる(立ち上げるのもよい)ように設けられている。保持体本体１７９は可動駒２２５と一体成形により設けてなるものもよい。また、接着や溶着、融着になどにより設けるのもよい。
【００５４】
＜第４１の実施の形態＞
図４８に示す本発明を実施するための第４１の実施の形態において前記第４０の実施の形態と主に異なる点は、移動係留体１７８、１７８を保持体本体１７９の上部に横並びに設け、その可動駒１７７、１７７に跨る連結板２３１を該１７７、１７７に固定してなる移動係留体２３２を設けた携帯品保持体２３３を形成した点にある。
【００５５】
＜第４２の実施の形態＞
図４９に示す本発明を実施するための第４２の実施の形態において前記第４０の実施の形態と主に異なる点は、移動係留体を横幅広の本体駒２３５、可動駒２３６からなる移動係留体２３７とし、本体駒２３５の下部から該２３５と一体成形により形成した保持体本体２３８を立ち下げ、吊り部材通し部２２６などの紐通し孔を保持体本体２３８の後方に側にして、平紐１８０が保持体本体２３８の裏側に真直ぐに垂れ下がるようにしてなる携帯品保持体２３９を形成した点にある。
【００５６】
＜第４３の実施の形態＞
図５０に示す本発明を実施するための第４３の実施の形態において前記第４２の実施の形態と主に異なる点は、保持体本体の形態を本体駒２３５の背部から立ち下げ形態とするともに、上方左右を内側に凹ませて平紐１８０を避けるためのくびれ部２４１を形成し、下部に裏側に廻っている平紐１８９の携帯品吊り部３を通し前方に出す紐通し部２４２、２４２、２４５を設けてなる保持体２４３とした携帯品保持体２４４を形成した点にある。
保持体本体２４３の下部側で平紐１８９の携帯品吊り部３の離れ幅を固定しているので、これより下方で平紐同士が絡み難い形態を実現している。
紐通し部２４５は左右の平紐１８０、１８０をまとめて通すもので、平紐１８０をまとめて着衣にクリップで係止するなどのときに使用する．
【００５７】
＜第４４の実施の形態＞
図５１に示す本発明を実施するための第４４の実施の形態において前記第４２の実施の形態と主に異なる点は、保持体本体２３８の下部中央に細紐（糸部材を含む）からなるボタン部位係止手段２４６を設けた点にある。
ボタン部位係止手段２４６を着衣のボタンに１、２回巻き付けることにより携帯品保持体２３９の下方の揺れと前振れを抑え小さいものにでき、当然該２３９に保持した携帯品５の振れを小さいものにできるともに、これにより胸元下方に携帯品５を振れ少なく留め置くことができるという効果を得ることができる。
ボタン部位係止手段には糸上部材、ゴム輪的なものでその収縮付勢力でボタンを挟持するもの、保持体本体に一体成形により設けられたボタンの縫い止め糸等を通してボタン部位を係止する形態のものなど多様な形態や部材があり、これらを全部含むものである。
【００５８】
＜第４５の実施の形態＞
図５２に示す本発明を実施するための第４５の実施の形態において前記第４１の実施の形態と主に異なる点は、保持体本体１７９を可動駒１７７側に設け、連結板２３１に携帯品取外し自在保持手段１６７を設けてなる携帯品保持体２４７を形成した点にある。
携帯品取外し自在保持手段１６７に留め置く携帯品５を収納保持するケースからなる携帯品取外し自在保持手段２４８の形態を示している。
上部開口の携帯品取外し自在保持手段２４８は、防水性の外皮２４９を腰の弱い布製部材などで形成し、その内側にケースの箱形態を形成する厚紙や樹脂製部材などからなる内枠体２５０を設け、外側背部には面ファスナーｂ１６９が設けられ、正面外には面ファスナーａ２０３が設けられ、外皮２４９の背部は上方に延長されて開口部を覆う覆い部２５１を設け、この覆い部２５１の内外にはそれぞれ面ファスナーｂ１６７が設けられている。
通常の使用では覆い部２５１は移動係留体２３２に面ファスナーの係合により開き状態にし、水作業や雨の場合などは面ファスナー２０３に係合させて開口部を覆い状態にして携帯品に水が掛からないようにする。
覆い部２５１を名札にするのもよい。この場合、覆い部に直接設ける、名札を入れる名札ケースを設けるなど多様な形態があり、部材も型崩れしないものや、型崩れを防止する枠材などを設ける。
携帯品取外し自在保持手段２４８の面ファスナーａ２０３に名札を装着するなどもできる。
【００５９】
＜第４６の実施の形態＞
図５３に示す本発明を実施するための第４６の実施の形態において前記第４２の実施の形態と主に異なる点は、移動係留体を横幅広の円筒形態の本体駒２５２、該２５２に横から挿し込まれてなる可動駒２５３らなる移動係留体２５４とした携帯品保持体２５８を形成した点にある。
本体駒２５２には開口円形の吊り部材通し部２５５、２５５が、可動駒２５３には吊り部材抑え部２５６、２５６が設けられている。圧縮コイルバネ２５７。
【００６０】
＜第４７の実施の形態＞
図５４に示す本発明を実施するための第４７の実施の形態において前記第４６の実施の形態と主に異なる点は、移動係留体を横幅広の円筒形態の本体駒２５２、該２５２の左右からそれぞれ挿し込まれてなる可動駒２５９ａ、２５９ｂとからなる移動係留体２６０とした点にある。
【００６１】
＜第４８の実施の形態＞
図５５に示す本発明を実施するための第４８の実施の形態において前記第３９の実施の形態と主に異なる点は、移動係留体を移動係留体２２３形態（紐通し孔は円型）（携帯品保持体２２２）にし、携帯品吊り部３の左右のケーブルから引き紐２６２を引き、該２６２に摘み部材２６３を設けてなる携帯補助具２６４を形成した点にある。
携帯品保持体２２２の上下移動操作は、一方の手で摘み部材２６３を摘み引いて、もう一方の手で移動係留体２２３を摘み押して移動操作する。
【００６２】
＜第４９の実施の形態＞
図５６に示す本発明を実施するための第４９の実施の形態において２７０は携帯補助具であって、この携帯補助具２７０はループからなる首掛け部２７１と、この首掛け部２７１から携帯者の身体前に垂れ下がる携帯品吊り部３と、携帯品吊り部３と首掛け部２７１とからなる一本ないし一連の紐体である保持体吊り部２７５と、携帯品吊り部３の下方に設けられた携帯品を吊るためのあるいは携帯品を吊ってなる携帯品吊り部２７６と、この携帯品吊り部２７６あるいは携帯品側に設けられた携帯品吊り部３を挟持するための携帯品吊り部挟持手段２７３とからなっている。
より具体的には、携帯品吊り部３の携帯品吊り携帯品吊り部２７６に名札入れからなる携帯品２７２が設けられ、この携帯品２７２の背部には長めのクリップからなる携帯品吊り部挟持手段２７３が設けられた構成となっている。
携帯品吊り部挟持手段２７３で携帯品吊り部３の２本を挟持して該３上の好みの高さ位置に携帯品２７２を留め置くことができる。
このような形態としても、携帯品を好みの高さ位置に係留して携帯し、外して自在に携帯品を操作することができ、手から落とすなどしても地面等に落下させることの無い携帯補助具を実現する。
（ａ）吊り下げ状態正面図。
（ｂ）吊り下げ状態側面図
（ｃ）携帯品吊り部の高い部位に係留した状態正面図。
（Ｄ）携帯品吊り部の高い部位に係留した状態側面図。
【００６３】
＜第５０の実施の形態＞
図５７に示す本発明を実施するための第５０の実施の形態において携帯補助具２７６はつぎのような構成となっている。
携帯者の首や肩などに掛ける掛け部１４３、この掛け部１４３から下げられる紐、ロープ、ワイヤ、細棒状部材などやこれらの組合せからなる、携帯品５を胸元より高い部位に保持させての携帯を可能とする第１の携帯品吊り部２７７および携帯品５の腕を延ばしきっての操作を可能とする長さの携帯品５を携帯品吊り部２７６、２７６で吊っている第２の携帯品吊り部２７８とからなる保持体吊り部２７９と、
第１の携帯品吊り部２７７に設けられた携帯品５を該２７７の下部より上方に保持するための携帯品保持体２５８と、
この携帯品保持体２５８の保持体本体２３８に設けられた携帯品５を着脱自在に保持するための携帯品取外し自在保持手段１６７、１６７と、
第２の携帯品吊り部２７８の下部からなるあるいは該２７８に設けられた吊り携帯品吊り部材などの携帯品を前記携帯品取外し自在保持手段より下方に吊り状態に保持するための携帯品取り付け部５８と、
携帯品取り付け部５８に設けられ着衣の前立てを挟持するためのクリップ３６と、
携帯品吊り部２７８と携帯品取り付け部５８を連結している着脱自在の着脱パーツ５８と、
第１の携帯品吊り部２７７、２７７の幅を平行に保つバー２８０と、
このバー２８０に下げられたクリップ３６ａとからなっている。
また、掛け部１４３には移動係留体１４７が該１４３を通して設けられ、好みの部位に移動させてロック留めることができる。これにより、移動係留体１４７を掛ける首の後に位置させる形態で、保持体吊り部２７９の長さを自在に調節することができ、携帯者の身体の大きさや好みに合わせた垂れ下げにして使用できる。
（ａ）携帯品５の垂れ下げた状態。
（ｂ）携帯品５を携帯品保持体２３８へ保持した状態。
携帯品５を携帯品保持体２３８へ保持した状態でクリップ３６を着衣の前立てを挟持して係止することにより、携帯品５の下方側の振れを抑えた携帯を実現する。
携帯品５を携帯品保持体２３８から外して操作しても、携帯品保持体２３８は動かなくクリップ３６を外さなくとも携帯品５を自在に操作することができる。
クリップ３６ａを着衣に止めることにより、片手のみでも携帯品保持体２３８の上下移動係留を自在に行うことができ、頭を余裕を持って潜らせるループに片手のみで調節できるので、片手のみで首に掛ける首から外す操作が行えるともに、携帯品保持体２３８の振れを抑制することができる。
【００６４】
＜第５１の実施の形態＞
図５８に示す本発明を実施するための第５１の実施の形態において携帯補助具２８２はつぎのような構成となっている。
携帯者の首や肩などに掛ける掛け部１４３、この掛け部１４３から下げられる紐、ロープ、ワイヤ、細棒状部材などやこれらの組合せからなる携帯品吊り部２７７とからなる保持体吊り部２７９と、
携帯品吊り部２７７に設けた携帯品５を保持するための携帯品保持体１６８と、
この携帯品保持体１６８に設けられた携帯品５着脱自在に保持するための面ファスナーａからなる携帯品取外し自在保持手段１６７、１６７と、
保持体本体７の背部に設けた着衣の前立てに止めるクリップ２８４とからなり、
面ファスナーｂ１６９を設けた携帯品５を一本のロープ紐でループを形成した携帯補助具２００で首から下げ、該携帯品５を携帯品取外し自在保持手段１６７に取り付けたり取り外したりできるようにしてなっている。
携帯補助具２８２、ネックストラップ２００とで携帯補助具２８３を構成している。
【００６５】
＜第５２の実施の形態＞
図５９に示す本発明を実施するための第５２の実施の形態において携帯補助具２８６はつぎのような構成となっている。
携帯者の首や肩などに掛ける掛け部２７１、この掛け部２７１から下げられた携帯品２７２を胸元より高い部位に保持させての携帯を可能とする第１の携帯品吊り部２７７および携帯品２７２を吊り下げた第２の携帯品吊り部２７８とからなる保持体吊り部２８６と、
第１の携帯品吊り部２７７に設けられた携帯品２７２を該２７７の下部より上方に保持するための、保持体本体である移動係留体６、この移動係留体６の正面に設けられた携帯品２７２を着脱自在に保持する携帯品取外し自在保持手段であるクリップ３６とからなる携帯品保持体２８７と、
第1の携帯品吊り部２７８の下端をまとめる用に設けられた摘み部材２６３と、
第２の携帯品吊り部２７８の下端に携帯品吊り部２７６、２７６により取り付けられた携帯品２７２とから構成されている。
【００６６】
＜第５３の実施の形態＞
図６０に示す本発明を実施するための第５３の実施の形態において前記第５１の実施の形態と主に異なる点は、携帯品保持体を携帯品保持体１９０とした携帯補助具２８９を形成した点にある。
携帯品５を吊るネックストラップ２００の半分には送信ケーブル２９０が設けられ、該２９０の下方にはプラグ２１９が上方にはイヤホン２１８が設けられている。
ネックストラップ２００と携帯補助具２８９とで携帯補助具２９１を形成する。
【００６７】
＜第５４の実施の形態＞
図６１に示す本発明を実施するための第５４の実施の形態において２９３は携帯補助具であって、この携帯補助具２９３は携帯品吊り部３、３にストッパー球からなるクリップ滑り止め２９４を適宜な間隔で設け、携帯品取り付け部５８に強い挟持力で長い形態のクリップ２９５を設けてなる携帯補助具２９６を形成している。
クリップ２９５を携帯品吊り部３上の好みの位置に止めることにより、携帯品５を好みの高さ位置に吊り携帯することができ、クリップ滑り止め２９４でクリップ２９５は滑り下降したり外れたりすることが止められて、安定した携帯品の携帯品吊り部上への吊り保持を実現する。
クリップ２９５は携帯品５に取り付けたフリーの紐部材に設けてなるものでもよい。
【００６８】
＜第５５の実施の形態＞
図６２に示す本発明を実施するための第５５の実施の形態において前記第５１の実施の形態と主に異なる点は、携帯品保持体を複数の携帯品の着脱保持を可能とした長さの保持体本体２９７とし、該２９７に携帯品取外し自在保持手段１６７、１６７からなる上携帯品取外し自在保持手段２９８と携帯品取外し自在保持手段１６７、１６７からなる下携帯品取外し自在保持手段２９９を設けてなる携帯品保持体３００としてなる携帯補助具３０１を形成した点にある。
その使用例を図６２で示している。
携帯品５を下げたネックストラップ２００と、音楽プレイヤーやデジタルカメラなどの他の携帯品３０２を下げたネックストラップ３０３と、携帯補助具３０１を首に掛け下げ、上携帯品取外し自在保持手段２９８に携帯品５を止め保持し、下携帯品取外し自在保持手段２９９に他の携帯品３０２を止め保持している。
保持体本体２９７の上携帯品取外し自在保持手段２９８と下携帯品取外し自在保持手段２９９
間には着衣のボタンを通して該ボタンの縫い止め糸等のみが入って、ボタンの引っ掛かりによる携帯品保持体２９７の着衣への係止を行うための着衣係止部２９６が設けられている。
【００６９】
＜第５６の実施の形態＞
図６３に示す本発明を実施するための第５６の実施の形態において前記第５１の実施の形態と主に異なる点は、携帯品吊り部２７７上に携帯品保持体１６８と該１６８と同一形態の携帯品保持体１６８ａを設けてなる携帯補助具３０５を形成した点にある。
携帯品保持体１６８、１６８ａの留め位置を携帯品の形態などに合わせた調節ができる。
【００７０】
＜第５７の実施の形態＞
図６４に示す本発明を実施するための第５７の実施の形態において３０７は携帯補助具であって、この携帯補助具３０７は、
保持体吊り部２７９と、
携帯品吊り部２７７に移動係留可能に取り付けられた、保持体本体を兼ねた移動係留体６、該６の表面に設けられた携帯品取外し自在保持手段１６７、該６の背部に設けられた面ファスナーｂ１６９とからなる携帯品保持体３０８と、
薄板長方形の着衣保持体本体３１０、該３１０の中央に下方を開放させて縦長の設けられた着衣のボタンの縫い止め糸等を入れて着衣保持体本体３１０をボタンにより着衣上に留め置くためのボタン係止部３１１と、着衣保持体本体３１０の表側に設けられた面ファスナーａ２０３とからなる着衣保持体３１２とからなっている。
着衣保持体はこれ自体が発明であり、その権利範囲は「ワイシャツなどの着衣のボタンに着脱自在に留められる着衣保持体本体と、この着衣保持体本体を前記ボタンに着脱自在に係止するためのボタン係止部と、前記着脱保持体本体に設けられた携帯電話などの携帯品を係留保持するための面ファスナーや磁石やケースなどからなる携帯品取外し自在保持手段とからなることを特徴とする着衣保持体。」
【００７１】
＜第５８の実施の形態＞
図６５に示す本発明を実施するための第５８の実施の形態において前記弟４８の実施の形態と主に異なる点は、保持体本体１７９の下端を後方に突出した部位を形成してそこに平紐１８０を通す紐通し孔３１４、３１４を設けた点にある。
【００７２】
＜第５９の実施の形態＞
図６６に示す本発明を実施するための第５９の実施の形態において３１６は携帯補助具であって、
携帯補助具３１６は、
ワイヤを発条により付勢巻取りするワイヤ付勢巻取り手段である移動係留体３１７ａ、３１７ｂと、
この移動係留体３１７ａ、３１７ｂに巻かれたワイヤ３１８ａ、３１８ｂにより形成された携帯品吊り部３１９と、
この携帯品吊り部３１９に繋がれてループに形成されてなる首掛け部１４３と、
首掛け部１４３、携帯品吊り部３１９とで形成された保持体吊り部３２０と、
移動係留体３１７ａ、３１７ｂに固定され下げられた板部材からなる保持体本体３２１と、
この保持体本体３２１の表面に設けられた携帯品取外し自在保持手段１６７、１６７と、
保持体本体３２１、移動係留体３１７ａ、３１７ｂとからなる携帯品保持体３２２と、
保持体本体３２１の下部に設けられた着衣のボタンの縫い糸を通して係止するためのボタン係止部３２３と、
この係止部３２３からボタンが外れないようにするためのゴム紐３２４と、ボタンを係止部３２３に着脱する際に引っ張り伸ばすための摘み部材３２５とからなっている。
摘み部材３２５は着衣のボタンに掛け通して係止し、携帯品保持体３２２および該３２２に保持された携帯品５の下振れを小さく抑え全体としても振れを小さくし、且つ、携帯品５が廻らないようにできる。
移動係留体３１７ａ、３１７ｂの表には巻取り付勢力を解除するための解除ボタン３２６がそれぞれ設けられ、この解除ボタン３２６、３２６は一枚のブッシュ板３２７で連結され、解除ボタン３２６が付勢力により押し出され開放されている状態ではロック状態となって、ワイヤの巻き込みも引出しもできないロックされた状態となり、プッシュ板３２７を押して解除ボタン３２６を押し込むとロックは解除されて、付携帯品保持体３２２を上げると勢力によりワイヤは自動的に巻き取られ、携帯品保持体３２２を下げるとワイヤは引っ張り出される。
これにより、携帯品保持体３２２を好みの高さ位置に自在に係留することができる。
【００７３】
＜第６０の実施の形態＞
図６７に示す本発明を実施するための第６０の実施の形態において３３０は携帯品保持体であってこの携帯品保持体３３０は、
２通の吊り部材通し部２２６を有する上下幅が広い本体駒本３３１と、
この本体駒本３３１の前方下側に付勢力により外側に押し出し付勢されてなる、可動駒側紐通し孔２２７を有する可動駒２３６と、
この可動駒２３６と本体駒本３３１とからなる移動係留体３３２と、
本体駒３３１の下部の本体駒側紐通し孔２２６の背部側に立ち下げられた、ボタン縫い止め糸通し掛り部１８９を有するボタン部位掛かり部１８８と、
可動駒２３６に設けられた携帯品取外し自在保持手段１６７とからなっている。
【００７４】
＜第６１の実施の形態＞
図６８に示す本発明を実施するための第６１の実施の形態において３３６は携帯品保持体であってこの携帯品保持体３３６は、
移動係留体６と、
この移動係留体６を構成する体本駒（本体駒）１４から立ち上げられた立ち上げ部３３７と、
この立ち上げ部３３７の上方と下方（体本駒１４側）に設けられた携帯品取外し自在保持手段１６７とからなっている。
【００７５】
＜第６２の実施の形態＞
図６９に示す本発明を実施するための第６２の実施の形態において３４０は携帯品保持体であってこの携帯品保持体３４０は、
移動係留体６と、
この移動係留体６を構成する体本駒（本体駒）１４から該１４と一体成形により形成立ち下げられた保持体本体３４１と、
保持体本体３４１の移動係留体６の直ぐ下に開けられた携帯品吊り部通し孔１１と、
保持体本体３４１の携帯品吊り部通し孔１１の下方に適宜な間隔を空けて設けられた携帯品取外し自在保持手段１６７，１６７と、
保持体本体３４１の携帯品取外し自在保持手段１６７下方に形成された、着衣の前立て間を横通して該３４１の下方を前立ての内側に侵入させるための前立て避け通し部３４２と、
保持体本体３４１の前立て避け通し部３４２の下方に形成された前立て差し込み部３４３と、
この前立て差し込み部３４３に形成されて着衣のボタンの裏側で該ボタンの縫い止め糸等を通し嵌めるボタン部位掛かり部３４４とからなっている。
前記第３０の実施の形態のものと同様な効果を得るともに、着衣の前立て間に前立て差し込み部３４３を侵入させて着衣の上前立てと下前立てを繋いでいるボタンの縫い止め糸等にボタン部位掛かり部３４４を係止させるものであるので、係止がし易いものである。
また、着衣の上からボタンをボタン部位掛かり部３４４を嵌め係止することもできる。
携帯品保持体３４０と保持体吊り部４とで携帯補助具を形成している。
（ａ）携帯品保持体の正面図。
（ｂ）前立て差込み部を着衣の前立て間に差込みボタン部位掛かり部をボタン部位に係止した状態図。
（ｃ）携帯品を携帯品取外し自在保持手段に保持した状態図（携帯品の携帯品吊り部での吊り状態は省略）。
【００７６】
＜第６３の実施の形態＞
図７０に示す本発明を実施するための第６３の実施の形態において前記第６２の実施の形態と主に異なる点は、ボタン部位掛かり部の形態を嵌め込み形態ではない横掛かり形態からなるボタン部位掛かり部３４６とした携帯品保持体３４７を形成した点にある。
より着衣への取付け取り外しが容易である。
ボタン部位掛かり部３４６は図のように止め縫糸部位が抜け作用時に少し引っ掛かり抵抗をするように凸凹に形成されるのもよいし、直線的でもよいし、下部側側のみに引っ掛かる湾曲や凸部などを設けるなど多様な形態が考えられる。
携帯品保持体３４７と保持体吊り部４とで携帯補助具を形成している。
（ａ）携帯品保持体の正面図。
（ｂ）前立て差込み部を着衣の前立て間に差込みボタン部位掛かり部をボタン部位に係止した状態図。
（ｃ）携帯品を携帯品取外し自在保持手段に保持した状態図（携帯品の携帯品吊り部での吊り状態は省略）。
【００７７】
＜第６４の実施の形態＞
図７１に示す本発明を実施するための第６４の実施の形態において前記第６２の実施の形態と主に異なる点は、ボタン部位掛かり部の形態を嵌め込み形態ではないフック掛け形態からなるボタン部位掛かり部３４９とした携帯品保持体３５０を形成した点にある。
携帯品保持体３５０と保持体吊り部４とで携帯補助具を形成している。
（ａ）携帯品保持体の正面図。
（ｂ）前立て差込み部を着衣の前立て間に差込みボタン部位掛かり部をボタン部位に係止した状態図。
（ｃ）携帯品を携帯品取外し自在保持手段に保持した状態図（携帯品の携帯品吊り部での吊り状態は省略）。
【００７８】
＜第６５の実施の形態＞
図７２に示す本発明を実施するための第６５の実施の形態において３５２は携帯品保持体であってこの携帯品保持体３５２は、
上方の着衣の前立て間に差し込まれる前立て差し込み部３５３と、
この前立て差し込み部３５３に形成された下部開口で縦長の切り抜き形態からなる着衣ボタンの縫い止め糸等を通すボタン部位掛かり部３５４と、
このボタン部位掛かり部３５４の下部に形成された前立てを避けるように通して該３５４の開口をボタン縫い止め糸等の略真上に位置させるための前立て避け通し部３５５と、
この前立て避け通し部３５５の下部に設けられた移動係留体６と、
この移動係留体６の下部に設けられた保持体本体３５６と、
この保持体本体３５６に設けられた携帯品取外し自在保持手段１６７，１６７とからなっている。
前立て差し込み部３５３を着衣の上に置いてボタン部位掛かり部３５４に縫い止め糸を通して直接ボタンに係止することもできる。
携帯品保持体３５２と保持体吊り部４とで携帯補助具を形成している。
（ａ）携帯品保持体の正面図。
（ｂ）前立て差込み部を着衣の前立て間に差込みボタン部位掛かり部をボタン部位に係止した状態図。
（ｃ）携帯品を携帯品取外し自在保持手段に保持した状態図（携帯品の携帯品吊り部での吊り状態は省略）。
【００７９】
＜第６６の実施の形態＞
図７３、図７４および図７５に示す本発明を実施するための第６６の実施の形態において３８５はケース形態の携帯品保持体であってこの携帯品保持体３８５は、前板部３８６と、底板部３８７と、背板部３８８と、側板部３８９、３９０と、側板糊代３９１、３９２と、該側板糊代３９１、３９２を延長してなる携帯品弾性保持部３９３、３９４と、下部糊代３９５、３９６と、背板部３８８を上方に延長してなる背板延長部３９７と、折り畳み箱形態とした場合に背板部３８８から立ち下げられた状態で下部に突出する底板部３８７に抜き形成されたクリップ取付部３９８と、前板部３８６を延長してなる糊代部３９９と、この糊代部３９９を延長してなる掛け部４００を有するカード取付部４０１と、背板延長部３９７の背部に設けられた面ファスナーｂ１６９とからなっている。
差し込まれた携帯電話やデジタルカメラなどの携帯品は、携帯品弾性保持部３９３、３９４に押し当たるので、ガタツクことなく且つ自然には抜けがたい状態に保持される。
点線は折目、実線は切込み線である。４０２はケース本体。
図７５はケースを透明樹脂部材として、カード４０３を収納したもの、カード４０４を収納したものである。
携帯品弾性保持部３９３、３９４で収納したカードは前板部３８６に押し付けられる。
【００８０】
＜第６７の実施の形態＞
図７６に示す本発明を実施するための第６７の実施の形態において４０４は携帯補助具であってこの携帯補助具４０４は、
折り長さ１５０ｍｍの掛け部１４３、長さ３００ｍｍの携帯品吊り部３、長さ２５０ｍｍの伸縮性携帯品吊り部１６２、着脱パーツ１３、携帯品取り付け部５８、伸縮性携帯品吊り部１６２に設けられた該１６２の長さを付勢ロック機構により自在に調節することができる長さ調節手段４０５とからなる保持体吊り部４０６と、
携帯品吊り部３に移動係留自在に取り付けられたボタン部位係り部がストレート形態とした携帯品保持体３４７と、ケース形態の携帯品保持体３８５とからなっている。
４０７はデジタルカメラである。
【００８１】
＜第６８の実施の形態＞
図７７に示す本発明を実施するための第６８の実施の形態において４１０は携帯補助具であってこの携帯補助具４１０は、
掛け部１４３、携帯品吊り部３、クリップ１９２とからなる保持体吊り部４１１と、
携帯品吊り部３に移動係留自在に設けられた携帯電話などの携帯品５を保持するための、横長の１つケーブル通し穴形態の移動係留体４１２（移動係留体１７８と同様な構造）、長方形の保持体本体４１３、携帯品吊り部３のそれぞれのケーブルを通すための二つ穴形態の吊り部材案内部４１４、保持体本体４１３の下部に設けられた携帯品吊り部取付穴４１５とからなる携帯品保持体４１６と、
携帯品吊り部取付穴４１５に通し取り付ける取付ケーブル４１７、該４１７に取り付けられた伸縮性携帯品吊り部１６２、該１６２に取り付けられた着脱パーツ１３、該１３取り付けられた携帯品取り付け部５８とからなる携帯品吊り部４１８とからなっている。
クリップ１９２は着衣の前立てと保持体本体４１３を重ねて挟持できる。
図中（a）は、分離図。
図中（b）は、携帯品吊り部取り付け携帯品吊り下げ状態図。
図中（c）は、携帯品吊り部取り付け携帯品の携帯品保持体への保持状態図。
【００８２】
＜第６９の実施の形態＞
図７８に示す本発明を実施するための第６９の実施の形態において前記弟６８の実施の形態と主に異なる点は、携帯品保持体４２０を保持体本体４２１、移動係留体６、保持体本体４２１の両側部に形成した一対のフックからなる取付ケーブル４１７を掛けるケーブル掛け部４２２、保持体本体４２１の下部に立ち下げた立ち携帯品吊り部４２３、該４２３に固定されたクリップ１９２とから構成されてなるものにした携帯補助具４２４を形成した点にある。
ケーブル掛け部４２２に掛かった取付ケーブル４１７を保持体吊り部４２５を首に掛けたまま簡単に外したり取り付けたりでき、外しても取付ケーブル４１７が携帯品５に取り付けたままであるので、該４１７を手に通して携帯品５の操作が行えるなどのことができる。
【００８３】
＜第７０の実施の形態＞
図７９に示す本発明を実施するための第７０の実施の形態において４２７は携帯品保持体であってこの携帯品保持体４２７は、
主に首に掛け下げるロープなどの携帯品吊り部に移動自在且つ好みの位置に係留することができる移動係留体本６と、
この移動係留体本６の下方に立ち下げられた保持体本体４２８と、
この保持体本体４２８にあけられた吊り部材案内部１１と、
保持体本体４２８に設けられた面ファスナーと付けた携帯品を容易に着脱自在に保持するための携帯品取外し自在保持手段１６７と、
保持体本体４２８の下部に設けられた着衣の上前立て部位を避けるように入れる前立て避け通し部４２９と、
この前立て避け通し部４２９の下部に立ち下げられた、前立て避け通し部４２９に着衣の上前立て部位を入れた状態において、該上前立て部位の内側に入り込まされて前立てボタンの縫い留め糸部位に掛けることができるストレート形態のボタン部位掛け部４３０と、
ボタン部位掛け部４３０の根元形成された凹からなるボタン部位嵌り部４３１とからなっている。
携帯品保持体４２７を略上下移動で抜き差しするだけの簡単操作で前立てへの出入ができる。
本図面は意匠図面であって、点線部分を省略した部分意匠である。
【００８４】
＜第７１の実施の形態＞
図８０に示す本発明を実施するための第７１の実施の形態において前記第６６の実施の形態と主に異なる点は、カード取付部４０１をケース本体４０２の両側部の前部に名刺形のカード４３３を差し込むカード差込部４３４、４３５を設け、下方に差し込み落とされたカード４３３の下方の左右を横に行かないように止めるカード受止め部４３６、４３７が形成されてなる携帯品保持体４３８を形成した点にある。
カード受止め部４３６、４３７は側板部の下部の一部を横抜きに形成しているが、これ以外に底部の糊代部の一部や前部を使用して形成する、ケース全体を一体成形により形成するなどによりけいせいするなど、多様な形態がある。
【００８５】
＜第７２の実施の形態＞
図８１に示す本発明を実施するための第７２の実施の形態において前記第７０の実施の形態と主に異なる点は、ボタン部位掛け部４３０の下部にボタン縫い止め部位の下部に掛かって上がり抜けるのを防止する小フック４４０を設けてなる携帯品保持体４４０を形成した点にある。
本図面は意匠図面であって、点線部分を省略した部分意匠である。
【００８６】
＜第７３の実施の形態＞
図８２に示す本発明を実施するための第７３の実施の形態において４４３は携帯品保持体であってこの携帯品保持体４４３は、
保持体本体４４４、この保持体本体４４４の上部に設けられた移動係留体６、保持体本体４４４の移動係留体６の直下に空けられた吊り部材案内部１１、保持体本体４４の前部に設けられた携帯品取外し自在保持手段１６７、１６７、保持体本体４４の背部に設けられた面ファスナーａ１２９とからなる携帯品保持体本体４４２と、
ボタン部位係止体本４４５、このボタン部位係止体本４４５の上部に形成された固定部４４６、この固定部４４６の前部に設けられた面ファスナーｂ１６９、固定部４４６の下部に形成された着衣の上前立て部位を避けるように入れる前立て避け通し部４２９、この前立て避け通し部４２９の下部に立ち下げられた、前立て避け通し部４２９に着衣の上前立て部位を入れた状態において、該上前立て部位の内側に入り込まされて前立てボタンの縫い留め糸部位に掛けることができるストレート形態のボタン部位掛け部４３０、ボタン部位掛け部４３０の根元形成された凹からなるボタン部位嵌り部４３１、ボタン部位掛け部４３０の下部にボタン縫い止め部位の下部に掛かって上がり抜けるのを防止する携帯品保持体４４０とからなるボタン部位係止体４４７と、
以上の構成からなっている。
携帯品保持体本体４４２にボタン部位係止体４４７は面ファスナーａ１２９と面ファスナーｂ１６９との係着により着脱自在にでき、使用者の好みで取り付けたり外したりできる。
【００８７】
＜第７４の実施の形態＞
図８３に示す本発明を実施するための第７４の実施の形態において前記第７３の実施の形態と主に異なる点は、携帯品保持体本体を保持体本体４４４の前部に面ファスナーａ１２９に変えて上部にロック穴４５０を有する嵌め受け部４５１を設けてなる携帯品保持体本体４５２を形成し、
ボタン部位係止体をボタン部位係止体本４４５の固定部４４６が嵌め受け部４５１に横から嵌込ができる形態とし、固定部４４６の上部にロック穴４５０に嵌り嵌った固定部４４６を抜けないように固定するとともに、押し込むとロックが解除されて抜き取ることができるようにするロック片４５３を有するボタン部位係止体４５４を形成してなる携帯品保持体４５５を形成した点にある。
【００８８】
＜第７５の実施の形態＞
図８４に示す本発明を実施するための第７５の実施の形態において前記第７２の実施の形態と主に異なる点は、移動係留体を移動係留体１７８にして、保持体本体４８の上部に前方の折曲がった移動係留体１７８の紐通し孔１７６を二つ穴形態にするための二穴形成片４５７を設けてなる携帯品保持体４５８を形成した点にある。
【００８９】
＜第７６の実施の形態＞
図８５に示す本発明を実施するための第７６の実施の形態において前記第７５の実施の形態と主に異なる点は、移動係留体１７８を取り付ける部位に、二穴形成片４５７を起こし折上げて形成できるようにした点にある。
【００９０】
＜第７７の実施の形態＞
図８６に示す本発明を実施するための第７７の実施の形態において４６０は携帯補助具であったこの携帯補助具４６０は、
掛け部１４３と、
この掛け部１４３の左側に垂れ下げられる左携帯品吊り部４６１、右側に垂れ下げられる右携帯品吊り部４６２とからなる携帯品吊り部３と、
左携帯品吊り部４６１の長さを好みの長さとすることができる左長さ設定機構である長さ調節手段４０５を小型にした形態の左長さ調節手段４６３と、
右携帯品吊り部４６２の長さを好みの長さとすることができる右長さ設定機構である長さ調節手段４０５を小型にした形態の右長さ調節手段４６４と、
携帯品吊り部３に移動係留できるように設けられた携帯品保持体４４０と、
携帯品吊り部３に繋がれた伸縮性携帯品吊り部１６２と、
伸縮性携帯品吊り部１６２に繋がれた着脱パーツ１３と、
着脱パーツ１３に繋がれた携帯品取り付け部５８とからなっている。
携帯者の体格、着衣などの使用条件に対応させて、掛け部１４３に影響を与えることなく、携帯品吊り部３の長さを自在容易に調節することができる。
調節手段４６３と右長さ調節手段４６４は携帯品吊り部３に移動自在に取り付けられている。
【００９１】
＜第７８の実施の形態＞
図８７に示す本発明を実施するための第７８の実施の形態において前記第７７の実施の形態と主に異なる点は、調節手段４６３と右長さ調節手段４６４を掛け部１４３のそれぞれの端に固定し、左携帯品吊り部４６１と右携帯品吊り部４６２を端を開放した形態で通し、それぞれの端に止め玉４６７を設けてなる携帯補助具４６８を形成した点にある。
【００９２】
＜第７９の実施の形態＞
図８８に示す本発明を実施するための第７９の実施の形態において前記第７７の実施の形態と主に異なる点は、長さ調節機構を掛け部１４３の両端に固定した着脱パーツ８３と同じものである右側調節手段４７０、左側調節手段４７１と、左携帯品吊り部４６１と右携帯品吊り部４６２に適宜な同間隔で取り付けた調節リング４７２ａ、４７２ｂ、４７２ｃで形成してなる携帯補助具４７３を形成した点にある。
【００９３】
＜第８０の実施の形態＞
図８９に示す本発明を実施するための第８０の実施の形態において前記第７７の実施の形態と主に異なる点は、コード噛把持部付きのコードストッパーである左側調節手段４７６、右側調節手段４７７を掛け部１４３のそれぞれの端方を噛把持して固定し、左携帯品吊り部４６１と右携帯品吊り部４６２を端を開放した形態で通し、それぞれの端に止め玉４６７を設けてなる携帯補助具４７８を形成した点にある。
【００９４】
＜第８１の実施の形態＞
図９０に示す本発明を実施するための第８１の実施の形態において４８０は携帯補助具であってこの携帯補助具４８０は、
掛け部４８１、携帯品吊り部４８４（左側携帯品吊り部４８２、右側携帯品吊り部４８３とからなる）とが一本のコードからなる保持体吊り部４８５を形成し、左側携帯品吊り部４８２、右側携帯品吊り部４８３を折って１つ穴形態のコードストッパーである左長さ調節手段４８６と右長さ調節手段４８７を設けた構成となっている。
【００９５】
＜第８２の実施の形態＞
図９１に示す本発明を実施するための第８２の実施の形態において４９０は携帯補助具であったこの携帯補助具４９０は、
掛け部１４３と、
この掛け部１４３の左右に設けられた左側連結コード４９１、右側連結コード４９２と、
左側連結コード４９１、右側連結コード４９２に結びあるいは連結具により繋がれる左携帯品吊り部４６１、右携帯品吊り部４６２とからなっている。
左側連結コード４９１に左携帯品吊り部４６１を、右側連結コード４９２に右携帯品吊り部４６２を、好みの長さになるように結び繋いで使用する。
【００９６】
＜第８３の実施の形態＞
図９２〜図９８に示す本発明を実施するための第８２の実施の形態において５００は携帯補助具であってこの携帯補助具５００は、幅１０ｍｍの平紐からなる首に掛ける掛け部５０１と、この５０１の両先端に取付けられた安全パーツ雌型５０２、５０２と、１．５ｍｍ太さのロープ紐からなる携帯品吊り部５０３と、この５０３の両端に取付けられた安全パーツ雌型５０２に嵌合する安全パーツ雄型５０４、５０４と、二つ折りにされた携帯品吊り部５０３の下げ端に安全パーツ雌型５０２により連結された幅６．５ｍｍの平ゴム紐からなる伸縮性携帯品吊り部５０５と、この５０５のも一方の先端に安全パーツ雄型５０４により連結された着脱パーツ５０６と、この着脱パーツ５０６に取付けられた通称松葉からなる携帯電話５等を直接吊る部位である携帯品取り付け部５８と、携帯品吊り部５０３に移動自在で且つ好みの位置にロックして停止させることができ、保持体本体４２８の左右に掛け部５０７、５０７を設けた携帯品保持体４４０と、携帯品吊り部５０３の一方の側に移動可能且つ係止可能に設けられたスプリングフックからなるもう一方の携帯品吊り部側を掛けて、携帯品吊り部５０３の吊り形態が左右に広がらない略一本の紐形態と同じ負うな形態となるようにするための合せ掛け手段５０８と、掛け部５０３の左右に設けられた名札ケースを下げるための安全パーツ雌型５０２、５０２とからなっている。
安全パーツ雌型５０２と安全パーツ雄型５０４は嵌合連結した状態では、略２ｋｇの引張り負荷かがかかると外れるものである。
名札ケース５０２には名札ケースを手に持って繋いだまま腕を延ばしたり縮めたり好みの位置に下げたりするために巻きコードパーツ５０９を取付けられるようになっている。
合せ掛け手段５０８で携帯品吊り部同士を合わせた状態となり、ネクタイの下にした場合は、ネクタイで携帯品吊り部を殆どマスクして、目立たなくすることができる。
【００９７】
＜第８４の実施の形態＞
図９９に示す本発明を実施するための第８４の実施の形態において５１２は携帯品保持体であって、この携帯品保持体５１２は前記第７２の実施の形態の携帯品保持体４４３をベースとして、保持体本体４２８に可動駒１５とフック面ファスナー部５１３を該４２８と一体成形により設け、抑え部５１４を上方に延長して伸縮性携帯品吊り部５０５を掛けるための紐掛け保持部５１５を設け、抑え部５１４の対向側に突出してなる抑え部５１６を設け、前立て避け通し部４２９の根元部位を肉厚にしてなる肉厚部５１７を設け加えた構成としている。５１８はスプリング。
抑え部５１３、５１６をは保持した携帯電話を剥がし取るときに、この抑え部５１３、５１６を他方の手で指で抑える、あるいは携帯電話を掴んだ手の指で抑えるもので、これにより、面ファスナーに保持された携帯電話を軽快に剥がし外すことができる。
紐掛け保持部５１５は伸縮性携帯品吊り部５０５を掛けるための部位であり、これにより伸縮性携帯品吊り部５０５が携帯電話の下方に垂れ下がらない状態とできる。紐掛け保持部５１５は口先部位が紐掛け保持部５１５の幅より狭く形成されており、これにより掛け入れた紐掛け保持部５１５が外れないようになっている。携帯電話を外すなどして紐掛け保持部５１５が引っ張られると該５５１は簡単に歪んで紐掛け保持部５１５から外れる。ここに伸縮性携帯品吊り部５０５を平ゴム紐とした効果の一つがある。
肉厚部５１７を設けた効果は次のようなものである。ボタン部位掛け部４３０（脚部）の捩れが生じた場合に前立て避け通し部の根元に集中的に捩れ荷重が掛り、そこから破損が生じる危険があるが、根元部位を肉厚とすることにより強度が著しく強化することができ、保持体本体プレート全体は０．７ｍｍ程度の厚さを変えずに破損しない強靭さを実現する。
特にプレートを打抜により形成するものにおいては、前立て避け通し部の切り口に傷が生じている場合があり、この場合はそこから割れてしまうことが生じやすい。この場合、加熱した鏝（コテ）を根元部位にあて該根元部位を少し溶融して傷のない滑らかな形成口にするとともに肉厚にすることにより実現できる。
保持体本体４２８に可動駒１５とフック面ファスナー部５１３を該４２８と一体成形により設けた構成としたことにより、面ファスナーと移動係留体を貼り付ける工程を無くすことができるので、これらが剥がれる危険がなく、見た目も綺麗な形態を実現し、低コストを実現する。
【００９８】
＜第８５の実施の形態＞
図１００に示す本発明を実施するための第８５の実施の形態において前記第８４の実施の形態と主に異なる点は、移動係留体を別体としこれを保持体本体４２８に着脱自在とした携帯品保持体５２４を形成した点にある。
具体的には、移動係留体５２０は体本駒１４と、可動駒１５と、体本駒１４の背部に該１４より幅広形態で接着や一体成形により設けられた、下部から上部に貫通した嵌合孔を有してなる嵌合止め部５２１とからなっている。
保持体本体４２８の上部には移動係留体５２０を止めるための、嵌合止め部５２１に嵌る嵌り突起部５２２が設けられ、フック面ファスナー部５１３が表裏にそれぞれ設けられている。５２５はループ面ファスナー。
面ファスナーや移動係留体の貼り付け作業を無くすことができるとともに、移動係留体５２０の向きを変えた操作で簡単に男性使用、女性使用に切り替えることができる。また、他の形態、機能の違う保持体本体を取り替えて使用することなども可能とする。
【００９９】
＜第８６の実施の形態＞
図１０１に示す本発明を実施するための第８６の実施の形態において前記第８４の実施の形態と主に異なる点は、保持体本体４２８の移動係留体を設けるの表裏にそれぞれフック面ファスナー５２８を該４２８と一体成形により設け、移動係留体６の背部にループ面ファスナー５２７を設けた携帯品保持体５２９を形成した点にある。
【０１００】
＜第８７の実施の形態＞
図１０２に示す本発明を実施するための第８７の実施の形態において前記第８４の実施の形態と主に異なる点は、保持体本体４２８に移動係留体を設けない構成として、直接に携帯品吊り部５０３により保持体本体４２８を吊る形態とし、保持体本体４２８のフック面ファスナー５１３の下部位に伸縮性携帯品吊り部５０５を取付ける打抜孔からなる吊り部材取付け部５３２を設け、該５３２に伸縮性携帯品吊り部５０５を設けた構成の携帯品保持体５３３とし、携帯品吊り部５０３の左右にそれぞれ外５１３の長さを調節する長さ調節手段５３４を設けた携帯補助具５３５を形成した点にある。
掛け部５０７、５０７に胴巻き紐具５４０を取り付けての使い方について説明する。
胴巻き紐具５４０は携帯品携帯者の胴に巻く胴巻き紐部材５４１と、この５４１の両先端にそれぞれ設けられた着脱パーツ５０６、５０６と、胴巻き紐部材５４１の長さを調節する長さ調節パーツ５４２、５４２とからなっている。
一方の着脱パーツ５０６を一方の掛け部５０７に掛け、胴巻き紐部材５４１を胴に回し他方の着脱パーツ５０６を他方の掛け部５０７に掛け、長さ調節パーツ５４２、５４２で胴にフィットするように胴巻き紐部材５４１の長さを絞め具合を調節する。
これにより携帯品保持体５３３および外５３３に保持された携帯品５は前方にも左右にもその振れが大きく抑制される。
掛け部５０７、５０７は穴、ループ、面ファスナーなど多様な形態がある。
【０１０１】
＜第８８の実施の形態＞
図１０３に示す本発明を実施するための第８８の実施の形態において前記第２８の実施の形態（図３４）と主に異なる点は、携帯品保持体の形態を保持体本体７の移動係留体６の上方に当る部位に、ワイシャツの前開きの前立て内側に差し込みそのボタン縫い止め糸に掛ける差込掛り部５５０を形成し、この差込掛り部（着衣係止手段）５５０に前立てを横から避け通す前立て避け通し部５５１を設け、この前立て避け通し部５５１に連絡して上方に延び形成されたボタン縫い止め糸を通し該ボタン縫い止め糸にかかるボタン部位垂れ掛り部（着衣係止手段）５５２を設けてなる携帯品保持体５５３とした携帯補助具５５４を形成した点にある。
携帯品保持体５５３は移動係留体６を設けない形態とした別保持体として使用する形態もよい。
【０１０２】
＜第８９の実施の形態＞
図１０４に示す本発明を実施するための第８９の実施の形態において前記第８８の実施の形態（図１０３）と主に異なる点は、携帯品保持体の形態を移動係留体６を携帯品保持体５５３の携帯品取外し自在保持手段１６７が設けられた裏側部位に設けてなる携帯品保持体５５７とし、この携帯品保持体５５７に先端にクリップ５５８を設けた携帯品案内紐５５９を取り付け、この携帯品案内吊り紐５５９に移動自在のリング５６０を取り付け、このリング５６０に紐状の携帯品吊り部５６３を設けてなる携帯補助具５６１を形成した点にある。移動係留玉５６２はリング５６０の止まり位置を決めるパーツ。
【０１０３】
＜第９０の実施の形態＞
図１０５に示す本発明を実施するための第９０の実施の形態において前記第８９の実施の形態（図１０４）と主に異なる点は、携帯品保持体５５７の上方表側に前立てを挟持するクリップ５６４を設け、携帯品案内吊り紐５５９の先端を保持体吊り部４の上方に取り付けた形態とした点にある。
【０１０４】
＜第９１の実施の形態＞
図１０６に示す本発明を実施するための第９１の実施の形態において前記第８８の実施の形態（図１０３）と主に異なる点は、携帯品保持体５５３の携帯品取外し自在保持手段１６７が設けられた裏側部位に前立てを挟持するクリップ５６４を設けた点にある。
【０１０５】
＜第９２の実施の形態＞
図１０７に示す本発明を実施するための第９２の実施の形態において前記第８８の実施の形態と主に異なる点は、携帯品保持体を携帯品保持体５６９とした点にある。
携帯品保持体５６９は、略中央に吊り部材案内部１１を有する略四角形のプレートとからなる保持体本体７と、この保持体本体７の下方表側に設けられた携帯品取外し自在保持手段１６７と、保持体本体７の上方の裏側に該７と一方の側部を連絡して設けられたワイシャツの前開きの前たて内側に差し込まれそこのボタン縫い止め糸に掛る差込掛り部（着衣係止手段）５７０と、この差込掛り部５７０の下部から下部を開口して立ち上げられたボタン縫い止め糸を通し該ボタン縫い止め糸に垂れ掛るボタン部位垂れ掛り部５５２とからなっている。保持体本体７と差込掛り部５７０の間には前立てを避け通す隙間からなる前立て避け通し部５７１が形成されている。
【０１０６】
＜第９３の実施の形態＞
図１０８に示す本発明を実施するための第９３の実施の形態において前記第９２の実施の形態と主に異なる点は、携帯品取外し自在保持手段をフック形態の携帯品取外し自在保持手段５７３とした携帯補助具５７５を形成した点にある。携帯品５の方にはフック受け５７４を設ける。
【０１０７】
＜第９４の実施の形態＞
図１０９に示す本発明を実施するための第９４の実施の形態において前記第９２の実施の形態と主に異なる点は、携帯品取外し自在保持手段をケース形態の携帯品取外し自在保持手段５７７とした携帯補助具５７８を形成した点にある。
差込掛り部５７０を上方に延長してその表側にクリップ５６４を設けている。
【０１０８】
＜第９５の実施の形態＞
図１１０、図１１１に示す本発明を実施するための第９５の実施の形態において５８０は携帯補助具であって、この携帯補助具５８０は保持体本体７、この保持体本体７の前後に前立て避け通し部５７１ａ、５７１ｂを形成するように設けられた、それぞれにボタン部位垂れ掛り部５５２を有する差込係り部５７０ａ、５７０ｂ、差込係り部５７０ａ、５７０ｂの表側に設けられた携帯品取外し自在保持手段１６７、１６７とからなる携帯品保持体５８１と、保持体本体７の差込係り部（着衣係止手段）５７０ａ、５７０ｂの上方に突出部位に受けられた移動係留体６と、携帯品吊り部３を兼ねた保持体吊り部４とからなっている。
【０１０９】
＜第９６の実施の形態＞
図１１２に示す本発明を実施するための第９６の実施の形態において５８４は携帯補助具であって、この携帯補助具５８４は保持体本体７、この保持体の上部を下方に折り曲げるようにして、保持体本体７の間にボタンが入るボタン入り隙間５８５を形成し且つそのボタンの縫い止め糸を通しその糸に垂れ掛るボタン縫い止め糸通し掛り部５８６を有する平フック形態のボタン部位掛部５８７、表面に設けられた携帯品取外し自在保持手段１６７とからなる携帯品保持体５８８と、この携帯品保持体５８８の上部表側に設けられた移動係留体６と、携帯品吊り部３を兼ねる保持体吊り部４とからなっている。
【０１１０】
＜第９７の実施の形態＞
図１１３に示す本発明を実施するための第９７の実施の形態において前記第３１の実施の形態（図３７）と主に異なる点は、吊り部材案内部１１に該１１に連絡してなるボタン縫い止め糸通し掛り部１８９ｂを設けてなる携帯品保持体６００を形成し、保持体吊り部４に案内されて自在に移動できる移動フックリング６０１、該６０１に繋がれた紐６０２、該６０２に繋がれた松葉１６とからなる携帯品吊り部６０３を設け、保持体吊り部４に移動可能に保持体本体１７９から移動フックリング６０１を常にある程度話しておくための筒部材などのリング離し部材６０４を設けてなる携帯補助具６０５を形成した点にある。
【０１１１】
＜第９８の実施の形態＞
図１１４に示す本発明を実施するための第９８の実施の形態において前記第８８の実施の形態（図１０３）と主に異なる点は、前立て避け通し部５５１に変えてボタン通し開口６０７を設けてなる携帯品保持体６０８を形成し、保持体吊り部４の下部先端を保持体本体７の下部に取り付け、保持体本体７に松葉（携帯品取り付け部）１６をつけた紐部材からなる携帯品吊り部６０９を設けてなる携帯補助具６１０を形成した点にある。
保持体吊り部４の携帯品保持体６０８の下方部位には、２本の吊り部材を合わせる合わせパーツ６１１を自然移動自在に設けている。
【０１１２】
＜第９９の実施の形態＞
図１１５、図１３５、図１３６に示す本発明を実施するための第９９の実施の形態において前記第２８の実施の形態（図３４）と主に異なる点は、保持体吊り部４と携帯品吊り部３とを兼ねた形態として、携帯品吊り部３の端部に着脱パーツ１３および携帯品取り付け部５８を取り付け、携帯品吊り部３には２本の吊り部材を合わせる合わせパーツ６１１を自然移動自在に設け、この合わせパーツ６１１に指を入れ掛けるリングからなる指掛け部６１２を設けてなる携帯補助具６１３を形成した点にある。
指掛け部６１２に指を掛け携帯品吊り部３および保持体吊り部４を張らせて移動係留体６の上下移動操作を行う。指掛け部６１２に指を掛けるという明確な指示によるので、誰でも迷うことなく簡単に素早く移動係留体６の移動操作が行える。
指掛け部は合わせパーツと一体成形にしてなるものや、フック形態のものや、合わせパーツを大き目のリングにして形成するなどもよい。
図１３５において、指掛け部６１２をパンツばさみとして機能させた例でであり、指掛け部６１２を腰横側に挟み付けて携帯保持体１９９がポケットの下あたりに位置するようにして、携帯品５を保持したている。携帯品５は紐部材７２４にクリップ７０３とオス型１４１を取り付けたハーフストラップ７２５に繋ぎ、前立てにクリップ７０３を止めて落下時には吊り状態で落下を阻止するようになっている。
図１３６において、安全ピン６１９を携帯品を留め置きたい着衣の部位に保持体吊り部４を通して止め置いたものである。好みの部位のどこにでも携帯品を留置くことが可能である。
安全ピン６１９は最初から保持体吊り部４に取り付けて提供するのがよい。
【０１１３】
＜第１００の実施の形態＞
図１１６に示す本発明を実施するための第１００の実施の形態において前記第２８の実施の形態（図３４）と主に異なる点は、保持体本体７の両側部あるいはいずれか一方の延長させて、ボタン部位に垂れかけたり、衣類に着けた安全ピンに垂れかけたりするための垂れ掛け部位６１５を設けた携帯品保持体６１６を形成し、保持体吊り部４に保持体吊り部吊り長さ調節手段６１７設けてなる携帯補助具６１８を形成した点にある。６１９は安全ピン。
【０１１４】
＜第１０１の実施の形態＞
図１１７に示す本発明を実施するための第１０１の実施の形態において前記第２８の実施の形態（図３４）と主に異なる点は、移動係留体の形態を下部に吊り部材通し部２２７を覆うように中空状の吊り部材囲い部６２０を有する移動係留体６２１に形成し、吊り部材囲い部６２０は携帯品保持体６２２でもあって、携帯品保持体６２２の裏側にクリップ５６４を設け、表側に携帯品取外し自在保持手段１６７を設け、吊り部材通し部２２６に通された保持体吊り部４を吊り部材囲い部６２０を通して下げるようにしてなる携帯補助具６２３を形成した点にある。
本体駒１４と吊り部材囲い部６２０を一体成形により形成するのがよい。
本体駒１４と吊り部材囲い部６２０と携帯品取外し自在保持手段１６７を一体成形により形成するのがよい。
さらに、クリップの軸受を保持体本体に一体成形して、保持体本体をクリップの他方の側とするのがよい。
【０１１５】
＜第１０２の実施の形態＞
図１１８に示す本発明を実施するための第１０２の実施の形態において前記第１０１の実施の形態（図１１７）と主に異なる点は、クリップの形態を後方に突出しない形態の平らクリップ６２５とした点にある。
【０１１６】
＜第１０３の実施の形態＞
図１１９、図１２０に示す本発明を実施するための第１０３の実施の形態において前記第９６の実施の形態（図１１２）と主に異なる点は、移動係留体を吊り部材通し部が１通り形態の移動係留体６２７とし、この移動係留体６２７に一本の長紐部材で一方の端にクリップ６２８を設け他方の端に松葉１６を設けた保持体吊り部４と携帯品吊り部３を兼ねた吊り体６２９を通してなる携帯補助具６３０を形成した点にある。
【０１１７】
＜第１０４の実施の形態＞
図１２１に示す本発明を実施するための第１０４の実施の形態において前記第７２の実施の形態（図８１）と主に異なる点は、保持体本体４２８の上部にカード収納ケース６３２を設けてなる携帯補助具６３３を形成した点にある。
透明ケースのカード収納部は表面裏面の両面にある。
本実施の形態では、移動係留体６および保持体つり部４は一体化されて移動係留体６の裏側には粘着剤６３４が設けられ、携帯品取外し自在保持手段１６７の裏側にも粘着剤６３４が設けられていて、使用者が性別により取り付ける面を選んで貼り付けるようにしている。
【０１１８】
＜第１０５の実施の形態＞
図１２２に示す本発明を実施するための第１０５の実施の形態において前記第９９の実施の形態（図１１５）と主に異なる点は、吊り部材案内部１１に変えて、保持体つり部４を携帯品５の真後ろでない横にずらしたところに垂らす（位置させる）、携帯品の保持部位から横に突出した部位となる吊り部材横案内部６３６を設けてなる携帯品保持体６３７を形成してなる携帯補助具６３８を形成した点にある。
【０１１９】
＜第１０６の実施の形態＞
図１２３〜図１２５に示す本発明を実施するための第１０６の実施の形態において前記第９９の実施の形態（図１１５）と主に異なる点は、カード収納ケース６４０と別保持体６４１を添付してなる携帯補助具６４２を形成した点にある。
カード収納ケース６４０は透明ケース本体６４３と、この透明ケース６４３の裏側に該６４３から上方に突き出す長さで設けられた吊りバンド６４４と、この吊りバンド６４４の先端につけられた嵌めボタン６４５ａと、透明ケース本体６４３の裏側に設けられたこの嵌めボタン６４５ａが嵌る嵌めボタン６４５ｂとからなっていて、吊りバンド６４４を吊り部材裏案内部１１に通して嵌めボタン６４５ａに嵌めボタン６４５ｂを嵌めて止める。
カード収納ケースの裏側に面ファスナｂ１６９を設けるのもよい。また、カード収納ケースを移動係留体ないし携帯品保持体に固定してなるのもよい。
別保持体６４１は別保持体本体６４８と、この別保持体本体６４８の上部を形成する掛け部６４９ａと、別保持体本体６４８の下部を形成する掛け部６４９ｂと、掛け部６４９ａと掛け部６４９ｂの間に形成された携帯品を保持する部位となる保持部６５０と、掛け部６４９ａと保持部６５０の間に形成された前開き衣類の前立てを避け通すための前立て通し部６５１ａと、掛け部６４９ｂと保持部６５０の間に形成された前開き衣類の前立てを通すための前立て通し部６５１ｂと、前立て通し部６５１ａに連絡して該６５１ａから掛け部６４９ａ内に延びるように形成された前開き衣類のボタンのボタン縫い止め糸が入り該縫い止め糸に掛かるボタン縫い止め糸掛り部６５２ａと、前立て通し部６５１ｂに連絡して該６５１ｂから掛け部６４９ｂ内に延びるように形成された前開き衣類のボタンのボタン縫い止め糸が入り該縫い止め糸に掛かるボタン縫い止め糸掛り部６５２ｂと、掛け部６４９ａ、保持部６５０、掛け部６４９ｂを一体的に連絡してなる連絡部６５３と、別保持体本体６４８の裏側（上部でもよい）に設けられた着衣に刺し留める安全ピン６５４と、裏側に設けられた前立てを挟持するためのクリップ５６４とからなっている。
保持部６５０には携帯品取外し自在保持手段１６７が設けられている。
携帯品保持体１９９に携帯品５を保持した状態のまま、着衣に係止した別保持体６４１に携帯品５を面ファスナを介して保持することもでき、これにより、前後左右の振れを抑えた携帯を実現するとともに、保持体吊り部４の張りを緩めにすることにより携帯品５の荷重を着衣のボタン部位で受けさせて首に負荷の小さい携帯を実現する。
このような携帯を実現するために携帯品保持体１９９の裏側に別保持体６４１に接合する面ファスナを設けるのもよい。
クリップは後述してなる第１３３の実施の形態（図１３２）のクリップ７０３とするのがよい。
【０１２０】
＜第１０７の実施の形態＞
図１２６に示す本発明を実施するための第１０７の実施の形態において６５７は携帯補助具であって、この携帯補助具６５７は保持体本体７と、この保持体本体７の上方に横に間隔をあけて設けた吊り部材通し穴６５８ａ、６５８ｂと、保持体本体７の裏側の吊り部材通し穴６５８ａ、６５８ｂから離れた部位に固定された移動係留体６と、吊り部材通し穴６５８ａ、６５８ｂを通し移動係留体６を通して設けられた保持体吊り部４とからなり、保持体吊り部４の垂れ下がる部位の先端は保持体本体７に固定（固定部位６５９）されている。
保持体本体７は携帯電話や名札やバッジや身分証明物などの携帯品である場合もあるし、面ファスナやケースを設けた携帯品保持体である場合もある。
【０１２１】
＜第１０８の実施の形態＞
図１２７に示す本発明を実施するための第１０８の実施の形態において前記本発明を実施するための第１０７の実施の形態と主に異なる点は、保持体本体７をカードやシートを収納する透明表シートと裏シートからなるケース６７０として、このケース６７０の裏シートに移動係留体６に変えて該裏シートの中ほどに上下に適宜な間隔を空けて二本の切り込みを入れて形成した紐通し部からなる移動係留部６７１を形成してなる携帯補助具６７２を形成した点にある。保持体吊り部４は首掛け手段を形成している
該裏シートの中ほどに左右に適宜な間隔を空けて二本の切り込みを入れて形成した紐通し部からなる移動係留部としてなるものもよい。
イベントなどで配布する極めて安価な上下移動自在で好みの高さ位置に係留できるネームカード入れ形成できる。
[発明]
ネームカードなどを収納する透明表シートおよび裏シートからなるケースと、このケースの上部左右にそれぞれあけられた紐を通すための右紐通し穴、左紐通し穴と、前記裏シートの中ほどに形成された、適宜な上下間隔あるいは左右間隔をあけて形成された二本の切り込みにより形成された被も通し部からなる移動係留部と、首に掛けるループを形成するとともにその一方側を前記右紐通し穴に通され且つ前記移動係留部に通されるとともに、他方側を前記左紐通し穴に通され且つ前記移動係留部に通されてなる首掛け手段とからなり、前記ケースが上下移動自在であるとともに前記首掛け手段の前記左右紐通し部と移動係留部との滑り止め機能により、前記ケースを好みの高さ位置に係留することができるようにしてなることを特徴とする首掛けカードケース。
従来技術は、首掛け手段にカードケースを単に吊るしてなるものであった。
このため、カードケースが歩行動作に伴って大きく振れる、屈むと大きく前方に振れるなど携帯性が大変悪いという欠点があった。
本発明は以上のような従来技術に鑑みてなされたものであって、その目的は、それほどコスト高とならずに、ケースの上下移動自在且つ振れない高さに係留することが簡単にできる首掛けカードケースを提供することを目的としている。
【０１２２】
＜第１０９の実施の形態＞
図１２８に示す本発明を実施するための第１０９の実施の形態において６７５は携帯補助具であって、この携帯補助具６７５は折畳式携帯電話である携帯品５の操作ボタン側２５の裏側の開閉側を上向きにした状態において上方に設けた薄型の移動係留体６と、この移動係留体６に通し設けた首掛け手段６７６と、操作ボタン側２５の裏側の移動係留体６の下方に設けた面ファスナ１６９とからなり、着衣に係止した別保持体６３１に携帯品５を保持することができるようにしてなっている。
着衣側に携帯品を係止することにより、振れの殆どない携帯を実現し、携帯品の荷重を着衣側に掛けることができるので首に負荷の小さい携帯を実現し、着衣側から携帯品を首に吊ったまま外して首掛け手段の長さを自在に調節して携帯品の操作を行うことができ、作業などで携帯品が邪魔になるときは邪魔にならない首元に素早く引上げ係留（一時非難）させることができる。
【０１２３】
＜第１１０の実施の形態＞
図１２９に示す本発明を実施するための第１１０の実施の形態において前記第１０９の実施の形態と主に異なる点は、携帯品５の裏側に移動係留体６を下方からの嵌込形態で着脱自在とする移動係留体取り付け部６７９ａ、６７９ｂを設け、移動係留体６に移動係留体取り付け部６７９ａ、６７９ｂに着脱自在に取り付けられる掛り部６８０を有する携帯品取り付け部６８１を設け、携帯品５の裏側に携帯品側面ファスナ１６９を貼り付ける凹部６８２を設け、該６８２に携帯品側面ファスナ１６９を貼り付けてなる携帯補助具６８３を形成した点にある。
移動係留体取り付け部と携帯品取り付け部の形態には多様な形態がる。例えば、フックとフック掛り開口部の形態、携帯品側に突起が形成されない掛り溝や掛り穴と該掛り溝や掛り穴に嵌るフックの形態などがある。
【０１２４】
＜第１１１の実施の形態＞
図１３０に示す本発明を実施するための第１１１の実施の形態において前記第１１０の実施の形態と主に異なる点は、移動係留体取り付け部６７９ａ、６７９ｂに変えて裏側に粘着剤を有して携帯品に後付けする形態の移動係留体取り付け部６７９ａ、６７９ｂを備えた取り付け板６８５を設け、携帯品取り付け部６８１を下方に延長した形態の面ファスナ取り付け部６８６を形成し、該６８６に携帯品側面ファスナ１６９を設けてなる携帯補助具６８７を形成した点にある。６８８は移動係留部。
【０１２５】
＜第１１２の実施の形態＞
図１３１に示す本発明を実施するための第１１２の実施の形態において前記第１０９の実施の形態と主に異なる点は、縦長のプレートからなる保持体６９０と、該６９０の上方裏側に移動係留体６を設け、保持体６９０の裏側の移動係留体６の下方に携帯側面ファスナ１６９を設け、保持体６９０の表側に粘着剤６９１を設け、該６９１により携帯品に貼り付け固定して使用するようにした携帯補助具６９２を形成した点にある。
粘着剤６９１に変えて保持側面ファスナ１６７を設け、携帯品に携帯側面ファスナー１６９を設けて使用する形態とするのもよい。
【０１２６】
＜第１１３の実施の形態＞
図１３２に示す本発明を実施するための第１１３の実施の形態において６９５は携帯補助具であって、この携帯補助具６９５は保持側面ファスナ１６７（自在保持手段）を備えた携帯品保持体６９６と、この携帯品保持体６９６に設けられた保持側面ファスナー１６７を挟む形態の前開き着衣の前立てを避け通すための前立て避け通し部６９７ａ、６９７ｂと、この携帯品保持体６９６を首から吊るための保持体吊り部６９８と、携帯品保持体６９６の上下に左右間隔をあけてそれぞれ設けられた首に掛ける保持体吊り部６９８を通すための保持体吊り手段取り付け部６９９ａ、６９９ｂ、保持体吊り手段取り付け部７００ａ、７００ｂと、携帯品５を取り付ける松葉やリングなどの携帯品を取り付ける携帯品取付部５８を備えた携帯品吊り部７０１と、携帯品保持体６９６に中央上下にそれぞれ設けられた携帯品吊り部７０１を取り付けるための携帯品吊り手段取り付け部７０２ａ、７０２ｂと、携帯品保持体６９６の裏側に設けられた前立てを挟持して該前立て上に携帯品保持体６９６および該６９６に保持した携帯品５を下降したり外れたりしないように保持するクリップ７０３と、持体吊り手段取り付け部６９９ａ、６９９ｂ、保持体吊り手段取り付け部７００ａ、７００ｂおよび携帯品吊り部７０１に保持体吊り部６９８や携帯品吊り部７０１を取り付け取り外しするための切り込み離し形態の紐通し部７０４と、前立て避け通し部６９７ａの上部に形成された前立て差し込み部７０５ａ、前立て避け通し部６９７ｂの下部に形成された前立て差し込み部７０５ｂとからなり、クリップ７０３の前立ての挟持力は２００グラム位の重さの携帯品を保持して、通常の動作による振れでも容易には外れたり下降したりすることがない強い挟持力であるものである。
クリップの強い挟持力とは強い付勢力により前立てを挟持するもの、強い付勢挟持力ではないが挟持部位の凸凹の布への食い込みと挟持部の挟持状態（閉じ状態）がロックされて容易には開かないことにより容易には外れたり動いたりしないものなどが含まれるものである。
クリップ７０３の強力な前立ての閉じ状態ロックされた挟持と、前立て差し込み部７０５ａおよび前立て差し込み部７０５ｂの前立て内側からの抑えおよび前立て縁の抑えとにより携帯品保持体６９６に保持した携帯品の振れを抑えた安定した保持携帯を実現する。
クリップ７０３は、ベース部７１０と、該７１０の左右に立ち上げ設けられた軸受け板７１１、７１１と、この軸受け板７１１、７１１に設けられたハンドル軸受部７０６、７０６と、ハンドル軸受け部７０６、７０６の後部上方に設けられた挟持爪軸受け部７０７、７０７と、挟持爪軸受け部７０７、７０７に軸支されて開き動作および閉じ挟持動作をする挟持爪７０８と、ハンドル軸受け部７０６、７０６に軸支されて指により上げ回動動作および下げ回動動作するハンドル７０９とからなっていて、ハンドル７０９の腹部位と挟持爪７０８の変形湾曲尻部位は連動していて、ハンドル７０９の下げ回動させると挟持爪７０８の尻部位は押されて閉じ挟持状態となり、ハンドル７０９を下ろし切ると挟持爪７０８はロック状態となり閉じ状態が容易には開かない、挟持爪７０８の歯により布を抑えているがそれは強力な付勢挟持力というより、適当な付勢挟持力とロックにより挟持爪７０８が開かないことによる強い挟持力である。当然のことながら挟持付勢力は布などの挟持物の厚さにより違うことはいうまでもない。
【０１２７】
＜第１１４の実施の形態＞
図１３３に示す本発明を実施するための第１１４の実施の形態において７１３は携帯電話であって、この携帯電話７１３は操作ボタン側７１４の裏側に携帯側面ファスナ１６９を貼り付けるための凹７１５を設けた構成となっている。
このような構成とすることにより、面ファスナ１６９の突出による充電器に置いての充電の障害とならない形態を実現する。
従来、携帯電話に面ファスナを単に貼り付けた技術があるが、これは面ファスナが据え置き型充電器に置いて充電する場合に、面ファスナの突出が障害となって充電できないという欠点があった。
据え置き型充電器においての充電の障害とならない面ファスナの取り付け構造を持つ携帯電話を提供する。
【０１２８】
＜第１１５の実施の形態＞
図１３４に示す本発明を実施するための第１１５の実施の形態において７１７は携帯電話であって、この携帯電話７１７は操作ボタン側の背部に面ファスナ１６７を左右をあけて設けた薄板部材からなる面ファスナ板７１８を、図中下方から差込装着し且つ抜き外すことができる面ファスナ板取り付け部７１９を設けた構成となっている。
７２０ａ、７２０ｂは面ファスナ板７１８の両側を案内支持する支持溝７２１を形成する板支持部である。
このような形態とすることにより、面ファスナの装着を好みにより付けたり付けなかったりできる。
【０１２９】
＜第１１６の実施の形態＞
図１３７に示す本発明を実施するための第１１６の実施の形態において７２７は携帯補助具であって、この携帯補助具７２７は携帯品保持体１９９と、一本の紐部材からなる保持体吊り部４と、保持体吊り部４の片側の移動係留体４の上方に移動自在に設けられたフリーパーツ７２８と、このフリーパーツ７２８に取り付けられた一本の紐部材７２４と松葉５８からなる携帯品吊り部７２９と、保持体吊り部４の下端に設けられたクリップ７０３と、このクリップ７０３と携帯品保持体１９９の間の保持体吊り部４に設けられた、保持体吊り部４の長さを調節することができ、自らも該４上を移動自在で且つ好みの部位に係留することができるい１紐通し穴を有する移動係留体７３０と、移動係留体７３０から出た保持体吊り部４の部分に設けられた指で摘む移動自在のリングからなる摘みパーツ７３１とからなっている。
クリップ７３０でパンツホ縁を挟持し、移動係留体７３０で長さを使用感の良い長さに調節して使用する。
クリップ７３０を設けない形態も有効であり。この場合は移動係留体７３０をパンツばさみ（平らなものがよい）として機能させる。保持体吊り部４を安全ピンに通した状態で着衣の好みの部位に該安全ピンを留め置いた使用形態もよい。
また、保持体吊り部４の先端に固定したり単に移動自在としたパンツばさみを設け、パンツに挟んだりベルトに巻きつける等して使用す形態もよい。
【０１３０】
＜第１１７の実施の形態＞
図１３８に示す本発明を実施するための第１１７の実施の形態において前記本発明を実施するための第９９の実施の形態（図１１５、図１３５、図１３６）と主に異なる点は、携帯品保持体１９９に移動係留体６上方に突出した安全ピン６１９（着衣係止手段）に嵌って携帯品保持体１９９および保持された携帯品５の振れを抑えるための着衣係止手段嵌り部７３４を設け、安全ピン６１９を保持体吊り部４に移動自在に設けてなる携帯補助具７３５を形成した点にある。
【０１３１】
＜第１１８の実施の形態＞
図１３９に示す本発明を実施するための第１１８の実施の形態において７３７は携帯補助具であって、この携帯補助具７３７は携帯品５を首や着衣から吊る掛け部１４３、吊り紐７３８、該７３８の先端に付けた松葉５８を有する着脱パーツ１３とからなる携帯品吊り手段７３９と、この携帯品吊り手段７３９に移動自在に設けられた携帯品保持体７４０と、この携帯品保持体７４０に設けられた安全ピンからなる携帯品保持体７４０を着衣に留め置くための着衣留め置き部７４１と、携帯品保持体７４０に設けられた携帯品５を簡単に取り外しできる形態で保持する保持側面ファスナからなる携帯品取外し自在保持手段７４２と、吊り紐７３８に移動自在に取り付けられたパンツばさみ７４３とからなっていて、携帯品５を携帯品吊り手段７３７に繋いだまま携帯品５を携帯品取外し自在保持手段７４２に保持し且つ携帯品取外し自在保持手段７４２から外して着信通話や腕をある程度延ばしてのボタン操作などの携帯品操作が行えるようにしてなっている。
【０１３２】
＜第１１９の実施の形態＞
図１４０に示す本発明を実施するための第１１９の実施の形態において前記本発明を実施するための第１０３の実施の形態（図１１９、図１２０）と主に異なる点は、保持体吊り部４に着衣留め置き部７４１を移動自在に設け、ボタン部位掛部５８７を設けずに保持体本体７の上部を延長して移動係留体６の上方に突出させて形成した着衣留め置き部７４１に嵌る着衣係止手段嵌り部７３４を設けてなる携帯品保持体７４８を形成し、この着衣係止手段嵌り部７３４の上部に着衣留め置き部７４１から抜けるのを防ぐ左右横に突出した抜け止め部７４６を設けてなる携帯補助具７４７を形成した点にある。
【０１３３】
[付記]
[クレーム１]
携帯電話などの携帯品を簡単に着脱自在できるように保持するケースや面ファスナーやフックや磁石などの携帯品取外し自在保持手段を有する携帯品保持体を首や肩から下げ、
前記携帯品を首や肩から身体に吊り下げ状態とし、
前記携帯品を前記携帯品取外し自在保持手段に簡単に着脱操作でき、該携帯品を該携帯品取外し自在保持手段から外して手に持ち操作する場合にも、該携帯品が首や肩から吊り状態のままで操作できるようにしてなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなることを特徴とする携帯品の携帯方法。
[クレーム２]
携帯品保持体や保持体吊り部の垂れ下がり部位に着衣側に係止するためのクリップや安全ピンやボタン部位掛手段などの着衣係止部を設けて、該着衣係止部を携帯者の着衣に係止することにより、携帯品保持体に保持した携帯品が振れ動くのを抑制するようにしてなることを特徴とするクレーム１記載の携帯品の携帯方法。
[クレーム３]
携帯品保持体を上下に自在に移動させて好みの位置に係留させることができる移動係留体あるいは移動係留体を設けてなる構成であって、携帯品を好みの高さ位置に保持できるようにしてなることを特徴とするクレーム１、２いずれか記載の携帯品の携帯方法。
[クレーム４]
首や肩に掛けた保持体吊り部の携帯品を吊り状態にした長さが、携帯者が該携帯品を手に持ち、その腕を略延ばしきって自在に該携帯品の操作を行うことができる長さあるいはその長さに伸びる等するものであることを特徴とするクレーム１、２、３いずれか記載の携帯品の携帯方法。
[クレーム５]
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
この携帯品取外し自在保持手段に保持された携帯品が該携帯品取外し自在保持手段から外れて落下しても、該携帯品が地面等に落下するのを途中で止める携帯品取付部とからなることを特徴とする携帯補助具。
[クレーム６]
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
前記携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなることを特徴とする携帯補助具。
[クレーム７]
携帯者の首や肩などに掛ける掛け部、この掛け部から下げられる紐、ロープ、ワイヤ、細棒状部材などやこれらの組合せからなるの第１の携帯品吊り部および第２の携帯品吊り部とからなる保持体吊り部と、
前記第１の携帯品吊り部に設けられた携帯電話などの携帯品を該第１の携帯品吊り部の下部より上方に保持するための携帯品保持体と、
この携帯品保持体に設けられた前記携帯品を保持し該携帯品の着脱操作が簡単にできるケースや面ファスナーやフックや磁石などの携帯品取外し自在保持手段と、
前記第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなることを特徴とする携帯補助具。
[クレーム８]
携帯者の首や肩などに掛ける掛け部、この掛け部から下げられる紐、ロープ、ワイヤ、細棒状部材などやこれらの組合せからなるの第１の携帯品吊り部とからなる第１の保持体吊り部と、
前記第１の携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
携帯者の首や肩などに掛ける掛け部、この掛け部から下げられる紐、ロープ、ワイヤ、細棒状部材などやこれらの組合せからなるの第２の携帯品吊り部とからなる第２の保持体吊り部と、
前記第２の携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなることを特徴とする携帯補助具。
[クレーム９]
携帯者の首や肩などに掛ける掛け部、この掛け部から下げられる紐、ロープ、ワイヤ、細棒状部材などやこれらの組合せからなる第1の携帯品吊り部とからなる保持体吊り部と、
前記第1の携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
前記携帯品保持体から下げられた第２の携帯品吊り部と、
この第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなることを特徴とする携帯補助具。
[クレーム１０]
携帯品を携帯品吊り部に簡単な操作で切り離したり連結したりするための着脱パーツを設けてなることを特徴とするクレーム５、６、７、８、９いずれか記載の携帯補助具。
[クレーム１１]
携帯品を吊る部位の一部ないし全部が携帯品を持った手を略腕を延ばしきって該携帯品の操作が行える長さに伸びる樹脂スプリングやワイヤ付勢巻取り装置やゴム紐などの伸縮性部材であることを特徴とするクレーム５〜１０いずれか記載の携帯補助具。
[クレーム１２]
携帯品保持体を上下に自在に移動させて好みの位置に係留させることができる移動係留体あるいは移動係留体を設けてなる構成や移動係留体を設けたものであることを特徴とするクレーム５〜１１いずれか記載の携帯補助具。
[クレーム１３]
移動係留体が、
携帯品吊り部を通す固定通し孔を有する体本駒と、
この体本駒内に可動可能に設けられた可動駒と、
この可動駒を常に付勢状態とする付勢手段とからなり、
前記固定通し孔と通された前記携帯品吊り部が、前記可動駒がフリーの状態では該可動駒が付勢状態となっているので、前記固定通し孔と前記可動駒がズレ付勢で前記携帯品吊り部を挟持したロック状態とされて前記携帯品吊り部上に係留状態となり、前記可動駒を指で押し込むと前記固定通し孔と前記可動とによる前記携帯品吊り部の前記ロック状態は解除されて前記携帯品吊り部上を殆ど抵抗無く移動させることができるようにしてなるものであることを特徴するクレーム１２記載の携帯補助具。
[クレーム１４]
携帯品保持体にストラップ取付部を下方にして携帯品を保持した状態において、携帯品の下方側に形成される携帯品吊り部から携帯品吊り部にかけての垂れ形態が折れ部位を形成しない固定された連結形態となっていて、携帯品を携帯品取外し自在保持手段に保持した状態において前記携帯品吊り部から前記携帯品吊り部の垂れ形態がスムーズなＵの字形態を描くようにしてなることを特徴とするクレーム５〜１３いずれか記載の携帯補助具。
[クレーム１５]
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けた携帯電話等の携帯品を保持するための携帯品保持体と、
この携帯品保持体に設けられた面ファスナーからなる携帯品取外し自在保持手段とからなり、
面ファスナーを設けた携帯品を首から下げ、該携帯品を前記携帯品取外し自在保持手段に簡単に着脱操作できるようにしてなることを特徴とする携帯補助具。
[クレーム１６]
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けた携帯電話等の携帯品を保持するための携帯品保持体と、
この携帯品保持体に設けられた前記携帯品を保持し且つ簡単に該携帯品を外すことができるケースや面ファスナーやフックや磁石などの携帯品取外し自在保持手段と、
携帯品保持体や前記携帯品吊り部に設けられた、着衣側に係止するためのクリップや安全ピンやボタン部位掛手段などの、携帯者の着衣に係止することにより、携帯品保持体に保持した携帯品が振れ動くのを抑制するようにするための着衣係止部とからなり、
携帯品を首から下げ吊るした状態で該携帯品を前記携帯品取外し自在保持手段に簡単に着脱操作できるようにしてなることを特徴とする携帯補助具。
[クレーム１７]
主に首に掛け下げるロープなどの携帯品吊り部に移動自在且つ好みの位置に係留することができる移動係留体本と、この移動係留体本の下方に立ち下げられあるいは上方に立ち上げられた保持体本体と、該保持体本体に設けられた携帯品を容易に着脱自在に保持するためのケースや面ファスナーやフックなどからなる携帯品取外し自在保持手段とからなることを特徴とする携帯品保持体。
[クレーム１８]
主に首に掛け下げるロープなどの携帯品吊り部に移動自在且つ好みの位置に係留することができる移動係留体本と、この移動係留体本の下方に立ち下げられあるいは立ち上げられた保持体本体と、該保持体本体に設けられた携帯品を容易に着脱自在に保持するためのケースや面ファスナーやフックなどからなる携帯品取外し自在保持手段と、
前記保持体本体の下部あるいは上部に設けられた着衣の上前立て部位を避けるように入れる前立て避け通し部と、
この前立て避け通し部の下部に立ち下げられた、該前立て避け通し部に着衣の上前立て部位を入れた状態において、該上前立て部位の内側に入り込まされて前立てボタンの縫い留め糸部位に掛けることができるボタン部位掛け部とからなり、
前記ボタン部位掛け部の形態が前記前立て避け通し部内に入り込み縫い留め糸部に掛かった状態から抜き操作が簡単に行える形態であることを特徴とする携帯品保持体。
[クレーム１９]
携帯品保持体がクレーム１７、１８いずれか記載の携帯品保持体であることを特徴とするクレーム５〜１６いずれか記載の携帯補助具。
[クレーム２０]
伸縮性部材本体と、
この伸縮性部材の一方の側に設けられた携帯電話等の携帯品を取り付け吊るための携帯品吊り部とからなり、
前記伸縮性部材本体が、該伸縮性部材本体の他方の側をネックストラップの下部に繋ぎ、前記携帯品吊り部に携帯電話などの携帯品を取り付け吊り下げた状態において、携帯品が１５０グラム程度の吊り下がり重量でもその伸縮伸びが略３センチ以内であり、携帯品を手に持っての伸び長さが１５センチ以上であり、前記携帯品を上げた状態での垂れ下がり携帯がスムーズなＵの字湾曲形態を形成する部材からなることを特徴とする携帯品吊り部材。
[クレーム２１]
伸縮性部材が２本からなり、他方の側にネックストラップに連結したり外したりする着脱パーツが設けられ、前記ネックストラップから外した状態においては前記２本の伸縮性部材が手挿し込んで携帯品を手から落ちないようにできるショートストラップを形成してなることを特徴とするクレーム２０記載の携帯品吊り部材。
[クレーム２２]
クレーム２０、２１いずれか記載の携帯品吊り部材を設けてなることを特徴とするクレーム５〜１６、１９いずれか記載の携帯補助具。
[クレーム２３]
保持体吊り部に信号ケーブルが設けられ、前記保持体吊り部の一方の側に前記信号ケーブルの一方の側に取付られた携帯品に接続されるイヤホン側接続部が設けられ、前記保持体吊り部の他方の側に前記信号ケーブルの他方の側に取付られたイヤホンが設けられ、前記保持体吊り部の前記イヤホン側にリング体が該保持体吊り部を移動可能に設けられ、前記リング体に携帯品が直接にあるいはワイヤ等の部材を介して繋がれてなり、携帯品保持体から携帯品が外れたり携帯品を手に持って操作中に落としたりしても、前記リング体が前記イヤホンや該イヤホン手前の該保持体吊り部に設けられた他のストパー部材に止められて、落下する携帯品が前記保持体吊り部の他方の側に吊り状態となって落下が止められ、前記携帯品保持体に携帯品を保持した状態にして前記保持体吊り部の他方の側を前記リング体内を移動させて該イヤホンを持ち上げて耳に装着等することができ、前記イヤホンを耳から外し下げる場合は前記イヤホンや該イヤホン手前の前記保持体吊り部に設けられた他のストパー部材に止められて、該保持体吊り部の他方の側がＵの字を描くなどして下がるようにしてなることを特徴とするクレーム５〜１６、１９いずれか記載の携帯補助具。
[クレーム２４]
ループからなる首掛け部と、
この首掛け部から携帯者の身体前に垂れ下がる携帯品吊り部と、
前記携帯品吊り部と前記首掛け部とからなる一本ないし一連の紐体である保持体吊り部と、
前記携帯品吊り部の下方に設けられた携帯品を吊るためのあるいは携帯品を吊ってなる携帯品吊り部と、
この携帯品吊り部あるいは前記携帯品側に設けられた前記携帯品吊り部を挟持するための携帯品吊り部挟持手段とからなり、
前記保持体吊り部を首に掛けた状態にして、前記携帯品吊り部挟持手段で前記携帯品吊り部の好みの部位を挟持して係留することにより前記携帯品を好みの高さ位置に係留することができるようにしてなることを特徴とする携帯補助具。
[クレーム２５]
首や肩に掛ける掛け部と、
この掛け部の左側に垂れ下げられる左携帯品吊り部、右側に垂れ下げられる右携帯品吊り部とからなる携帯品吊り部と、
前記左携帯品吊り部の長さを好みの長さとすることができる左長さ設定機構と、
前記右携帯品吊り部の長さを好みの長さとすることができる右長さ設定機構とからなることを特徴とする携帯補助具。
[クレーム２６]
左長さ設定機構が左携帯品吊り部を移動自在に通し且つ好みの部位で移動しないようにロックするロック機構を有するとともに、ロックと該ロックの解除操作が簡単に行える左長さ調節手段であり、
右長さ設定機構が右携帯品吊り部を移動自在に通し且つ好みの部位で移動しないようにロックするロック機構を有するとともに、ロックと該ロックの解除操作が簡単に行える右長さ調節手段であることを特徴とするクレーム２５記載の携帯補助具。
[クレーム２７]
携帯品保持体がクレーム１７、１８いずれか記載の携帯品保持体であり、クレーム２０、２１いずれか記載の携帯品吊り部材を設け、クレーム２５、２６いずれか記載の右長さ設定機構と左長さ設定機構を設けてなることを特徴とするクレーム５〜１６、２４いずれか記載の携帯補助具。
[書類名]  明細書
[発明の名称]  携帯補助具
[技術分野]
[０００１]
本発明は、特に携帯電話を首に下げて操作するのに適した携帯補助具に関する。
[背景技術]
[０００２]
従来の携帯電話を首に下げるネックストラップには、下記特許文献１の図４、図５および図６に示されたネックストラップＡと、図１、図２および図３に開示されたネックストラップＢが知られている。
また、下記特許文献２に首掛けロープにケースを移動係留自在に設けて、該ケースにライターを収納する技術が開示されている。移動係留機構は、ケースの裏側に設けられた、起こして通されたロープのロックを解除し倒してロープをロックするロック片による、お越し倒し操作によるものである。
[特許文献１]実用新案登録第３０７５７５３号
[特許文献２]公開実用昭和６０−１３６３２４号
[０００３]
＜現在の携帯電話＞
現在、携帯電話は通話、メール作成、インターネットホームページの閲覧、録音、カメラ、テレビ、音楽プレイヤー、ラジオ、ワープロ、手書き入力、電子ブック、電子マネー、クレジットカード、定期券、事務所や自宅等へのドアキー装置の解除やドア開閉のための個人識別装置などなど多様な機能を有するようになってきている。
そこには多機能で且つ個人・友人・お客・組織の重要情報庫であり、お金であり、個人認証装置でありなどなど、紛失や破損をした場合には仕事、生活などあらゆる場面で大きな支障やトラブルを招く恐れがあるものであり、紛失したり破損したりしては絶対にならない持ち主の分身的なものとなっている。
また、自宅では身体から離して置くことが多く、置き忘れてしまうことが多いという問題もあった。
また、多くの携帯電話には「キッチンタイマー機能」が備えているが、キッチン作業の邪魔になる理由で、自宅ではテーブルなどに置いておく、ポケットなどに入れておくなどによるため、殆どその機能を有効に使用することができないものであった。
一方、携帯電話のその機能は、着信通話の素早い対応、電話番号・メール・ホームページ・ワープロ・各種設定時のキーボタン操作、カメラの撮影操作、定期券の改札装置への翳し・電子マネーメイン装置への翳し・事務所入退室認証装置への翳しなどの翳し操作、などなど、多様な操作をするものとなっている。
以上のような携帯電話の殆ど全ての多様な操作を、携帯電話の紛失の心配なく且つ安全に行うことを可能とする携帯補助具が必要となっているのである。
[０００４]
＜従来技術の構成およびその欠点＞
（１）特許文献１のネックストラップＡは、一本のロープで形成したループ２０の上方に移動係留体（押しボタン式ロープストッパー）２５が設けられ、ループ２０の下端にストラップ２３により携帯電話２２を吊り下げたものである。
通常の動作で携帯電話２２の振れを作業や動作などに支障がない程度とするためには、首後ろに位置させた移動係留体２５を操作して携帯電話２２を少なくとも胸元より上方（以下「胸上側」という。）に引上げて置く必要がある。
携帯電話を胸上側に上げた状態では、着信通話を素早く行えるが、キーボード操作、撮影操作、改札装置などへの翳し操作は首後ろの移動係留体２５の操作で携帯電話を引き下げて行わなければならない（最長でも携帯電話を大人で臍程度であるので、腕を延ばしきって操作は不可能）、思いっきり身体を屈めるか、首後のストッパーを操作していちいち首から外して行わなければならないので、素早い操作ができない、携帯電話の胸上側への引上げ引き下げ操作が大変面倒である、其の都度首に掛けたり外したりしなければならず大変面倒であり外しているときに落とす危険もあるなど、殆ど実用的でないという欠点を有している。
また、ループ２０の首下げ長さは長くても臍当たりとしか実用上できなので、腕を延ばしきって違和感無く自在に手に持った携帯電話を改札装置などに余裕のある姿勢と動作で翳す、撮影動作を腕を延ばしきって行うなど制限の無い動作で行うということができないものであった。これを解決するために、ストラップ２３をスプリング形態のものを使用すればよいのであるが、これではスプリングで下げられた携帯電話が歩行・体の振り、屈みなどの動作で激しく大きく振れ跳ねてしまい到底使用できるものではなかった。
また、腕を延ばしきって持った携帯電話を翳したり撮影操作したりするためには、携帯電話が股下（腕を延ばしきった長さ）にくるようにストラップやループの長さをしなければならず、股下に携帯電話をぶら下げて携帯することは到底使用できないものである。
また、胸上側に携帯電話を保持した状態において、携帯電話は該携帯電話の一箇所のストラップ取付部にストラップを１本紐状態で下げる形態となるので、身体の動作で携帯電話が裏返る、横揺れが大きいなど携帯性に落ち着きが無いおとなしさが無いという欠点があった。
また、ストラップ取付部が携帯電話の中央でない場合は、一本状態のストラップで吊る形態であるので、携帯電話が傾いた状態に吊られるという欠点があった。
また、常に携帯電話やデジタルカメラを松葉（細い紐）で常に吊った状態としているため、松葉の磨耗が早くなるという欠点があった。
（２）特許文献１のネックストラップＢは、ループ１にホルダ３を着脱自在に保持する移動係留体２を摩擦移動係留できるように設け、ホルダ３に紐ストラップ５が摩擦移動自在に設け、紐ストラップ５を携帯電話４のストラップ取付部に取り吊るようにした携帯電話用ネックストラップである。
ループ１の首下げ長さは長くても臍当たりとしか実用上できなので、腕を完全に延ばして手に持った携帯電話を改札装置などに余裕のある姿勢と動作で翳す、撮影動作を腕を延ばしきって行うなど制限の無い動作で行うためには、ホルダ３を移動係留体２から外して行わなければならいため、操作ミスなどで携帯電話を持った手から滑り落とし地面や床に落下させてしまう危険を有するという欠点があった。
これを解決するために、ストラップをスプリング形態のものにすればよいのであるが、これではスプリングで下げられた携帯電話が歩行・体の振り、屈みなどの動作で激しく大きく振れ跳ねてしまい到底使用できるものではなかった。
ホルダ３を移動係留体２から外して操作した場合、外したままテーブルなどに置いてそのまま忘れ置いて行ってしまうことが生じる恐れがあるものであった。
ホルダ３が移動係留体２から何かの拍子で抜けて携帯電話を地面や床に落下させてしまったり、混んでいる電車内で何ものかに抜き取られたりする恐れがあるものであった。
（３）特許文献２に開示された技術は、ケースに収納したライターなり携帯電話なりの操作は、ケースから取り出して手に持って操作するものであるが、完全にフリー状態で手に持って操作するため、誤って手に持った携帯品を滑らせるなどして地面や床に落としてしまう危険があるという欠点があった。
また、ケースから抜け落としたり、混んでいる電車内で何者かに抜き取られたりするなどして紛失させてしまう恐れがあるものであった。
ケースから外して操作した場合、外したままテーブルなどに置いてそのまま忘れ置いて行ってしまうことが生じる恐れがあるものであった。
（４）また、上述したいずれの技術も、携帯品の落下の心配なく片手のみで首に掛け装着し且つ移動係留体および携帯品の上下位置を好みの位置に自在に調節することができないあるいはロック片の起こし倒しの面倒な操作である、片手のみで移動係留体を上下移動を行えないあるいはロック片の起こし倒しの面倒な操作が必要であるなど、片手しか使用できない身障者等にとっては使用し難いものであった。
（５）また、看護士などの作業者が社内携帯電話をネックストラップで首に掛け吊るして携帯しているが、携帯品吊り部が長いために歩行時に大きく振れる、患者を抱きかかえるときに邪魔になる、胸ポケットに入れておくと屈むたびにポケットから飛び出すなど大変使用感が悪いという欠点があった。
（６）自宅においては多くの携帯者が携帯電話はテーブルなど身体から離して置いているので、出かけるときに携帯し忘れることが多々あり、携帯電話の役割を果たせないという社会問題がある。
特に物忘れがひどくなっている高齢者にはこの傾向が顕著であり、公衆電話がなくなってきている現状では、連絡手段、居場所確認手段としての携帯電話を常に安全且つ紛失や置忘れが生じないよう且つ身体動作や作業などの邪魔にならないように携帯する携帯補助具の出願が切望されている。
すなわち自宅においても携帯電話を身から離さずに、不自由なく携帯しておくことができる携帯補助具の出現が求められているのである。
（７）従来、ネックストラップ本体は吊った携帯電話を長くても臍のあたりまで吊るし置く程度の長さである。これは、腕を延ばしきった長さとなると股間あたりまでの長さとなり、到底実用できるものではなくなるからである。
その解決方法として携帯電話（１５０グラム程度）の重さでは殆ど伸びない付勢力の樹脂製引っ張りコイルバネを、ネックストラップと携帯電話の間に介在させて、携帯電話を手に持ってその腕を延ばしきって操作できるように解決方法が知られている。
しかし、樹脂製引っ張りコイルバネはその付勢力の強さから硬めにできていて、携帯電話を持ち上げて胸上などに保持した場合は、曲がることなく殆ど真直ぐな状態ないし少し湾曲する程度である。
このため携帯電話の下方に垂れた部位が樹脂製引っ張りコイルバネの両端で折れ上がる形態となり、ギクシャクした見た目の悪い元になるという欠点があった。
逆に、付勢力の緩い樹脂製引っ張りコイルバネを用い場合は、携帯電話を手に持っての操作中や、胸上への保持状態から落としてしまった場合には、緩い樹脂製引っ張りコイルバネは一気に伸びきってしまい、地上や床や側壁や前壁などに衝突させてしまう危険が大きいという欠点があった。
（８）掛け部の長さを変えることなく携帯品吊り部の長さを携帯者の好みの長さに調節することができないという欠点を有するものであった。
[発明の開示]
[発明が解決しようとする課題]
[０００５]
本発明は以上のような従来技術の欠点に鑑みてなされたものであって、その目的は、主に携帯電話を下げ首に掛けるネックストラップなど（保持体吊り部）の長さを携帯電話を手に持ってその腕を延ばしきって多様な操作を自在に行う長さにしても、携帯電話を胸前など高い位置に保持状態にしての携帯を可能としあるいは振れを抑えた保持状態での携帯電話の携帯を可能とし、且つ、携帯電話の保持中や手に持っての操作中に落下してもそれを途中で止めて地面や床への落下を防げる安全性を実現する携帯品の携帯方法、携帯補助具それに適した携帯品保持体およびそれに適した携帯品吊り部材を提供することを目的としている。
また本発明の他の目的は、片手のみしか使用できない人が特に携帯電話の首掛け外し、携帯電話の上げ下げ操作が容易に行えるともに、前記目的と同様な目的を実現する携帯品の携帯方法、携帯補助具それに適した携帯品保持体およびそれに適した携帯品吊り部材を提供することを目的としている。
[０００６]
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
[課題を解決するための手段]
[０００７]
上記目的を達成するために本発明は次のような構成となっている。
＜クレーム１記載の発明＞
携帯電話などの携帯品を簡単に着脱自在できるように保持するケースや面ファスナーやフックや磁石などの携帯品取外し自在保持手段を有する携帯品保持体を首や肩から下げ、
前記携帯品を首や肩から身体に吊り下げ状態とし、
前記携帯品を前記携帯品取外し自在保持手段に簡単に着脱操作でき、該携帯品を該携帯品取外し自在保持手段から外して手に持ち操作する場合にも、該携帯品が首や肩から吊り状態のままで操作できるようにしてなり、前記携帯品取外し自在保持手段に保持された携帯品が該携帯品取外し自在保持手段から外れるとか手で操作中に落とすとかなどしても途中でその落下を止めることができるようにしてなる携帯品の携帯方法を構成している。
＜クレーム２記載の発明＞
クレーム１記載の発明の構成において、携帯品保持体や保持体吊り部の垂れ下がり部位に着衣側に係止するためのクリップや安全ピンやボタン部位掛手段などの着衣係止部を設けて、該着衣係止部を携帯者の着衣に係止することにより、携帯品保持体に保持した携帯品が振れ動くのを抑制することができるようにしてなる携帯品の携帯方法を構成している。
＜クレーム３記載の発明＞
クレーム１、２いずれか記載の発明の構成において、携帯品保持体を上下に自在に移動させて好みの位置に係留させることができる移動係留体あるいは移動係留体を設けてなる構成であって、携帯品を好みの高さ位置に保持ですることができるようにしてなる携帯品の携帯方法を構成している。
＜クレーム４記載の発明＞
前記クレーム１、２、３いずれか記載の発明の構成において、首や肩に掛けた保持体吊り部の携帯品を吊り状態にした長さが、携帯者が該携帯品を手に持ち、その腕を略延ばしきって自在に該携帯品の操作を行うことができる長さあるいはその長さに伸びる等ようにしてなる携帯品の携帯方法を構成している。
＜クレーム５記載の発明＞
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
この携帯品取外し自在保持手段に保持された携帯品が該携帯品取外し自在保持手段から外れて落下しても、該携帯品が地面等に落下するのを途中で止める携帯品取付部とで携帯補助具を構成している。
＜クレーム６記載の発明＞
携帯者の首や肩などに掛ける掛け部、この掛け部から下げられる紐、ロープ、ワイヤ、細棒状部材などやこれらの組合せからなる携帯品吊り部とからなる保持体吊り部と、
前記携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段とで、
前記携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中でその落下を止めることができるようにしてなる携帯補助具を構成している。
「掛け部」と「携帯品吊り部」は同一部材により構成されてなるもの、別部材で構成してなるものなども本発明の技術的範疇に含むものである。
＜クレーム７記載の発明＞
携帯者の首や肩などに掛ける掛け部、この掛け部から下げられる紐、ロープ、ワイヤ、細棒状部材などやこれらの組合せからなるの第１の携帯品吊り部および第２の携帯品吊り部とからなる保持体吊り部と、
前記第１の携帯品吊り部に設けられた携帯電話などの携帯品を該第１の携帯品吊り部の下部より上方に保持するための携帯品保持体と、
この携帯品保持体に設けられた前記携帯品を保持し該携帯品の着脱操作が簡単にできるケースや面ファスナーやフックや磁石などの携帯品取外し自在保持手段と、
前記第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中でその落下を止めることができるようにしてなる携帯補助具を構成している。
＜クレーム８記載の発明＞
携帯者の首や肩などに掛ける掛け部、この掛け部から下げられる紐、ロープ、ワイヤ、細棒状部材などやこれらの組合せからなるの第１の携帯品吊り部とからなる第１の保持体吊り部と、
前記第１の携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
携帯者の首や肩などに掛ける掛け部、この掛け部から下げられる紐、ロープ、ワイヤ、細棒状部材などやこれらの組合せからなるの第２の携帯品吊り部とからなる第２の保持体吊り部と、
前記第２の携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中でその落下を止めることができるようにしてなる携帯補助具を構成している。
＜クレーム９記載の発明＞
携帯者の首や肩などに掛ける掛け部、この掛け部から下げられる紐、ロープ、ワイヤ、細棒状部材などやこれらの組合せからなる第1の携帯品吊り部とからなる保持体吊り部と、
前記第1の携帯品吊り部に設けられた携帯電話などの携帯品を保持するための携帯品保持体と、
この携帯品保持体に設けられた前記携帯品を保持し該携帯品の着脱操作が簡単にできるケースや面ファスナーやフックや磁石などの携帯品取外し自在保持手段と、
前記携帯品保持体から下げられた第２の携帯品吊り部と、
この第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、
前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなる携帯補助具を構成している。
＜クレーム１０記載の発明＞
クレーム５、６、７、８、９いずれか記載の発明の構成において、携帯品を携帯品吊り部に簡単な操作で切り離したり連結したりするための着脱パーツを設けてなる携帯補助具を構成している。
「簡単な操作で切り離したり連結したりするための着脱パーツ」とは、携帯品のみが外れる形態、携帯品に携帯品吊り部が繋がった状態で外れる形態、携帯品に着脱パーツが残った状態で外れる形態、携帯品に携帯品吊り部と着脱パーツが繋がった状態で外れる形態など多様な形態を技術的範疇に含むものである。
＜クレーム１１記載の発明＞
クレーム５〜１０いずれか記載の発明の構成において、携帯品を吊る部位の一部ないし全部が携帯品を持った手を略腕を延ばしきって該携帯品の操作が行える長さに伸びる樹脂スプリングやワイヤ付勢巻取り装置やゴム紐などの伸縮性部材である携帯補助具を構成している。
＜クレーム１２記載の発明＞
クレーム５〜１１いずれか記載の発明において，携帯品保持体を上下に自在に移動させて好みの位置に係留させることができる移動係留体あるいは移動係留体を設けてなる構成や移動係留体を設けたものである携帯補助具を構成している。
＜クレーム１３記載の発明＞
クレーム１２記載の発明の構成において、
移動係留体が、
携帯品吊り部を通す固定通し孔を有する体本駒と、
この体本駒内に可動可能に設けられた可動駒と、
この可動駒を常に付勢状態とする付勢手段とからなり、
前記固定通し孔と通された前記携帯品吊り部が、前記可動駒がフリーの状態では該可動駒が付勢状態となっているので、前記固定通し孔と前記可動駒がズレ付勢で前記携帯品吊り部を挟持したロック状態とされて前記携帯品吊り部上に係留状態となり、前記可動駒を指で押し込むと前記固定通し孔と前記可動とによる前記携帯品吊り部の前記ロック状態は解除されて前記携帯品吊り部上を殆ど抵抗無く移動させることができるようにしてなる携帯補助具を構成している。
＜クレーム１４記載の発明＞
クレーム５〜１３いずれか記載の発明の構成において、携帯品保持体にストラップ取付部を下方にして携帯品を保持した状態において、携帯品の下方側に形成される携帯品吊り部から携帯品吊り部にかけての垂れ形態が折れ部位を形成しない固定された連結形態となっていて、携帯品を携帯品取外し自在保持手段に保持した状態において前記携帯品吊り部から前記携帯品吊り部の垂れ形態がスムーズなＵの字形態を描くようにしてなる携帯補助具を構成している。
＜クレーム１５記載の発明＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けた携帯電話等の携帯品を保持するための携帯品保持体と、この携帯品保持体に設けられた面ファスナーからなる携帯品取外し自在保持手段とからなり、面ファスナーを設けた携帯品を首から下げ、該携帯品を前記携帯品取外し自在保持手段に簡単に着脱操作できるようにしてなる携帯補助具を構成している。
＜クレーム１６記載の発明＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けた携帯電話等の携帯品を保持するための携帯品保持体と、この携帯品保持体に設けられた前記携帯品を保持し且つ簡単に該携帯品を外すことができるケースや面ファスナーやフックや磁石などの携帯品取外し自在保持手段と、携帯品保持体や前記携帯品吊り部に設けられた、着衣側に係止するためのクリップや安全ピンやボタン部位掛手段などの、携帯者の着衣に係止することにより、携帯品保持体に保持した携帯品が振れ動くのを抑制するようにするための着衣係止部とからなり、携帯品を首から下げ吊るした状態で該携帯品を前記携帯品取外し自在保持手段に簡単に着脱操作できるようにしてなる携帯補助具を構成している。
＜クレーム１７記載の発明＞
主に首に掛け下げるロープなどの携帯品吊り部に移動自在且つ好みの位置に係留することができる移動係留体本と、この移動係留体本の下方に立ち下げられあるいは上方に立ち上げられた保持体本体と、該保持体本体に設けられた携帯品を容易に着脱自在に保持するためのケースや面ファスナーやフックなどからなる携帯品取外し自在保持手段とで携帯品保持体を構成している。
＜クレーム１８記載の発明＞
主に首に掛け下げるロープなどの携帯品吊り部に移動自在且つ好みの位置に係留することができる移動係留体本と、この移動係留体本の下方に立ち下げられあるいは立ち上げられた保持体本体と、該保持体本体に設けられた携帯品を容易に着脱自在に保持するためのケースや面ファスナーやフックなどからなる携帯品取外し自在保持手段と、前記保持体本体の下部あるいは上部に設けられた着衣の上前立て部位を避けるように入れる前立て避け通し部と、この前立て避け通し部の下部に立ち下げられた、該前立て避け通し部に着衣の上前立て部位を入れた状態において、該上前立て部位の内側に入り込まされて前立てボタンの縫い留め糸部位に掛けることができるボタン部位掛け部とからなり、前記ボタン部位掛け部の形態が前記前立て避け通し部内に入り込み縫い留め糸部に掛かった状態から抜き操作が簡単に行える形態である携帯品保持体を構成している。
＜クレーム１９記載の発明＞
クレーム５〜１６いずれか記載の発明の構成において、携帯品保持体がクレーム１７、１８いずれか記載の携帯品保持体である携帯補助具を構成している。
＜クレーム２０記載の発明＞
伸縮性部材本体と、
この伸縮性部材の一方の側に設けられた携帯電話等の携帯品を取り付け吊るための携帯品吊り部とからなり、
前記伸縮性部材本体が、該伸縮性部材本体の他方の側をネックストラップの下部に繋ぎ、前記携帯品吊り部に携帯電話などの携帯品を取り付け吊り下げた状態において、携帯品が１５０グラム程度の吊り下がり重量でもその伸縮伸びが略３センチ以内であり、携帯品を手に持っての伸び長さが１５センチ以上であり、前記携帯品を上げた状態での垂れ下がり携帯がスムーズなＵの字湾曲形態を形成する部材からなる携帯品吊り部材を構成している。
＜クレーム２１記載の発明＞
クレーム２０記載の発明において、伸縮性部材が２本からなり、他方の側にネックストラップに連結したり外したりする着脱パーツが設けられ、前記ネックストラップから外した状態においては前記２本の伸縮性部材が手挿し込んで携帯品を手から落ちないようにできるショートストラップを形成してなる携帯品吊り部材を構成している。
＜クレーム２２記載の発明＞
クレーム５〜１６、１９いずれか記載の発明の構成において、クレーム２０、２１いずれか記載の携帯品吊り部材を設けてなる携帯補助具を構成している。
「携帯品吊り部材を設けて」とは、携帯品吊り部が無い場合は設け、携帯品吊り部や同様な機能のものを有する場合は交換するという意味で使用している。
＜クレーム２３記載の発明＞
クレーム５〜１６、１９いずれか記載発明の構成において、保持体吊り部に信号ケーブルが設けられ、前記保持体吊り部の一方の側に前記信号ケーブルの一方の側に取付られた携帯品に接続されるイヤホン側接続部が設けられ、前記保持体吊り部の他方の側に前記信号ケーブルの他方の側に取付られたイヤホンが設けられ、前記保持体吊り部の前記イヤホン側にリング体が該保持体吊り部を移動可能に設けられ、前記リング体に携帯品が直接にあるいはワイヤ等の部材を介して繋がれてなり、携帯品保持体から携帯品が外れたり携帯品を手に持って操作中に落としたりしても、前記リング体が前記イヤホンや該イヤホン手前の該保持体吊り部に設けられた他のストパー部材に止められて、落下する携帯品が前記保持体吊り部の他方の側に吊り状態となって落下が止められ、前記携帯品保持体に携帯品を保持した状態にして前記保持体吊り部の他方の側を前記リング体内を移動させて該イヤホンを持ち上げて耳に装着等することができ、前記イヤホンを耳から外し下げる場合は前記イヤホンや該イヤホン手前の前記保持体吊り部に設けられた他のストパー部材に止められて、該保持体吊り部の他方の側がＵの字を描くなどして下がるようにしてなる携帯補助具を構成している。
＜クレーム２４記載の発明＞
ループからなる首掛け部と、
この首掛け部から携帯者の身体前に垂れ下がる携帯品吊り部と、
前記携帯品吊り部と前記首掛け部とからなる一本ないし一連の紐体である保持体吊り部と、
前記携帯品吊り部の下方に設けられた携帯品を吊るためのあるいは携帯品を吊ってなる携帯品吊り部と、
この携帯品吊り部あるいは前記携帯品側に設けられた前記携帯品吊り部を挟持するための携帯品吊り部挟持手段とからなり、
前記保持体吊り部を首に掛けた状態にして、前記携帯品吊り部挟持手段で前記携帯品吊り部の好みの部位を挟持して係留することにより前記携帯品を好みの高さ位置に係留することができる携帯補助具を構成している。
＜クレーム２５記載の発明＞
首や肩に掛ける掛け部と、
この掛け部の左側に垂れ下げられる左携帯品吊り部、右側に垂れ下げられる右携帯品吊り部とからなる携帯品吊り部と、
前記左携帯品吊り部の長さを好みの長さとすることができる左長さ設定機構と、
前記右携帯品吊り部の長さを好みの長さとすることができる右長さ設定機構とで携帯補助具を構成している。
＜クレーム２６記載の発明＞
前記クレーム２５記載の発明において、左長さ設定機構が左携帯品吊り部を移動自在に通し且つ好みの部位で移動しないようにロックするロック機構を有するとともに、ロックと該ロックの解除操作が簡単に行える左長さ調節手段であり、
右長さ設定機構が右携帯品吊り部を移動自在に通し且つ好みの部位で移動しないようにロックするロック機構を有するとともに、ロックと該ロックの解除操作が簡単に行える右長さ調節手段である携帯補助具を構成している。
＜クレーム２７記載の発明＞
クレーム５〜１６、２４いずれか記載の発明において、携帯品保持体がクレーム１７、１８いずれか記載の携帯品保持体であり、クレーム２０、２１いずれか記載の携帯品吊り部材を設け、クレーム２５、２６いずれか記載の右長さ設定機構と左長さ設定機構を設けてなる携帯補助具を構成している。
[発明の効果]
[０００８]
以上の説明から明らかなように、本発明にあっては次に列挙する効果が得られる。
＜クレーム１記載の発明の効果＞
携帯電話などの携帯品を簡単に着脱自在できるように保持するケースや面ファスナーやフックや磁石などの携帯品取外し自在保持手段を有する携帯品保持体を首や肩から下げ、前記携帯品を首や肩から身体に吊り下げ状態とし、前記携帯品を前記携帯品取外し自在保持手段に簡単に着脱操作でき、該携帯品を該携帯品取外し自在保持手段から外して手に持ち操作する場合にも、該携帯品が首や肩から吊り状態のままで操作できるようにしてなり、前記携帯品取外し自在保持手段に保持された携帯品が該携帯品取外し自在保持手段から外れるとか手で操作中に落とすとかなどしても途中でその落下を止めることができるようにしてなる携帯品の携帯方法を構成しているので、
携帯電話が腕を延ばしきった手の位置である股間位置にするような形態としても、携帯電話の携帯保持は例えば胸元より上に位置させた携帯電話保持体に保持させて置くので、この保持状態では保持体吊り部の下方の垂れ下がり部位は携帯電話に引かれて上がり最下部が臍あたりそれより上方に位置されるので、快適な携帯保持と腕を延ばしきっての携帯電話の操作という両方の実現を可能とできるものである。
携帯電話を下げ首に掛けるネックストラップなど（保持体吊り部）の長さを携帯電話を手に持ってその腕を延ばしきって多様な操作を自在に行う長さにしても、携帯電話を胸前など高い位置に着脱自在に保持状態にしての携帯を可能としあるいは振れを抑えた着脱自在に保持状態での携帯電話の携帯を可能とし、且つ、携帯保持中および手に持っての操作中においても携帯電話は常に保持体吊り部に繋いでいるので、携帯電話の保持中や手に持っての操作中に落下してもそれを途中で止めて地面や床への落下を防げる安全性を実現するという効果を得ることができる。
すなわち、快適な携帯保持、腕を延ばしきっての携帯電話の軽快な操作、落下や紛失の心配の無い安全性という三つのことを実現するという効果を得ることができる。
また、キッチン作業の邪魔にならないように首に吊り下げ携帯することができるので、キッチンタイマー機能を設定することが簡単にでき、その機能を生かすことができ、ガスの付け忘れににる火災事故を起こさせないという効果を得ることができる。
＜クレーム２記載の発明の効果＞
クレーム１記載の発明の構成において、携帯品保持体や保持体吊り部の垂れ下がり部位に着衣側に係止するためのクリップや安全ピンやボタン部位掛手段などの着衣係止部を設けて、該着衣係止部を携帯者の着衣に係止することにより、携帯品保持体に保持した携帯品が振れ動くのを抑制することができるようにしてなる携帯品の携帯方法を構成しているので、
着衣係止部を着衣に止める（係止）ことにより携帯品保持体も振れを抑えるように止められるので、携帯品保持体に保持した携帯電話は携帯者の歩行や体の振りや前屈みなどの動作においてもその振れを抑えたものとできるという効果を得ることができる。
また、胸元下方での携帯電話の振れを抑えた保持を可能とするので、軽快な携帯電話の保持範囲を広げるという効果を得ることができる。
着衣係止部を着衣に係止することにより携帯品保持体が裏返ることが無くなり、携帯品取外し自在保持手段が面ファスナーのフック側である場合でも、携帯品を保持しない状態において面ファスナーが着衣に引っ掛かることが防止されるという効果を得ることができる。
本発明の携帯方法により、自宅においても日常動作や作業中でも邪魔にならない携帯電話の携帯を可能とするので、出かける際に携帯電話を自宅や自動車内に置き忘れることが無いという効果を得ることができ、且つ、キッチンタイマー機能を遺憾なく発揮させることを可能できるなど、携帯電話の持つ機能、これから持つであろう機能の全てを遺憾なく発揮させ享受できるという効果を得ることができる。
＜クレーム３記載の発明の効果＞
クレーム１、２いずれか記載の発明の構成において、携帯品保持体を上下に自在に移動させて好みの位置に係留させることができる移動係留体あるいは移動係留体を設けてなる構成であって、携帯品を好みの高さ位置に保持ですることができるようにしてなる携帯品の携帯方法を構成しているので、
携帯電話を保持した状態のままや携帯品保持体単独の上下移動をスムーズで経過に行えるという効果を得ることができる。
＜クレーム４記載の発明の効果＞
前記クレーム１、２、３いずれか記載の発明の構成において、首や肩に掛けた保持体吊り部の携帯品を吊り状態にした長さが、携帯者が該携帯品を手に持ち、その腕を略延ばしきって自在に該携帯品の操作を行うことができる長さあるいはその長さに伸びる等ようにしてなる携帯品の携帯方法を構成しているので、
「腕を延ばしきって自在に該携帯品の操作を行うことができる長さ」は、携帯電話が股下あたりに吊り下げられるながさであり、この状態のまま吊り下げて携帯することは、振れが大きくなり過ぎて到底実用的とは言えないものであるが、本発明の携帯品保持体を設けた構成においては、携帯電話操作時には携帯品吊り部の長さに制約されること無く操作ができるともに、携帯保持状態は胸元など振れの小さな部位とすることがでくるのという効果を得ることができる。
＜クレーム５記載の発明の効果＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けられた携帯電話などの携帯品を保持するための携帯品保持体と、この携帯品保持体に設けられた前記携帯品を保持し該携帯品の着脱操作が簡単にできるケースや面ファスナーやフックや磁石などの携帯品取外し自在保持手段と、この携帯品取外し自在保持手段に保持された携帯品が該携帯品取外し自在保持手段から外れて落下しても、該携帯品が地面等に落下するのを途中で止める携帯品取付部とで携帯補助具を構成しているので、
（１）首や肩から携帯品保持体を胸前に下げて、この携帯電話保持体に携帯電話を着脱自在に保持することができるともに、携帯保持は携帯電話を胸前の振れ少ない高い位置に常に保持状態とでき、且つ、携帯品取付部により携帯電話を落下させる心配なく操作できる、携帯電話保持体に保持しておくことができるという、安全性と操作性を両立させた携帯を実現するという効果を得ることができる。
（２）片手しか使用できない人でも、片手での首への掛け外しが行え、地面や床への落下の心配なく安全に携帯電話を片手のみで携帯品保持体に取り付たり取り外したりでき、地面や床への落下の心配なく片手のみで携帯電話を持ち操作を行うことができ、携帯品保持体から携帯電話が外れても地面や床への落下の心配の無い、ユニバーサルデザインの携帯補助具を実現するという効果を得るものである。
（３）自宅においても日常動作や作業中でも邪魔にならない携帯電話の携帯を可能とするので、出かける際に携帯電話を自宅や自動車内に置き忘れることが無いという効果を得ることができ、且つ、キッチンタイマー機能を遺憾なく発揮させることを可能できるなど、携帯電話の持つ機能、これから持つであろう機能の全てを遺憾なく発揮させ享受できるという効果を得ることができる。
＜クレーム６記載の発明の効果＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けられた携帯電話などの携帯品を保持するための携帯品保持体と、この携帯品保持体に設けられた前記携帯品を保持し該携帯品の着脱操作が簡単にできるケースや面ファスナーやフックや磁石などの携帯品取外し自在保持手段とで、前記携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、前記携帯品取外し自在保持手段に保持された携帯品が該携帯品取外し自在保持手段から外れるとか手で操作中に落とすとかなどしても途中でその落下を止めることができるようにしてなる携帯補助具を構成しているので、
（１）首や肩から携帯品保持体を胸前に下げて、この携帯電話保持体に携帯電話を着脱自在に保持することができるともに、携帯電話を携帯品吊り部で携帯補助具側に繋ぐ構成としたので、携帯品吊り部をある程度の長いものとしたり伸縮部材とすることを可能とし、携帯保持は携帯電話を胸前の振れ少ない高い位置に常に保持状態とでき、且つ、手に持った携帯電話をその腕を延ばしきって改札装置などへの翳し操作や撮影操作を携帯電話を落下させる心配なく安全に行える、安全な操作を可能とする携帯補助具を実現するという効果を得ることができる。
最も長い吊り状態で、携帯電話が腕を延ばしきった手の位置である股下下方に位置するような形態としても、携帯電話の保持は例えば胸元より上に位置させた携帯電話保持体に保持させて置くので、この保持状態では携帯品吊り部は携帯電話に引かれて上がり最下部が臍あたりそれより上方に位置されるので、快適な携帯保持、腕を延ばしきっての携帯電話の軽快な操作、落下や紛失の心配の無い安全性という三つのことを実現するという効果を得ることができる。
（２）片手しか使用できない人でも、片手での首への掛け外しが行え、地面や床への落下の心配なく安全に携帯電話を片手のみで携帯品保持体に取り付たり取り外したりでき、地面や床への落下の心配なく片手のみで携帯電話を持ち操作を行うことができ、携帯品保持体から携帯電話が外れても地面や床への落下の心配の無い、ユニバーサルデザインの携帯補助具を実現するという効果を得るものである。
（３）自宅においても日常動作や作業中でも邪魔にならない携帯電話の携帯を可能とするので、出かける際に携帯電話を自宅や自動車内に置き忘れることが無いという効果を得ることができ、且つ、キッチンタイマー機能を遺憾なく発揮させることを可能できるなど、携帯電話の持つ機能、これから持つであろう機能の全てを遺憾なく発揮させ享受できるという効果を得ることができる。
＜クレーム７記載の発明の効果＞
携帯者の首や肩などに掛ける掛け部、この掛け部から下げられる紐、ロープ、ワイヤ、細棒状部材などやこれらの組合せからなるの第１の携帯品吊り部および第２の携帯品吊り部とからなる保持体吊り部と、
前記第１の携帯品吊り部に設けられた携帯電話などの携帯品を該第１の携帯品吊り部の下部より上方に保持するための携帯品保持体と、この携帯品保持体に設けられた前記携帯品を保持し該携帯品の着脱操作が簡単にできるケースや面ファスナーやフックや磁石などの携帯品取外し自在保持手段と、前記第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、前記携帯品取外し自在保持手段に保持された携帯品が該携帯品取外し自在保持手段から外れるとか手で操作中に落とすとかなどしても途中でその落下を止めることができるようにしてなる携帯補助具を構成しているので、
前記クレーム６記載の発明と同様な効果を得ることができるともに、携帯品保持体から外した携帯電話を手に持っての操作時において、携帯品保持体はその操作に影響されない構成であるので、携帯品保持体を着衣に止めておいてもその止め状態を外さなくてもよいとう、操作性と携帯保持性がよりよくできるという効果を得ることができる。
また、携帯電話を第２の携帯品吊り部に吊り状態のままズポンのポケッとや着衣の裾側ポケットなどに収納する場合はなどは、携帯品保持体を着衣の前立て内に入れて隠すことができるという効果を得ることができる。
＜クレーム８記載の発明の効果＞
携帯者の首や肩などに掛ける掛け部、この掛け部から下げられる紐、ロープ、ワイヤ、細棒状部材などやこれらの組合せからなるの第１の携帯品吊り部とからなる第１の保持体吊り部と、前記第１の携帯品吊り部に設けられた携帯電話などの携帯品を保持するための携帯品保持体と、この携帯品保持体に設けられた前記携帯品を保持し該携帯品の着脱操作が簡単にできるケースや面ファスナーやフックや磁石などの携帯品取外し自在保持手段と、携帯者の首や肩などに掛ける掛け部、この掛け部から下げられる紐、ロープ、ワイヤ、細棒状部材などやこれらの組合せからなるの第２の携帯品吊り部とからなる第２の保持体吊り部と、前記第２の携帯品吊り部の下部からなるあるいは該携帯品吊り部に設けられた吊り携帯品吊り部材などの携帯品を前記携帯品取外し自在保持手段より下方に吊り状態に保持するための携帯品吊り部とからなり、前記携帯品取外し自在保持手段に保持された携帯品が該携帯品取外し自在保持手段から外れるとか手で操作中に落とすとかなどしても途中でその落下を止めることができるようにしてなる携帯補助具を構成しているので、
クレーム７記載の発明の効果と同様な効果を得ることができるともに、携帯電話を吊るす側の第２の保持体吊り部（ネックストラップ）と第１の保持体吊り部が別部材であるので、それぞれ好みのものを組合わせることができるという効果を得ることができる。
＜クレーム９記載の発明の効果＞
携帯者の首や肩などに掛ける掛け部、この掛け部から下げられる紐、ロープ、ワイヤ、細棒状部材などやこれらの組合せからなる第1の携帯品吊り部とからなる保持体吊り部と、前記第1の携帯品吊り部に設けられた携帯電話などの携帯品を保持するための携帯品保持体と、この携帯品保持体に設けられた前記携帯品を保持し該携帯品の着脱操作が簡単にできるケースや面ファスナーやフックや磁石などの携帯品取外し自在保持手段と、前記携帯品保持体から下げられた第２の携帯品吊り部と、この第２の携帯品吊り部の下部からなるあるいは該第２の携帯品吊り部に設けられた吊り携帯品吊り部材などの携帯品を前記携帯品取外し自在保持手段より下方に吊り状態に保持するための携帯品吊り部とからなり、前記携帯品取外し自在保持手段に保持された携帯品が該携帯品取外し自在保持手段から外れるとか手で操作中に落とすとかなどしても途中で前記携帯品吊り部に吊られていることによりその落下を止めることができるようにしてなる携帯補助具を構成しているので、
このような構成としても前記クレーム６記載の発明と同様な効果を得ることができる。
＜クレーム１０記載の発明の効果＞
クレーム５、６、７、８、９いずれか記載の発明の構成において、携帯品を携帯品吊り部に簡単な操作で切り離したり連結したりするための着脱パーツを設けてなる携帯補助具を構成しているので、
首に下げた状態から保持体吊り部は首に下げたまま、携帯電話を簡単に外して、写真撮影を頼む、充電器にセットする、他人にメールなどを見てもらうなどのことが行えるという効果を得ることができる。
＜クレーム１１記載の発明の効果＞
クレーム５〜１０いずれか記載の発明の構成において、携帯品を吊る部位の一部ないし全部が携帯品を持った手を略腕を延ばしきって該携帯品の操作が行える長さに伸びる樹脂スプリングやワイヤ付勢巻取り装置やゴム紐などの伸縮性部材である携帯補助具を構成しているので、
体格や腕の長さの違いなどの相違でも、腕を延ばしきっての携帯電話の操作を実現するという効果を得ることができる。
＜クレーム１２記載の発明の効果＞
クレーム５〜１１いずれか記載の発明において，携帯品保持体を上下に自在に移動させて好みの位置に係留させることができる移動係留体あるいは移動係留体を設けてなる構成や移動係留体を設けたものである携帯補助具を構成しているので、
携帯品保持体を移動させて好みの高さ位置に係留させるこができるので、携帯電話を好みの高さに保持することができるという効果を得ることができる。
例えば、看護士等が患者を抱き起こす等の作業をする場合は、首に着く高い部位に移動保持させて、作業の邪魔にならないようにでき、通常は胸元あたりに下げ置くなどの使い分けができる。
＜クレーム１３記載の発明の効果＞
クレーム１２記載の発明の構成において、移動係留体が、携帯品吊り部を通す固定通し孔を有する体本駒と、この体本駒内に可動可能に設けられた可動駒と、この可動駒を常に付勢状態とする付勢手段とからなり、前記固定通し孔と通された前記携帯品吊り部が、前記可動駒がフリーの状態では該可動駒が付勢状態となっているので、前記固定通し孔と前記可動駒がズレ付勢で前記携帯品吊り部を挟持したロック状態とされて前記携帯品吊り部上に係留状態となり、前記可動駒を指で押し込むと前記固定通し孔と前記可動とによる前記携帯品吊り部の前記ロック状態は解除されて前記携帯品吊り部上を殆ど抵抗無く移動させることができるようにしてなる携帯補助具を構成しているので、
携帯品保持体の上下移動をスムーズに行えるともに係留を確りとできるという効果を得ることができる。
特に、片手のみしか使用できない人は、保持体吊り部に携帯電話を吊り下げ携帯品吊り部を該携帯電話の重量で張らせることにより、携帯品保持体を片手のみで上下に自在に移動させることができるという効果をえることができる。
＜クレーム１４記載の発明の効果＞
クレーム５〜１３いずれか記載の発明の構成において、  携帯品保持体にストラップ取付部を下方にして携帯品を保持した状態において、携帯品の下方側に形成される携帯品吊り部から携帯品吊り部にかけての垂れ形態が折れ部位を形成しない固定された連結形態となっていて、携帯品を携帯品取外し自在保持手段に保持した状態において前記携帯品吊り部から前記携帯品吊り部の垂れ形態がスムーズなＵの字形態を描くようにしてなる携帯補助具を構成しているので、
携帯品保持体の保持された携帯電話の下側に下がる携帯品吊り部等の全体の形態が型崩れしないスムーズで綺麗なＵ字形を描くようにしているので、見た目がよいという効果を得ることができる。
また、折れが生じないので携帯品吊り部が絡むように引っ掛かったり難い使用感をよいものとすることができる。
＜クレーム１５記載の発明の効果＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けた携帯電話等の携帯品を保持するための携帯品保持体と、この携帯品保持体に設けられた面ファスナーからなる携帯品取外し自在保持手段とからなり、面ファスナーを設けた携帯品を首から下げ、該携帯品を前記携帯品取外し自在保持手段に簡単に着脱操作できるようにしてなる携帯補助具を構成しているので、
面ファスナーを設けた携帯品をネックストラップにより首から下げ、携帯品を携帯品取外し自在保持手段に簡単に着脱操作ができるので、クレーム７記載の発明と同様な効果を得ることができるともに、携帯電話を下げるネックストラップは好みのものを使用できる。
＜クレーム１６記載の発明の効果＞
携帯者の首や肩などに掛ける掛け部、この掛け部から下げられる紐、ロープ、ワイヤ、細棒状部材などやこれらの組合せからなる携帯品吊り部とからなる保持体吊り部と、前記携帯品吊り部に設けた携帯電話等の携帯品を保持するための携帯品保持体と、この携帯品保持体に設けられた前記携帯品を保持し且つ簡単に該携帯品を外すことができるケースや面ファスナーやフックや磁石などの携帯品取外し自在保持手段と、携帯品保持体や前記携帯品吊り部に設けられた、着衣側に係止するためのクリップや安全ピンやボタン部位掛手段などの、携帯者の着衣に係止することにより、携帯品保持体に保持した携帯品が振れ動くのを抑制するようにするための着衣係止部とからなり、携帯品を首から下げ吊るした状態で該携帯品を前記携帯品取外し自在保持手段に簡単に着脱操作できるようにしてなる携帯補助具を構成しているので、
クレーム１、７、８と同様な効果を得るともに、帯品を首から下げ吊るした状態で該携帯品を前記携帯品取外し自在保持手段に簡単に着脱操作できるともに、着衣係止部による着衣への係止により、携帯品保持体おほび該携帯品保持体に保持した状態の携帯品の振れを小振りに抑えることができ、携帯性を向上させるという効果を得ることができる。
また、胸元やその下側など下方に携帯品を振れ小さく抑えて保持することができるという効果を得ることができる。
＜クレーム１７記載の発明の効果＞
主に首に掛け下げるロープなどの携帯品吊り部に移動自在且つ好みの位置に係留することができる移動係留体本と、この移動係留体本の下方に立ち下げられあるいは上方に立ち上げられた保持体本体と、該保持体本体に設けられた携帯品を容易に着脱自在に保持するためのケースや面ファスナーやフックなどからなる携帯品取外し自在保持手段とで携帯品保持体を構成しているので、
ネックストラップに組合わせて設けることにより、クレーム１、３、１２等の発明を実現するという効果を得ることができる。
＜クレーム１８記載の発明の効果＞
主に首に掛け下げるロープなどの携帯品吊り部に移動自在且つ好みの位置に係留することができる移動係留体本と、この移動係留体本の下方に立ち下げられあるいは立ち上げられた保持体本体と、該保持体本体に設けられた携帯品を容易に着脱自在に保持するためのケースや面ファスナーやフックなどからなる携帯品取外し自在保持手段と、前記保持体本体の下部あるいは上部に設けられた着衣の上前立て部位を避けるように入れる前立て避け通し部と、この前立て避け通し部の下部に立ち下げられた、該前立て避け通し部に着衣の上前立て部位を入れた状態において、該上前立て部位の内側に入り込まされて前立てボタンの縫い留め糸部位に掛けることができるボタン部位掛け部とからなり、前記ボタン部位掛け部の形態が前記前立て避け通し部内に入り込み縫い留め糸部に掛かった状態から抜き操作が簡単に行える形態である携帯品保持体を構成しているので、
ワイシャツなどのボタン合わせの前立て携帯の着衣では、ボタン部位掛け部を前立て内側に入り込ませて抜き差し容易な形態でボタンの縫い留め糸部位に掛けることができるので、移動係留体と携帯品保持体を一体化したクレーム１２記載の携帯補助具での使用においては、略２〜３個のボタン部位に好みに応じて掛けることができ、胸上から臍当たりまでの位置において携帯電話を振れない状態で携帯でき、且つ、簡単に抜き差し操作が行えるとともに、ボタンの縫い留め糸部位に携帯品保持体を載せ支持することができるので、首から吊る携帯品吊り部を緩めた状態での携帯保持ができ、この状態では携帯電話の重量の殆どはボタン縫い止め糸部位で受けているので、首への吊り負担が掛からない携帯を可能とするという効果を得ることができる。
また、ボタン部位掛け部は着衣の前立て部位への係止に留まらず、ジッパー（チャック、ファスナー）による前立て部位の開閉が行う着衣においても、開閉滑り金具位置（好みの位置にできる）に合わせボタン部位掛け部を内側に入れることにより、携帯品保持体に保持した携帯品の振れを抑えた携帯を実現するという効果を得ることができる。
＜クレーム１９記載の発明の効果＞
クレーム５〜１６いずれか記載の発明の構成において、携帯品保持体がクレーム１７、１８いずれか記載の携帯品保持体である携帯補助具を構成しているので、
クレーム３、５〜１６いずれか記載の発明と同様な効果を得ることができる。
＜クレーム２０記載の発明の効果＞
伸縮性部材本体と、
この伸縮性部材の一方の側に設けられた携帯電話等の携帯品を取り付け吊るための携帯品吊り部とからなり、
前記伸縮性部材本体が、該伸縮性部材本体の他方の側をネックストラップの下部に繋ぎ、前記携帯品吊り部に携帯電話などの携帯品を取り付け吊り下げた状態において、携帯品が１５０グラム程度の吊り下がり重量でもその伸縮伸びが略３センチ以内であり、携帯品を手に持っての伸び長さが１５センチ以上であり、前記携帯品を上げた状態での垂れ下がり携帯がスムーズなＵの字湾曲形態を形成する部材からなる携帯品吊り部材を構成しているので、
携帯電話が垂れ下がり状態となっても伸縮部材がわずかしか伸びないので、落下させても大きく伸びて地面等に衝突することが無く、且つ、垂れ下がった状態になっても腕の延ばしだけで手に掴むことができ、且つ、携帯品保持体に保持して垂れ下がり状態においては綺麗折を形成しないスムーズな湾曲Ｕの字形態を形成するので、見た目がよいという効果をえることができる。
＜クレーム２１記載の発明の効果＞
クレーム２０記載の発明において、伸縮性部材が２本からなり、他方の側にネックストラップに連結したり外したりする着脱パーツが設けられ、前記ネックストラップから外した状態においては前記２本の伸縮性部材が手挿し込んで携帯品を手から落ちないようにできるショートストラップを形成してなる携帯品吊り部材を構成しているので、
ネックストラップ形態での使用ができるともに、そのままショートストラップ形態での使用ができるので便利である。
また、伸縮性部材が２本が同時に切れること殆ど無く、一本が切れても落下することが無く、安全性が高いという効果を得ることができる。
＜クレーム２２記載の発明の効果＞
クレーム５〜１６、１９いずれか記載の発明の構成において、クレーム２０、２１いずれか記載の携帯品吊り部材を設けてなる携帯補助具を構成しているので、
クレーム２０、２１いずれか記載の発明と同様な効果を得るこができる。
＜クレーム２３記載の発明の効果＞
クレーム５〜１６、１９いずれか記載発明の構成において、保持体吊り部に信号ケーブルが設けられ、前記保持体吊り部の一方の側に前記信号ケーブルの一方の側に取付られた携帯品に接続されるイヤホン側接続部が設けられ、前記保持体吊り部の他方の側に前記信号ケーブルの他方の側に取付られたイヤホンが設けられ、前記保持体吊り部の前記イヤホン側にリング体が該保持体吊り部を移動可能に設けられ、前記リング体に携帯品が直接にあるいはワイヤ等の部材を介して繋がれてなり、携帯品保持体から携帯品が外れたり携帯品を手に持って操作中に落としたりしても、前記リング体が前記イヤホンや該イヤホン手前の該保持体吊り部に設けられた他のストパー部材に止められて、落下する携帯品が前記保持体吊り部の他方の側に吊り状態となって落下が止められ、前記携帯品保持体に携帯品を保持した状態にして前記保持体吊り部の他方の側を前記リング体内を移動させて該イヤホンを持ち上げて耳に装着等することができ、前記イヤホンを耳から外し下げる場合は前記イヤホンや該イヤホン手前の前記保持体吊り部に設けられた他のストパー部材に止められて、該保持体吊り部の他方の側がＵの字を描くなどして下がるようにしてなる携帯補助具を構成しているので、
イヤホンを使用しないときはＵの字を描くなどのようにその垂れ長さを半分以下にして携帯の邪魔にならない長さにでき、イヤホンを耳に装着する場合は携帯電話を携帯品保持体に保持したまま該イヤホンを持ち上げて装着等して通話や聴くことができ、携帯品を手に持って操作する場合に保持体吊り部の他方の側を延ばしきった長い状態で操作を行うことができ、これらの保持や操作の際に携帯品を落とした場合には落下を途中で止める安全で紛失の心配の無い携帯補助具を実現するという効果を得ることができる。
＜クレーム２４記載の発明の効果＞
ループからなる首掛け部と、この首掛け部から携帯者の身体前に垂れ下がる携帯品吊り部と、前記携帯品吊り部と前記首掛け部とからなる一本ないし一連の紐体である保持体吊り部と、前記携帯品吊り部の下方に設けられた携帯品を吊るためのあるいは携帯品を吊ってなる携帯品吊り部と、この携帯品吊り部あるいは前記携帯品側に設けられた前記携帯品吊り部を挟持するための携帯品吊り部挟持手段とからなり、前記保持体吊り部を首に掛けた状態にして、前記携帯品吊り部挟持手段で前記携帯品吊り部の好みの部位を挟持して留め置くことにより前記携帯品を好みの高さ位置に係留することができるようにしてなる携帯補助具を構成しているので、
携帯品吊り部挟持手段により携帯品を携帯品吊り部の好みの部位に係留することができるともに、携帯品が携帯電話の場合は係留したまま着信通話が行え、携帯品吊り部への係留を外すことにより手に持ち腕を延ばしての携帯電話の操作が自在に行え、これらの操作や係留状態から携帯電話を落下させても、携帯電話は保持体吊り部に吊られているので地面に落下させることがない安全な携帯補助具を実現するという効果を得ることができる。
当然片手のみでの上記全ての操作を可能とするものである。
携帯中は携帯品吊り部は該携帯品吊り部上方に係留された携帯品により短くされるので、携帯品を垂れ下げた状態が腕を延ばしきる長さである股間当たりまで長いものとしても携帯中に邪魔にならないものにできることを可能とするという効果を得るものである。
＜クレーム２５記載の発明の効果＞
首や肩に掛ける掛け部と、この掛け部の左側に垂れ下げられる左携帯品吊り部、右側に垂れ下げられる右携帯品吊り部とからなる携帯品吊り部と、前記左携帯品吊り部の長さを好みの長さとすることができる左長さ設定機構と、
前記右携帯品吊り部の長さを好みの長さとすることができる右長さ設定機構とで携帯補助具を構成しているので、
掛け部の長さや不自然な突起体を形成することなく、携帯品吊り部の長さを携帯者の身長などに対応させて、好みの長さとすることができるという効果を得ることができる。
＜クレーム２６記載の発明の効果＞
前記クレーム２５記載の発明において、左長さ設定機構が左携帯品吊り部を移動自在に通し且つ好みの部位で移動しないようにロックするロック機構を有するとともに、ロックと該ロックの解除操作が簡単に行える左長さ調節手段であり、右長さ設定機構が右携帯品吊り部を移動自在に通し且つ好みの部位で移動しないようにロックするロック機構を有するとともに、ロックと該ロックの解除操作が簡単に行える右長さ調節手段である携帯補助具を構成しているので、
前記クレーム２５記載の発明の効果と同様な効果を得るとともに、携帯品吊り部の長さを何時でも好みの長さに自在に調節することができるという効果を得ることができる。
＜クレーム２７記載の発明の効果＞
クレーム５〜１６、２４いずれか記載の発明において、携帯品保持体がクレーム１７、１８いずれか記載の携帯品保持体であり、クレーム２０、２１いずれか記載の携帯品吊り部材を設け、クレーム２５、２６いずれか記載の右長さ設定機構と左長さ設定機構を設けてなる携帯補助具を構成しているので、
クレーム５〜１６、２４いずれか記載の発明の効果と、クレーム１７、１８いずれか記載の発明の効果と、クレーム２０、２１いずれか記載の発明の効果と、クレーム２５、２６いずれか記載の発明の効果とを奏する帯具を実現する。
すなわち少なくとも、携帯電話などの携帯品を携帯者の略胸上から臍上あたりの２〜３箇所上下位置を選択して振れを抑えた状態で保持携帯でき、その携帯状態から自在に携帯品を手に持ち外して自在に操作でき、保持携帯中および手に持っての操作中に落下させてもその落下を途中で止めて落下や紛失を防止する安全性を実現し、伸縮性携帯品保持部により携帯品を手に持ってその腕を伸ばし切っての翳し操作を実現し、首に掛かる掛け部をそのままにして携帯品吊り部の長さを携帯者の身長や好みや使用条件などに応じて設定可能とした携帯品の携帯補助具を実現するという効果をえるものである。
【産業上の利用可能性】
【０１３４】
本発明はネックストラップを製造する産業や携帯電話を提供する産業で利用される。
【図面の簡単な説明】
【０１３５】
【図１】本発明の第１の実施の形態の携帯品保持体の正面図および側面図。
【図２】本発明の第１の実施の形態の携帯品取り付け状態を示す背面図および側面図。
【図３】本発明の第１の実施の形態の操作図。
【図４】本発明の第２の実施の形態の携帯品保持体の正面図および携帯品を取り付けた状態の側面図。
【図５】本発明の第３の実施の形態の携帯品保持体の正面図および携帯品を取り付けた状態の側面図。
【図６】本発明の第４の実施の形態の携帯品保持体の正面図および携帯品を取り付けた状態の側面図。
【図７】本発明の第４の実施の形態の操作図。
【図８】本発明の第４の実施の形態の操作図。
【図９】本発明の第４の実施の形態の携帯状態図。
【図１０】本発明の第５の実施の形態の携帯品保持体の正面図および携帯品を取り付けた状態の側面図。
【図１１】本発明の第５の実施の形態の携帯品保持体の正面図および携帯品を取り付けた状態の側面図。
【図１２】本発明の第６の実施の形態の携帯品保持体の正面図およびケース型の携帯品取外し自在保持手段を取り付けた状態の側面図。
【図１３】本発明の第７の実施の形態の携帯品を外し下げた状態と携帯品を保持した状態の側面図。
【図１４】本発明の第８の実施の形態の携帯品を外し下げた状態と携帯品を保持した状態の側面図。
【図１５】本発明の第９の実施の形態の携帯品を外し下げた状態と携帯品を保持した状態の側面図。
【図１６】本発明の第１０の実施の形態の携帯品を外し下げた状態と携帯品を保持した状態の側面図。
【図１７】本発明の第１１の実施の形態の使用状態図。
【図１８】本発明の第１２の実施の形態の携帯品を外し下げた状態と携帯品を保持した状態の側面図。
【図１９】本発明の第１３の実施の形態の携帯品保持体の正面図、携帯品を取り付けた側面図および携帯品を外した側面図。
【図２０】本発明の第１４の実施の形態の携帯品保持体の正面図、携帯品を取り付けた側面図および携帯品を外した側面図。
【図２１】本発明の第１５の実施の形態の携帯品を保持した正面図。
【図２２】本発明の第１６の実施の形態の携帯品を保持した正面図。
【図２３】本発明の第１７の実施の形態の携帯品を保持した正面図。
【図２４】本発明の第１８の実施の形態の携帯品保持体の正面図、携帯品を取り付けた側面図および使用状態例図。
【図２５】本発明の第１９の実施の形態の携帯品を保持した側面図および携帯品を外した側面図。
【図２６】本発明の第２０の実施の形態の携帯品を保持した正面図。
【図２７】本発明の第２１の実施の形態の正面図および携帯品を保持した側面図。
【図２８】本発明の第２２の実施の形態の携帯品を保持した側面図面図および携帯品を外した側面図。
【図２９】本発明の第２３の実施の形態の携帯品を保持した側面図面図および携帯品を外した側面図。
【図３０】本発明の第２４の実施の形態の正面図および携帯品を保持した側面図。
【図３１】本発明の第２５の実施の形態の携帯品を外し吊り下げた正面図、携帯品を保持した正面図および携帯品を保持した側面図。
【図３２】本発明の第２６の実施の形態の携帯品を保持した正面図。
【図３３】本発明の第２７の実施の形態の携帯品を分離した正面図、携帯品を保持した正面図および携帯品を保持した側面図。
【図３４】本発明の第２８の実施の形態の携帯品を分離した正面図、携帯品を保持した正面図および携帯品を保持した側面図。
【図３５】本発明の第２９の実施の形態の携帯補助具の正面図および携帯品保持体の平面図。
【図３６】本発明の第３０の実施の形態の携帯補助具の正面図。
【図３７】本発明の第３１の実施の形態の携帯補助具の正面図。
【図３８】本発明の第３２の実施の形態の携帯補助具の正面図。
【図３９】本発明の第３３の実施の形態の携帯補助具の正面図。
【図４０】本発明の第３４の実施の形態の携帯補助具の携帯品の複数の落下防止形態による吊り形態を示す正面図。
【図４１】本発明の第３５の実施の形態の使用状態正面図。
【図４２】本発明の第３６の実施の形態の使用状態正面図。
【図４３】本発明の第３７の実施の形態の使用状態正面図。
【図４４】本発明の第３８の実施の形態の携帯補助具の正面図。
【図４５】本発明の第３９の実施の形態の携帯補助具の正面図。
【図４６】本発明の第３９の実施の形態の携帯補助具の使用状態図。
【図４７】本発明の第４０の実施の形態の正面図、右側面図、平面図。
【図４８】本発明の第４１の実施の形態の正面図、右側面図、平面図。
【図４９】本発明の第４２の実施の形態の正面図、右側面図、平面図。
【図５０】本発明の第４３の実施の形態の正面図、右側面図、平面図。
【図５１】本発明の第４４の実施の形態の使用状態を示す側面図および正面図。
【図５２】本発明の第４５の実施の形態の携帯品取外し自在保持手段の平面図、取り付け状態側面図。
【図５３】本発明の第４６の実施の形態の正面図。
【図５４】本発明の第４７の実施の形態の正面図。
【図５５】本発明の第４８の実施の形態の正面図。
【図５６】本発明の第４９の実施の形態の使用説明図。
【図５７】本発明の第５０の実施の形態の使用説明図。
【図５８】本発明の第５１の実施の形態の使用説明図。
【図５９】本発明の第５２の実施の形態の使用説明図。
【図６０】本発明の第５３の実施の形態の使用説明図。
【図６１】本発明の第５４の実施の形態の使用説明図。
【図６２】本発明の第５５の実施の形態の使用説明図。
【図６３】本発明の第５６の実施の形態の正面図。
【図６４】本発明の第５７の実施の形態の使用状態側図、着衣保持体の正面図。
【図６５】本発明の第５８の実施の形態の正面図、側面図、底面図。
【図６６】本発明の第５９の実施の形態の正面図、使用状態側面図。
【図６７】本発明の第６０の実施の形態の携帯品保持状態側面図。
【図６８】本発明の第６１の実施の形態の携帯品保持状態側面図。
【図６９】本発明の第６２の実施の形態の使用状態図。
【図７０】本発明の第６３の実施の形態の使用状態図。
【図７１】本発明の第６４の実施の形態の使用状態図。
【図７２】本発明の第６５の実施の形態の使用状態図。
【図７３】本発明の第６６の実施の形態の展開図。
【図７４】本発明の第６６の実施の形態の側面図、部品を付けた正面図および平面図。
【図７５】本発明の第６６の実施の形態のケースを透明部材とし部品を付けカードを入れた正面図（ａ）、部品を付けた正面図（ｂ）、カードを入れた平面図（ｃ）。
【図７６】本発明の第６７の実施の形態を示すケース分離正面図およびケース取り付け正面図。
【図７７】本発明の第６８の実施の形態の使用状態図。
【図７８】本発明の第６９の実施の形態の使用状態図。
【図７９】本発明の第７０の実施の形態の六面図および断面図。
【図８０】本発明の第７１の実施の形態のケースを透明部材とし部品を付けカードを入れた側面図（ａ）、部品を付けカードを入れた正面図（ｂ）、カードを入れた平面図（ｃ）。
【図８１】本発明の第７２の実施の形態の六面図および断面図。
【図８２】本発明の第７３の実施の形態の組立分解正面図および組立正面図。
【図８３】本発明の第７４の実施の形態の組立分解図および組立正面図。
【図８４】本発明の第７５の実施の形態の側面図、正面図、平面図である。
【図８５】本発明の第７６の実施の形態の側面図、正面図、平面図である。
【図８６】本発明の第７７の実施の形態の構成図。
【図８７】本発明の第７８の実施の形態の構成図。
【図８８】本発明の第７９の実施の形態の構成図。
【図８９】本発明の第８０の実施の形態の構成図。
【図９０】本発明の第８１の実施の形態の構成図。
【図９１】本発明の第８２の実施の形態の構成図。
【図９２】本発明の第８３の実施の形態の拡大部分斜視図。
【図９３】本発明の第８３の実施の形態の製品説明図例。
【図９４】図９４の続き。
【図９５】図９６の続き。
【図９６】図９６の続き。
【図９７】図９７の続き。
【図９８】図９６の続き。
【図９９】本発明の第８４の実施の形態の携帯品保持体の正面図、組立分解右側面図および使用状態正面図。
【図１００】本発明の第８５の実施の形態の携帯品保持体の正面図、組立書面図および組立右側面図。
【図１０１】本発明の第８６の実施の形態の携帯品保持体の右側面図。
【図１０２】本発明の第８７の実施の形態の使用状態図。
【図１０３】本発明の第８８の実施の形態の携帯品保持体の正面図および使用状態図。
【図１０４】本発明の第８９の実施の形態の正面図。
【図１０５】本発明の第９０の実施の形態の携帯品保持体の側面図および使用状態図。
【図１０６】本発明の第９１の実施の形態の携帯品保持体の正面図および使用状態図。
【図１０７】本発明の第９２の実施の形態の携帯品保持体部位の正面図（ａ）、携帯品保持体部位の底面図（ｂ）、携帯品保持体部位の背面図（ｃ）、携帯品保持体部位の右側面図（ｄ）、使用状態正面図（ｅ）および使用状態拡大底面図（ｆ）。
【図１０８】本発明の第９３の実施の形態の携帯品保持体の正面図および使用状態図。
【図１０９】本発明の第９４の実施の形態の携帯品保持体の正面図および使用状態図。
【図１１０】本発明の第９５の実施の形態の携帯品保持体部位の正面図（ａ）、携帯品保持体部位の背面図（ｂ）、携帯品保持体部位のて底面図（ｃ）、携帯品保持体部位の平面図（ｄ）、携帯品保持体部位の右側面図（ｅ）携帯品保持体部位の左側面図（ｆ）。
【図１１１】本発明の第９５の実施の形態の使用状態図。
【図１１２】本発明の第９６の実施の形態の携帯品保持体の正面図、携帯保持体の背面図、携帯品保持体の底面図、携帯品保持体右側面図および使用状態図。
【図１１３】本発明の第９７の実施の形態の携帯品保持体の正面図および全体図。
【図１１４】本発明の第９８の実施の形態の携帯品保持体の正面図および携帯品を保持した全体図。
【図１１５】本発明の第９９の実施の形態の正面図。
【図１１６】本発明の第１００の実施の形態の正面図および使用状態図。
【図１１７】本発明の第１０１の実施の形態の移動係留体の正面図、側面図、携帯補助具の携帯品保持体部位の正面図およびその側面図。
【図１１８】本発明の第１０２の実施の形態の携帯品保持体部位の正面図およびその底面図。
【図１１９】本発明の第１０３の実施の形態の正面図およびその側面図。
【図１２０】本発明の第１０３の実施の形態の使用状態図。
【図１２１】本発明の第１０４の実施の形態の各部品の正面図および組立図。
【図１２２】本発明の第１０５の実施の形態の正面図。
【図１２３】本発明の第１０６の実施の形態の別保持体の正面図。
【図１２４】本発明の第１０６の実施の形態のカード集のケースの正面図および取り付け側面図。
【図１２５】本発明の第１０６の実施の形態の使用状態図。
【図１２６】本発明の第１０７の実施の形態の背面図。
【図１２７】本発明の第１０８の実施の形態の背面図。
【図１２８】本発明の第１０９の実施の形態の使用状態例側面図。
【図１２９】本発明の第１１０の実施の形態の携帯品の背面図、移動係留体の背面図および取り付け背面図。
【図１３０】本発明の第１１１の実施の形態の携帯品の背面図、移動係留体の背面図および取り付け背面図。
【図１３１】本発明の第１１２の実施の形態の使用状態例側面図。
【図１３２】本発明の第１１３の実施の形態の正面図、使用状態図およびクリプの開き側面図および閉じ側面図。
【図１３３】本発明の第１１４の実施の形態の側面図、背面図および面ファスナを貼り付けた状態背面図。
【図１３４】本発明の第１１５の実施の形態の側面図、背面図、面ファスナ板の背面図および面ファスナ板を装着した状態背面図。
【図１３５】本発明の第９９の実施の形態を示す他の使用状態例図。
【図１３６】本発明の第９９の実施の形態を示す他の使用状態例図。
【図１３７】本発明の第１１６の実施の形態を示す正面図および使用状態図。
【図１３８】本発明の第１１７の実施の形態を示す正面図および使用状態図。
【図１３９】本発明の第１１８の実施の形態を示す正面図および使用状態図。
【図１４０】本発明の第１１９の実施の形態を示す使用状態図。
【符号の説明】
【０１３６】
１：携帯補助具、
２：掛け部、
３：携帯品吊り部、
４：保持体吊り部、
５：携帯品、
６：移動係留体、
７：保持体本体、
８：携帯品保持体、
９：携帯品取外し自在保持手段、
１０：立上部、
１１：吊り部材案内部、
１２：携帯品吊り部、
１３：着脱パーツ、
１４：体本駒、
１５：可動駒、
１６：松葉、
１８：携帯品取外し自在保持手段、
１９：受け支持部、
２０：携帯品保持体、
２１：携帯補助具、
２２：面ファスナーｂ、
２４：ディスプレイ側、
２５：操作ボタン側、
２６：携帯品取外し自在保持手段、
２７：受け支持部、
２８：携帯品保持体、
２９：携帯補助具、
３２：携帯品保持体、
３３：携帯補助具、
３６、３６ａ：クリップ、
３８：保持体本体、
３９：立上部、
４０：携帯品保持体、
４１：携帯補助具、
４２：ケース、
４４：携帯補助具、
４５：バンド掛け部、
４６：着脱嵌合式ボタン、
４７：着脱嵌合式ボタン、
４８：掛けバンド、
４９：携帯品取外し自在保持手段、
５０：携帯品保持体、
５１：名札等掛け部、
５４：携帯補助具、
５５：携帯品取外し自在保持手段、
５６：携帯品保持体、
５７：ストラップ取付部、
５８：携帯品取り付け部、
５９：フック掛け部、
６１：装飾部体、
６２：携帯品取外し自在保持手段、
６３：携帯品保持体、
６４：携帯補助具、
６５：掛け部品、
６８：ベース、
６９：携帯品取外し自在保持手段、
７０：ワイヤ、
７１：携帯品吊り部、
７２：携帯品保持体、
７３：携帯補助具、
７６：携帯品保持体、
７７：携帯補助具、
８０：携帯補助具、
８１：固定部、
８２：携帯品保持体、
８３：着脱パーツ、
８４：保持体本体、
８６：携帯補助具、
８７：保持体本体、
８８：携帯品取外し自在保持手段、
８９：携帯品保持体、
９０：顎付き突起、
９３：携帯補助具、
９６：ロープ、
９７：携帯品吊り部、
９８：携帯補助具、
９９：抜け防止玉、
１０２：着脱パーツ、
１０４：保持体本体、
１０５：携帯品保持体、
１０７：携帯補助具、
１０８：折り部、
１１１：携帯補助具、
１１２：体本駒、
１１３：可動駒、
１１４：移動係留体、
１１５：保持体本体、
１１６：携帯品保持体、
１１７：保持体吊り部、
１１８：携帯品吊り部、
１１９：ロープ通し孔、
１２０：ロープ通し孔、
１２１：圧縮コイルバネ、
１２２：イヤホンジャック、
１２３：イヤホン、
１２４：イヤホン、
１２７：保持体本体、
１２８：フック、
１２９：面ファスナーａ、
１３０：携帯品取外し自在保持手段、
１３１：携帯品保持体、
１３２：掛け部品、
１３３：面ファスナーｂ、
１３４：携帯品吊り部、
１３６：携帯品取外し自在保持手段、
１３７：携帯品保持体、
１３８：掛け部、
１４１：オス型、
１４２：メス型、
１４３：掛け部、
１４４：携帯品吊り部、
１４５：保持体吊り部、
１４６：携帯補助具、
１４９：側部支持爪、
１５０：携帯品保持体、
１５１：底支持爪、
１５３：携帯品吊り部、
１５５：携帯補助具、
１５６：首保持体吊り部、
１５７：携帯品合わせ部、
１５８：指当て部、
１６０：携帯品取外し自在保持手段、
１６１：携帯品保持体、
１６２：伸縮性携帯品吊り部、
１６３：面ファスナーｂ、
１６５：携帯補助具、
１６６：指当て部、
１６７：携帯品取外し自在保持手段、
１６８：携帯品保持体、
１６９：面ファスナーｂ、
１７１：携帯品保持体、
１７２：携帯補助具、
１７３：伸縮ストラップ部、
１７４：紐通し孔、
１７５：体本駒（本体駒）、
１７６：紐通し孔、
１７７：可動駒、
１７８：移動係留体、
１７９：保持体本体、
１８０：平紐、
１８１：首掛け部、
１８２：携帯品吊り部、
１８３：保持体吊り部、
１８４：ゴム紐、
１８５：ゴム紐、
１８６：カバー、
１８７：ワイヤ、
１８８：ボタン部位掛かり部、
１８９、１８９ａ、１８９ｂ：ボタン縫い止め糸通し掛り部、
１９０：携帯品保持体、
１９１：携帯品保持体、
１９２：クリップ、
１９３：着脱パーツ、
１９４：カバー、
１９５：携帯品取外し自在保持手段、
１９６：名札、
１９７：面ファスナーｂ、
１９８：首掛け手段、
１９９：携帯品保持体、
２００：ネックストラップ、
２０１：携帯品、
２０２：胸ポケット、
２０３：面ファスナーａ、
２０４：面ファスナーｂ、
２０５：名札、
２０６：紐、
２０８：携帯補助具、
２０９：首掛け部、
２１０：携帯品吊り部、
２１１：首保持体吊り部、
２１２：名札、
２１３：移動係留体、
２１５：携帯補助具、
２１６：首保持体吊り部、
２１７：首掛け部、
２１８：イヤホン、
２１９：プラグ、
２２０：送信ケーブル、
２２１：ストッパー、
２２２：携帯品保持体、
２２３：移動係留体、
２２４：本体駒、
２２５：可動駒、
２２６：吊り部材通し部、
２２７：吊り部材抑え部、
２２８：抜け防止突起入り孔、
２２９：抜け防止突起、
２３１：連結板、
２３２：移動係留体、
２３３：携帯品保持体、
２３５：本体駒、
２３６：可動駒、
２３７：移動係留体、
２３８：保持体本体、
２３９：携帯品保持体、
２４１：くびれ部、
２４２：紐通し部、
２４３：保持体本体、
２４４：携帯品保持体、
２４５：紐通し部
２４６：ボタン部位係止手段、
２４８：携帯品取外し自在保持手段部、
２４９：外皮、
２５０：内枠体、
２５１：覆い部、
２５２：本体駒、
２５３：可動駒、
２５４：移動係留体、
２５５：吊り部材通し部、
２５６：吊り部材抑え部、
２５７：圧縮コイルバネ、
２５９ａ、２５９ｂ：可動駒、
２６０：移動係留体、
２６２：引き紐、
２６３：摘み部材、
２６４：携帯補助具、
２７０：携帯補助具、
２７１：首掛け部、
２７２：携帯品、
２７３：携帯品吊り部挟持手段、
２７４：名札、
２７６：携帯品吊り部、
２７７：第１の携帯品吊り部、
２７８：第２の携帯品吊り部、
２７９：保持体吊り部、
２８０：バー、
２８２：携帯補助具、
２８３：携帯補助具、
２８４：クリップ、
２８６：保持体吊り部、
２８７：携帯品保持体、
２８９：携帯補助具、
２９０：送信ケーブル、
２９１：携帯補助具、
２９３：携帯補助具、
２９４：クリップ滑り止め、
２９５：クリップ、
２９６：着衣係止部、
２９７：保持体本体、
２９８：上携帯品取外し自在保持手段、
２９９：下携帯品取外し自在保持手段、
３００：携帯品保持体、
３０１：携帯補助具、
３０２：他の携帯品、
３０３：ネックストラップ、
３０５：携帯補助具、
３０７：携帯補助具、
３０８：携帯品保持体、
３１０：着衣保持体本体、
３１１：ボタン係止部、
３１２：着衣保持体、
３１４：紐通し孔、
３１６：携帯補助具、
３１７ａ、３１７ｂ：移動係留体、
３１８ａ、３１８ｂ：ワイヤ、
３１９：携帯品吊り部、
３２０：保持体吊り部、
３２１：保持体本体、
３２２：携帯品保持体、
３２３：ボタン係止部、
３２４：ゴム紐、
３２５：摘み部材、
３２６：解除ボタン、
３２７：プッシュ板、
３３０：携帯品保持体、
３３１：本体駒本、
３３２：移動係留体、
３３６：携帯品保持体、
３３７：立ち上げ部、
３４０：携帯品保持体、
３４１：保持体本体、
３４２：前立て避け通し部、
３４３：前立て差し込み部、
３４４：ボタン部位掛かり部、
３４６：ボタン部位掛かり部、
３４７：携帯品保持体、
３４９：ボタン部位掛かり部、
３５０：携帯品保持体、
３５２：携帯品保持体、
３５３：前立て差し込み部、
３５４：ボタン部位掛かり部、
３５５：前立て避け通し部、
３５６：保持体本体、
３８０：クリップ、
３８１：クリップ、
３８５：携帯品保持体、
３８６：前板部、
３８７：底板部、
３８８：背板部、
３８９：側板部、
３９０：側板部、
３９１：側板糊代、
３９２：側板糊代、
３９３：携帯品弾性保持部、
３９４：携帯品弾性保持部、
３９５：下部糊代、
３９６：下部糊代、
３９７：背板延長部、
３９８：クリップ取付部、
３９９：糊代部、
４００：掛け部、
４０１：カード取付部、
４０２：ケース本体、
４０４：携帯補助具、
４０５：長さ調節手段、
４０６：保持体吊り部、
４０７：デジタルカメラ、
４１０：携帯補助具、
４１１：保持体吊り部、
４１２：移動係留体、
４１３：保持体本体、
４１４：吊り部材案内部、
４１５：携帯品吊り部取付穴、
４１６：携帯品保持体、
４１７：取付ケーブル、
４１８：携帯品吊り部、
４２０：携帯品保持体、
４２１：保持体本体、
４２２：ケーブル掛け部、
４２３：立ち携帯品吊り部、
４２４：携帯補助具、
４２５：保持体吊り部、
４２７：携帯品保持体、
４２８：保持体本体、
４２９：前立て避け通し部、
４３０：ボタン部位掛け部、
４３１：ボタン部位嵌り部、
４３３：カード、
４３４：カード差込部、
４３５：カード差込部、
４３６：カード受止め部、
４３７：カード受止め部、
４３８：携帯品保持体、
４４０：携帯品保持体、
４４１：小フック、
４４２：携帯品保持体本体、
４４３：携帯品保持体、
４４４：保持体本体、
４４５：ボタン部位係止体本、
４４６：固定部、
４４７：ボタン部位係止体、
４５０：ロック穴、
４５１：嵌め受け部、
４５２：携帯品保持体本体、
４５３：ロック片、
４５４：ボタン部位係止体、
４５５：携帯品保持体、
４５７：二穴形成片、
４５８：携帯品保持体、
４６０：携帯補助具、
４６１：左携帯品吊り部、
４６２：右携帯品吊り部、
４６３：左長さ調節手段、
４６４：右長さ調節手段、
４６７：止め玉、
４６８：携帯補助具、
４７０：右側調節手段、
４７１：左側調節手段、
４７２ａ、４７２ｂ、４７２ｃ：調節リング、
４７３：携帯補助具、
４７６：左側調節手段、
４７７：右側調節手段、
４７８：携帯補助具、
４８０：携帯補助具、
４８１：掛け部、
４８２：左側携帯品吊り部、
４８３：右側携帯品吊り部、
４８４：携帯品吊り部、
４８５：保持体吊り部、
４８６：左長さ調節手段、
４８７：右長さ調節手段、
４９０：携帯補助具、
４９１：左側連結コード、
４９２：右側連結コード、
５００：携帯補助具、
５０１：掛け部、
５０２：安全パーツ雌型、
５０３：携帯品吊り部、
５０４：安全パーツ雄型、
５０５：伸縮性携帯品吊り部、
５０６：着脱パーツ、
５０７：掛け部、
５０８：合せ掛け手段、
５０９：巻きコードパーツ、
５１２：携帯品保持体、
５１３：フック面ファスナー部、
５１４：抑え部、
５１５：紐掛け保持部、
５１６：抑え部、
５１７：肉厚部、
５１８：スプリング、
５２０：移動係留体、
５２１：嵌合止め部、
５２２：嵌り突起部、
５２４：携帯品保持体、
５２５：ループ面ファスナー、
５２８：フック面ファスナー、
５２９：携帯品保持体、
５３２：吊り部材取付け部、
５３３：携帯品保持体、
５３４：長さ調節手段、
５３５：携帯補助具、
５４０：胴巻き紐具、
５４１：胴巻き紐部材、
５４２：長さ調節パーツ、
５５０：差込掛り部、
５５１：前立て避け通し部、
５５２：ボタン部位垂れ掛り部、
５５３：携帯品保持体、
５５４：携帯補助具、
５５７：携帯品保持体、
５５８：クリップ、
５５９：携帯品案内吊り紐、
５６０：リング、
５６１：携帯補助具、
５６２：移動係留玉、
５６３：携帯品吊り部、
５６４：クリップ、
５６９：携帯品保持体、
５７０、５７０ａ、５７０ｂ：差込掛り部、
５７１、５７１ａ、５７１ｂ：前立て避け通し部、
５７３：携帯品取外し自在保持手段、
５７４：フック受け、
５７５：携帯補助具、
５７７：携帯品取外し自在保持手段、
５７８：携帯補助具、
５８０：携帯補助具、
５８１：携帯品保持体、
５８４：携帯補助具、
５８５：ボタン入り隙間、
５８６：ボタン縫い止め糸通し掛り部、
５８７：ボタン部位掛部、
５８８：携帯品保持体、
６００：携帯品保持体、
６０１：移動フックリング、
６０２：紐、
６０３：携帯品吊り部、
６０４：リング離し部材、
６０５：携帯補助具、
６０７：ボタン通し開口、
６０８：携帯品保持体、
６０９：携帯品吊り部、
６１０：携帯補助具、
６１１：合わせパーツ、
６１２：指掛け部、
６１３：携帯補助具、
６１５：垂れ掛け部位、
６１６：携帯品保持体、
６１７：保持体吊り部吊り長さ調節手段、
６１８：安全ピン、
６２０：吊り部材囲い部、
６２１：移動係留体、
６２２：携帯品保持体、
６２３：携帯補助具、
６２５：平らクリップ、
６２７：移動係留体、
６２８：クリップ、
６２９：吊り体、
６３０：携帯補助具、
６３２：カード収納ケース、
６３３：携帯補助具、
６３４：粘着剤、
６３６：吊り部材横案内部、
６３７：携帯品保持体、
６３８：携帯補助具、
６４０：カード収納ケース、
６４１：別保持体、
６４２：携帯補助具、
６４３：透明ケース本体、
６４４：吊りバンド、
６４５ａ、６４５ｂ：嵌めボタン、
６４８：別保持体本体、
６４９ａ、６４９ｂ：掛け部、
６５０：保持部、
６５１ａ、６５１ｂ：前立て通し部、
６５２ａ、６５２ｂ：ボタン縫い止め糸掛り部、
６５３：連絡部、
６５４：安全ピン、
６５７：携帯補助具、
６５８ａ、６５８ｂ：吊り部材通し穴、
６５９：固定部位、
６７０：ケース、
６７１：移動係留部、
６７２：携帯補助具、
６７５：携帯補助具、
６７６：首掛け手段、
６７９ａ、６７９ｂ：移動係留体取り付け部、
６８０：掛り部、
６８１：携帯品取り付け部、
６８２：凹部、
６８３：携帯補助具、
６８５：取り付け板、
６８６：面ファスナ取り付け部、
６８７：携帯補助具、
６８８：移動係留部、
６９０：保持体、
６９１：粘着剤、
６９２：携帯補助具、
６９５：携帯補助具、
６９６：携帯品保持体、
６９７ａ、６９７ｂ：前立て避け通し部、
６９８：保持体吊り部、
６９９ａ、６９９ｂ：保持体吊り手段取り付け部、
７００ａ、７００ｂ：保持体吊り手段取り付け部、
７０１：携帯品吊り部、
７０２ａ、７０２ｂ：携帯品吊り手段取り付け部、
７０３：クリップ、
７０４：紐通し部、
７０５ａ：前立て差し込み部、
７０５ｂ：前立て差し込み部、
７０６、７０６：ハンドル軸受部、
７０７、７０７：挟持爪軸受け部、
７０８：挟持爪、
７０９：ハンドル、
７１０：ベース部、
７１１：軸受け板、
７１３：携帯電話、
７１４：操作ボタン側、
７１５：凹、
７１７：携帯電話、
７１８：面ファスナ板、
７１９：面ファスナ板取り付け部、
７２０ａ、７２０ｂ：板支持部、
７２１：支持溝、
７２４：紐部材、
７２５：ハーフストラップ、
７２７：携帯補助具、
７２８：フリーパーツ、
７２４：紐部材、
７２９：携帯品吊り部、
７３０：移動係留体、
７３１：摘みパーツ、
７３４：着衣係止手段嵌り部、
７３５：携帯補助具、
７３７：携帯補助具、
７３８：吊り紐、
７３９：携帯品吊り手段、
７４０：携帯品保持体、
７４１：着衣留め置き部、
７４２：携帯品取外し自在保持手段、
７４３：パンツばさみ、
７４６：抜け止め部、
７４７：携帯補助具、
７４８：携帯品保持体。
【図８】
2007135612.tif 000003
【図９】
2007135612.tif 000004
【図３８】
2007135612.tif 000005
【図３９】
2007135612.tif 000006
【図１０２】
2007135612.tif 000007
【図１３５】
2007135612.tif 000008
【図１３６】
2007135612.tif 000009
【図１３７】
2007135612.tif 000010
【図１３８】
2007135612.tif 000011
【図１３９】
2007135612.tif 000012
【図１４０】
2007135612.tif 000013
【図１】
2007135612.tif 000014
【図２】
2007135612.tif 000015
【図３】
2007135612.tif 000016
【図４】
2007135612.tif 000017
【図５】
2007135612.tif 000018
【図６】
2007135612.tif 000019
【図７】
2007135612.tif 000020
【図１０】
2007135612.tif 000021
【図１１】
2007135612.tif 000022
【図１２】
2007135612.tif 000023
【図１３】
2007135612.tif 000024
【図１４】
2007135612.tif 000025
【図１５】
2007135612.tif 000026
【図１６】
2007135612.tif 000027
【図１７】
2007135612.tif 000028
【図１８】
2007135612.tif 000029
【図１９】
2007135612.tif 000030
【図２０】
2007135612.tif 000031
【図２１】
2007135612.tif 000032
【図２２】
2007135612.tif 000033
【図２３】
2007135612.tif 000034
【図２４】
2007135612.tif 000035
【図２５】
2007135612.tif 000036
【図２６】
2007135612.tif 000037
【図２７】
2007135612.tif 000038
【図２８】
2007135612.tif 000039
【図２９】
2007135612.tif 000040
【図３０】
2007135612.tif 000041
【図３１】
2007135612.tif 000042
【図３２】
2007135612.tif 000043
【図３３】
2007135612.tif 000044
【図３４】
2007135612.tif 000045
【図３５】
2007135612.tif 000046
【図３６】
2007135612.tif 000047
【図３７】
2007135612.tif 000048
【図４０】
2007135612.tif 000049
【図４１】
2007135612.tif 000050
【図４２】
2007135612.tif 000051
【図４３】
2007135612.tif 000052
【図４４】
2007135612.tif 000053
【図４５】
2007135612.tif 000054
【図４６】
2007135612.tif 000055
【図４７】
2007135612.tif 000056
【図４８】
2007135612.tif 000057
【図４９】
2007135612.tif 000058
【図５０】
2007135612.tif 000059
【図５１】
2007135612.tif 000060
【図５２】
2007135612.tif 000061
【図５３】
2007135612.tif 000062
【図５４】
2007135612.tif 000063
【図５５】
2007135612.tif 000064
【図５６】
2007135612.tif 000065
【図５７】
2007135612.tif 000066
【図５８】
2007135612.tif 000067
【図５９】
2007135612.tif 000068
【図６０】
2007135612.tif 000069
【図６１】
2007135612.tif 000070
【図６２】
2007135612.tif 000071
【図６３】
2007135612.tif 000072
【図６４】
2007135612.tif 000073
【図６５】
2007135612.tif 000074
【図６６】
2007135612.tif 000075
【図６７】
2007135612.tif 000076
【図６８】
2007135612.tif 000077
【図６９】
2007135612.tif 000078
【図７０】
2007135612.tif 000079
【図７１】
2007135612.tif 000080
【図７２】
2007135612.tif 000081
【図７３】
2007135612.tif 000082
【図７４】
2007135612.tif 000083
【図７５】
2007135612.tif 000084
【図７６】
2007135612.tif 000085
【図７７】
2007135612.tif 000086
【図７８】
2007135612.tif 000087
【図７９】
2007135612.tif 000088
【図８０】
2007135612.tif 000089
【図８１】
2007135612.tif 000090
【図８２】
2007135612.tif 000091
【図８３】
2007135612.tif 000092
【図８４】
2007135612.tif 000093
【図８５】
2007135612.tif 000094
【図８６】
2007135612.tif 000095
【図８７】
2007135612.tif 000096
【図８８】
2007135612.tif 000097
【図８９】
2007135612.tif 000098
【図９０】
2007135612.tif 000099
【図９１】
2007135612.tif 000100
【図９２】
2007135612.tif 000101
【図９３】
2007135612.tif 000102
【図９４】
2007135612.tif 000103
【図９５】
2007135612.tif 000104
【図９６】
2007135612.tif 000105
【図９７】
2007135612.tif 000106
【図９８】
2007135612.tif 000107
【図９９】
2007135612.tif 000108
【図１００】
2007135612.tif 000109
【図１０１】
2007135612.tif 000110
【図１０３】
2007135612.tif 000111
【図１０４】
2007135612.tif 000112
【図１０５】
2007135612.tif 000113
【図１０６】
2007135612.tif 000114
【図１０７】
2007135612.tif 000115
【図１０８】
2007135612.tif 000116
【図１０９】
2007135612.tif 000117
【図１１０】
2007135612.tif 000118
【図１１１】
2007135612.tif 000119
【図１１２】
2007135612.tif 000120
【図１１３】
2007135612.tif 000121
【図１１４】
2007135612.tif 000122
【図１１５】
2007135612.tif 000123
【図１１６】
2007135612.tif 000124
【図１１７】
2007135612.tif 000125
【図１１８】
2007135612.tif 000126
【図１１９】
2007135612.tif 000127
【図１２０】
2007135612.tif 000128
【図１２１】
2007135612.tif 000129
【図１２２】
2007135612.tif 000130
【図１２３】
2007135612.tif 000131
【図１２４】
2007135612.tif 000132
【図１２５】
2007135612.tif 000133
【図１２６】
2007135612.tif 000134
【図１２７】
2007135612.tif 000135
【図１２８】
2007135612.tif 000136
【図１２９】
2007135612.tif 000137
【図１３０】
2007135612.tif 000138
【図１３１】
2007135612.tif 000139
【図１３２】
2007135612.tif 000140
【図１３３】
2007135612.tif 000141
【図１３４】
2007135612.tif 000142